(57)【要約】被験者からサンプルを取得する方法は、小売店内にサンプル収集室を提供すること；及びサンプルを取得することを含む。サンプルを分析するための方法は、サンプル収集室を小売店内に提供すること；サンプルを取得すること；及び例えば、前記小売りの場所において、それを分析することを含む。待合室；バスルーム；及びバスルームからサンプル収集室への壁面の開口部が提供され得る。サンプル収集室は、１つ以上の：加温用テーブル；加温用プレート；指加温器；指先加温器；空気加温器；リクライニングチェアー；落ち着かせるための特徴；及び調整可能な照明を含み得る。サンプルは、前記小売りの場所において分析され得るか、又は分析のために他の場所に送られることができる。サンプル収集室は、サンプル分析機器又はシステムを収納できる。【特許請求の範囲】
【請求項１】
被験者からサンプルを取得するためのシステムであって、小売店の中のサンプル収集室  を含み、前記サンプル収集室  は複数のサンプル容器を保持するために構成されたサンプル輸送容器を含み、前記サンプル容器は、約５００μＬ以下の容積を有する流体サンプルを保持するために構成され、及び１つ以上の：  加温用テーブル、加温用プレート、椅子又は他の座るための家具は加温用プレート、指  加温器、指先  加温器、及び空気加温器を含むシステム。
【請求項２】
被験者からのサンプルを分析するためのシステムであって、小売店の中にサンプル収集室を含み、前記サンプル収集室は、前記サンプル収集室において得られた約５００μＬ以下の容積を有する流体サンプルを分析するために構成されたサンプル分析機器を含み、及び１つ以上の：加温用テーブル；サンプルを取得するために効果的に被験者を位置付けるために構成されたリクライニングチェアー；及び落ち着かせるための特徴を含むシステム。
【請求項３】
被験者からのサンプルを分析するためのシステムであって、小売店の中にサンプル収集室を含み、前記サンプル収集室は、前記サンプル収集室において得られた約５００μＬ以下の容積を有する流体サンプルを分析するために構成されたサンプル分析機器を含み、及び１つ以上の：椅子又は他の座るための家具を含み、前記椅子又は他の座るための家具は、加温用プレート又は他の加温要素を含み、前記椅子又は他の座るための家具は、前記被験者の身体の部分を温めるために構成され、及びサンプルを取得するために効果的に被験者を位置付けるために構成され；及び落ち着かせるための特徴を含むシステム。
【請求項４】
前記加温用テーブルが、１つ以上の温度、高さ、配向、被験者からの距離、及びレストの存在又は高さを調製するために構成されている、請求項、１、２、又は３のいずれかに記載のシステム。
【請求項５】
前記落ち着かせるための特徴  が、流れる水、花、植物、落ち着かせる香り、落ち着かせる音、落ち着かせる画像、及び落ち着かせる色より成る落ち着かせる特徴の群から選ばれる、請求項２又は３に記載のシステム。
【請求項６】
前記サンプル収集室に隣接するバスルームを更に含み；及び
壁面の開口部は前記サンプル収集室を前記バスルームに接続し、前記壁面の開口部は前記バスルームから前記サンプル収集室へのサンプルの移転を許容する、請求項１〜５のいずれかに記載のシステム。
【請求項７】
前記流体サンプルが尿  サンプルを含む、請求項６に記載のシステム。
【請求項８】
以下の１つ以上を含む請求項１〜７のいずれかに記載のシステム：
指玩具；
前記サンプル収集室内の流れる水；
前記サンプル収集室内の調整可能な照明；
落ち着かせる画像；
落ち着かせる色を有する壁又はそれが吊られているいる壁；
前記サンプル収集室内の落ち着かせる音を提供するために構成された音システム；及び
前記サンプル収集室内の落ち着かせる香りを提供するために構成された香りの源であって、前記香りの源花、キャンドル、香油、香りの付けられた芯、及びエアロゾルから選ばれる。
【請求項９】
前記サンプル  が、約２５０μＬ未満の、約１５０μＬ未満の、約１００μＬ未満の、約５０μＬ未満の、約２５μＬ未満の、約１０μＬ未満の、約５μＬ未満の、約１μＬ未満の容積の群から選ばれる容積を有する、請求項１〜８のいずれかに記載のシステム。
【請求項１０】
前記サンプルが、血液、血清、結晶、唾液、痰、尿、消化液、涙液、汗、糞便、精液、膣液、間質液、腫瘍組織から導出された流体、眼液、粘液、耳垢、脂、線分泌物、髄液、皮膚、頭蓋内からの脳脊髄液、組織、鼻の拭い取りからの流体又は物質、咽喉の拭い取り、頬の裏からの拭い取り、又は鼻腔洗液からの流体又は物質、生検からの流体又は物質、胎盤液、羊水、臍帯血、リンパ液、体腔液、膿、被験者から得られた微生物相、胎便、母乳から選ばれるサンプルである、請求項１〜８のいずれかに記載のシステム。
【請求項１１】
前記サンプル  が血液  サンプルである、請求項１〜８のいずれかに記載のシステム。
【請求項１２】
小売店の中のサンプル収集室であって、前記サンプル収集室は１つ以上の：加温用テーブル、加温用プレート、加温用プレート、指加温器、指先加温器、及び空気加温器を含む椅子又は他の座るための家具を含む、サンプル収集室。
【請求項１３】
前記サンプル収集室が、サンプル分析機器又はサンプル分析システムに隣接して配置される、請求項１２に記載の小売店の中のサンプル収集室。
【請求項１４】
サンプル分析機器、複数のサンプル容器を保持するために構成されたサンプル輸送容器、又はその両方を更に含む、請求項１２に記載の小売店の中のサンプル収集室。
【請求項１５】
前記サンプル分析機器が、約５００μＬ以下の容積を有する流体サンプルを分析するために構成される、請求項１４に記載の小売店の中のサンプル収集室。
【請求項１６】
前記サンプル容器が約５００μＬ以下の容積を有する流体サンプルを保持するために構成される、請求項１４に記載の小売店の中のサンプル収集室。
【請求項１７】
前記サンプル収集室が、１つ以上の待合室及びバスルームに隣接する、請求項１２〜１６のいずれかに記載の小売店の中のサンプル収集室。
【請求項１８】
前記サンプル収集室がバスルームに隣接し、前記バスルームを前記サンプル収集室に接続する壁面の開口部を更に含む、請求項１２に記載の小売店の中のサンプル収集室。
【請求項１９】
加温用テーブル、加温用プレート、加温用プレート、指加温器、指先加温器、及び空気加温器を含む、椅子又は他の座るための家具から選ばれる加温用機器。
【請求項２０】
加温用機器が、被験者の身体の部分からの血液サンプルの採集を支援するために効果的であるように前記被験者の身体の部分を温めるために構成される、請求項１９に記載の加温用機器。
【請求項２１】
前記身体の部分が、指先、指、及び手から選ばれる、請求項２０に記載の加温用機器。
【請求項２２】
前記血液サンプルが約５００μＬ以下の容積である、請求項１９〜２１のいずれかに記載の加温用機器。
【請求項２３】
被験者からサンプルを取得する方法であって、前記被験者は身体の部分を有し：
小売店内に請求項１２〜１８のいずれかに記載のサンプル収集室を提供すること；  
及び
前記サンプル収集室において、前記被験者の体の部分からサンプルを取得することを含む方法。
【請求項２４】
被験者からサンプルを取得する方法であって、前記被験者は身体の部分を有し：
小売店内に請求項１２〜１８のいずれかに記載のサンプル収集室を提供すること；
前記サンプル収集室において、前記被験者の体の部分からサンプルを取得すること；及び
前記サンプルを前記小売店において、又はそれに隣接する場所で分析することを含む方法。
【請求項２５】
被験者からサンプルを取得する方法であって、前記被験者は身体の部分を有し：
小売店内に請求項１２〜１８のいずれかに記載のサンプル収集室を提供すること；
前記サンプル収集室において、前記被験者の体の部分からサンプルを取得すること；及び
前記サンプルを取得してから短時間の期間内に前記サンプルを前記小売店において、又はそれに隣接する場所で分析することを含む方法。
【請求項２６】
被験者からサンプルを取得する方法であって、前記被験者は身体の部分を有し：
小売店内に請求項１２〜１８のいずれかに記載のサンプル収集室を提供すること；
前記サンプル収集室において、前記被験者の体の部分からサンプルを取得すること；
前記サンプルを分析の場所に輸送すること；及び
前記サンプルを取得してから短時間の期間内に前記サンプルを前記分析の場所で分析することを含む方法。
【請求項２７】
前記サンプルを取得することが、前記被験者の体の部分を加温することを含む、請求項２３〜２６のいずれかに記載の方法。
【請求項２８】
前記身体の部分の加温が：加温用テーブル；加温用プレート；指加温器；指先加温器；空気加温器；加温用プレート又は他の加温要素を含む座るための家具；又はそれらの組み合わせにより加温することを含む請求項２７に記載の方法。
【請求項２９】
前記サンプル収集室に隣接するバスルームを提供すること；及び
前記サンプル収集室を前記バスルームに接続する壁面の開口部を提供することを更に含み
前記壁面の開口部は、前記バスルームから前記サンプル収集室へのサンプルの移転を可能にするために構成される、請求項２３〜２８のいずれかに記載の方法。
【請求項３０】
前記サンプルが尿サンプルを含む、請求項２９に記載の方法。
【請求項３１】
以下の１つ以上を更に含む、請求項２３〜３０のいずれか１つに記載の方法：
前記サンプル収集室に加温用テーブルを提供すること；
前記サンプル収集室に加温用プレートを提供すること；
前記サンプル収集室に指先加温器を提供すること；
前記サンプル収集室に指玩具を提供すること；
前記サンプル収集室に空気加温器を提供すること；
前記サンプル収集室に椅子又は他の座るための家具を提供することであって、前記椅子又は他の座るための家具は加温用プレート又は他の加温要素を含み；
前記サンプル収集室にリクライニングチェアーを提供することであって、前記リクライニングチェアーはサンプルを取得するために効果的に被験者を位置付けるために構成され；
前記サンプル収集室にリクライニングチェアーを提供することであって、前記リクライニングチェアーは、加温用プレート又は他の加温要素を含み、前記リクライニングチェアーは、被験者の身体の部分の少なくとも一部分を加温し、及び被験者を、サンプルを取得するために効果的に位置付けるために構成され；
前記サンプル収集室に調整可能な照明を提供すること；及び
前記サンプル収集室に落ち着かせるための特徴を提供することであって、前記落ち着かせるための特徴は、流れる水、花、植物、落ち着かせる香り、落ち着かせる音、落ち着かせる画像、及び落ち着かせる色より成る落ち着かせる特徴の群から選ばれる。
【請求項３２】
以下を更に含む、請求項２３〜３０のいずれか１つに記載の方法：
前記サンプル収集室にリクライニングチェアーを提供することであって、前記リクライニングチェアーはサンプルを取得するために効果的に被験者を位置付けるために構成され；
前記サンプル収集室に流れる水を提供すること；
前記サンプル収集室に調整可能な照明を提供すること；
前記サンプル収集室に落ち着かせる画像を提供すること；
前記サンプル収集室に落ち着かせる音を提供すること；及び
前記サンプル収集室に落ち着かせる香りを提供すること。
【請求項３３】
前記サンプルが、約５００μＬ未満の、約２５０μＬ未満の、約１５０μＬ未満の、約１００μＬ未満の、約５０μＬ未満の、約２５μＬ未満の、約１０μＬ未満の、約５μＬ未満の、約１μＬ未満の容積の群から選ばれる容積を有する、請求項２３〜３２のいずれかに記載の方法。
【請求項３４】
前記サンプルは短時間の期間内に分析され、前記短時間の期間は、約５時間未満、又は約４時間未満、又は約３時間未満、又は約２時間未満、又は約１時間未満、又は約半時間未満から選ばれる、請求項２３〜３３のいずれかに記載の方法。
【請求項３５】
前記サンプルを得た後の前記短時間の期間が、約５時間未満、又は約４時間未満、又は約３時間未満、又は約２時間未満、又は約１時間未満、又は約半時間未満から選ばれる、請求項２５又は２６のいずれかに記載の方法
【請求項３６】
前記サンプルが、血液、血清、結晶、唾液、痰、尿、消化液、涙液、汗、糞便、精液、膣液、間質液、腫瘍組織から導出された流体、眼液、粘液、耳垢、脂、線分泌物、髄液、皮膚、頭蓋内からの脳脊髄液、組織、鼻の拭い取りからの流体又は物質、咽喉の拭い取り、頬の裏からの拭い取り、又は鼻腔洗液からの流体又は物質、生検からの流体又は物質、胎盤液、羊水、臍帯血、リンパ液、体腔液、膿、被験者から得られた微生物相、胎便、母乳から選ばれるサンプルである、請求項２３〜３５のいずれかに記載の方法。
【請求項３７】
前記サンプルが、血液  サンプルである、請求項２３〜３５のいずれかに記載の方法。
【請求項３８】
被験者からサンプルを取得するためのサンプル収集システムであって、小売店の中のサンプル収集室を含み、前記サンプル収集室は椅子、テーブル、又はカウンターの上に加温用表面を含み、及び１つ以上の：指加温器；指先加温器；指玩具；空気加温器；水の特徴；及び落ち着かせるための特徴を含む、サンプル収集システム。
【請求項３９】
前記加温用表面が、加温用テーブル、加温用プレート、加温用カウンター、加温用椅子、又は加温用要素を含む他の座るための家具の表面の１つ以上を含み、前記加温用表面は、温度、高さ、配向、被験者からの距離、及び被験者の四肢、手、又は足を支持するために構成されたレストの存在又は高さの１つ以上を調整するために構成される、請求項３８に記載のシステム。
【請求項４０】
以下を更に含む、請求項３８に記載のシステム：
前記サンプル収集室に隣接するバスルーム；及び
壁面の開口部は前記サンプル収集室を前記バスルームに接続し、
前記壁面の開口部は、前記前記バスルームから前記サンプル収集室へのサンプルの移転を可能にするために構成される。
【請求項４１】
ｉ）サンプル分析機器、又はｉｉ）複数の、約５００μＬ以下の容積を有する流体サンプルを保持するために構成されたサンプル容器を、保持するために構成されたサンプル輸送容器、又はｉ）及びｉｉ）の両方を更に含む、請求項３８に記載のシステム。
【請求項４２】
前記サンプルが、約５００μＬ未満の、約２５０μＬ未満の、約１５０μＬ未満の、約１００μＬ未満の、約５０μＬ未満の、約２５μＬ未満の、約１０μＬ未満の、約５μＬ未満の、約１μＬ未満の容積の群から選ばれる容積を有する血液又は尿である、請求項３８に記載のシステム。
【請求項４３】
被験者からのサンプルを分析するためのサンプル分析システムであって、小売店の中のサンプル収集室を含み、前記サンプル収集室は、前記サンプル収集室において得られた約５００μＬ以下の容積を有する流体サンプルを分析するために構成されたサンプル分析機器を含み、椅子、テーブル、又はカウンターの上の加温用表面、及び：指加温器；指先加温器；指玩具；空気加温器；水の特徴；及び落ち着かせるための特徴の１つ以上を含むシステム。
【請求項４４】
前記加温用表面は、加温用テーブル、加温用プレート、加温用カウンター、加温用椅子、又は加温用要素を含む他の座るための家具の表面の１つ以上を含み、前記加温用表面は、温度、高さ、配向、被験者からの距離、及び被験者の四肢、手、又は足を支持するために構成されたレストの存在又は高さの１つ以上を調整するために構成される、請求項４３に記載のシステム。
【請求項４５】
以下を更に含む、請求項４３に記載のシステム：
前記サンプル収集室に隣接するバスルーム；及び
前記サンプル収集室を前記バスルームに接続する壁面の開口部であって、
前記壁面の開口部は、前記前記バスルームから前記サンプル収集室へのサンプルの移転を可能にするために構成される。
【請求項４６】
前記サンプルが、約５００μＬ未満の、約２５０μＬ未満の、約１５０μＬ未満の、約１００μＬ未満の、約５０μＬ未満の、約２５μＬ未満の、約１０μＬ未満の、約５μＬ未満の、約１μＬ未満の容積の群から選ばれる容積を有する血液又は尿である、請求項４３に記載のシステム。
【請求項４７】
加温用表面を有する加温用機器であって、前記加温用表面は、加温用テーブル、加温用プレート、加温用カウンター、加温用椅子、又は加温用要素を含む他の座るための家具の表面の１つ以上を含み、前記加温用表面は、温度、高さ、配向、被験者からの距離、及び被験者の四肢、手、又は足を支持するために構成されたレストの存在又は高さの１つ以上を調整するために構成される、請求項４３に記載のシステム。
【請求項４８】
前記加温用機器が、被験者の体の少なくとも一部分を温めるために構成され、前記被験者からの血液サンプルの採集を支援するために効果的である、請求項４７に記載の加温用機器。
【請求項４９】
被験者の体の少なくとも一部分が被験者の指先、指、及び手から選ばれる、請求項４８に記載の加温用機器。
【請求項５０】
前記血液サンプルが約５００μＬ以下の容積を有する、請求項４８に記載の加温用機器。
【請求項５１】
身体を有する被験者からサンプルを取得する方法であって、以下を含む方法：
請求項１に記載のサンプル収集システムを小売店内に提供することであって、前記サンプル収集システムはサンプル収集室を含み；及び
前記サンプル収集室において、サンプルを前記被験者から取得することを含む、。
【請求項５２】
前記サンプルを取得することが、前記被験者の身体の少なくとも一部分を加温することを含み、前記被験者の身体の少なくとも一部分の加温が、加温用表面による加温を含み、前記加温用表面は、加温用テーブル、加温用プレート、加温用カウンター、加温用椅子、又は加温用要素を含む他の座るための家具の表面を含み、前記加温用表面は、温度、高さ、配向、被験者からの距離、及び被験者の四肢、手、又は足を支持するために構成されたレストの存在又は高さの１つ以上を調整するために構成される、請求項５１に記載の方法。
【請求項５３】
前記サンプル収集室に隣接するバスルームを提供すること；及び
前記サンプル収集室を前記バスルームに接続する壁面の開口部を提供することを更に含み、
前記壁面の開口部が前記前記バスルームから前記サンプル収集室へのサンプルの移転を可能にするために構成される、請求項５１に記載の方法。
【請求項５４】
以下の１つ以上の更に含む、請求項５１に記載の方法：
リクライニングチェアーを前記サンプル収集室に提供することであって、前記リクライニングチェアーはサンプルを取得するために効果的に被験者を位置付けるために構成され；
前記サンプル収集室に流れる水を提供すること；
前記サンプル収集室に調整可能な照明を提供すること；
前記サンプル収集室に落ち着かせる画像を提供すること；
前記サンプル収集室に落ち着かせる音を提供すること；及び
前記サンプル収集室に落ち着かせる香りを提供すること。
【請求項５５】
前記サンプルが、約５００μＬ未満の、約２５０μＬ未満の、約１５０μＬ未満の、約１００μＬ未満の、約５０μＬ未満の、約２５μＬ未満の、約１０μＬ未満の、約５μＬ未満の、約１μＬ未満の容積の群から選ばれる容積を有する血液又は尿である、請求項５１に記載の方法。
【請求項５６】
前記サンプルは短時間の期間内に分析され、前記短時間の期間は、約５時間未満、又は約４時間未満、又は約３時間未満、又は約２時間未満、又は約１時間未満、又は約半時間未満から選ばれる、請求項５１に記載の方法。
【請求項５７】
身体を有する被験者からサンプルを取得する方法であって、以下を含む方法：
小売店内に請求項６に記載のサンプル分析システムを提供することであって、前記サンプル分析システムはサンプル収集室を含み；
前記サンプル収集室において、前記被験者の体の部分からサンプルを取得すること；及び
前記サンプルを前記小売店において、又はそれに隣接する場所で分析すること。
【請求項５８】
前記サンプルを取得してから短時間の期間内に前記サンプルを前記小売店において、又はそれに隣接する場所で分析することを更に含む、請求項５７に記載の、被験者から取得されたサンプルを分析するための方法。
【請求項５９】
前記サンプルを分析の場所に輸送すること；及び
前記サンプルを取得してから短時間の期間内に前記サンプルを前記分析の場所で分析することを更に含む、被験者から取得されたサンプルを分析するための方法。
【請求項６０】
前記サンプルを取得することが、前記被験者の身体の少なくとも一部分を加温することを含み、前記被験者の体の少なくとも一部分の加温は、加温用表面により加温することを含み、前記加温用表面は、加温用テーブル、加温用プレート、加温用カウンター、加温用椅子、又は加温用素子を含む他の座るための家具の表面を含み、前記加温用表面は、温度、被験者からの高さ、配向、距離、及び被験者の四肢、手、又は足を支持するために構成されたレストの存在又は高さの１つ以上を調整するために構成される、請求項５７に記載の方法。
【請求項６１】
以下を更に含む、請求項５７に記載の方法：
前記サンプル収集室に隣接するバスルームを提供すること；及び
前記サンプル収集室を前記バスルームに接続する壁面の開口部を提供すること、
前記壁面の開口部は、前記前記バスルームから前記サンプル収集室へのサンプルの移転を可能にするために構成される。
【請求項６２】
以下の１つ以上を更に含む、請求項５７に記載の方法：
前記サンプル収集室に加温用テーブルを提供すること；
前記サンプル収集室に加温用プレートを提供すること；
前記サンプル収集室に指先加温器を提供すること；
前記サンプル収集室に指玩具を提供すること；
前記サンプル収集室に空気加温器を提供すること；
前記サンプル収集室に椅子又は他の座るための家具を提供することであって、前記椅子又は他の座るための家具は加温用プレート又は他の加温要素を含み；
前記サンプル収集室にリクライニングチェアーを提供することであって、前記リクライニングチェアーはサンプルを取得するために効果的に被験者を位置付けるために構成され；
前記サンプル収集室にリクライニングチェアーを提供することであって、前記リクライニングチェアーは、加温用プレート又は他の加温要素を含み、前記リクライニングチェアーは、被験者の身体の部分の少なくとも一部分を加温し、及び被験者を、サンプルを取得するために効果的に位置付けるために構成され；
前記サンプル収集室に調整可能な照明を提供すること；及び
前記サンプル収集室に落ち着かせるための特徴を提供することであって、前記落ち着かせるための特徴は、流れる水、花、植物、落ち着かせる香り、落ち着かせる音、落ち着かせる画像、及び落ち着かせる色より成る落ち着かせる特徴の群から選ばれる。
【請求項６３】
以下の１つ以上を更に含む、請求項５７に記載の方法：
前記サンプル収集室にリクライニングチェアーを提供することであって、前記リクライニングチェアーはサンプルを取得するために効果的に被験者を位置付けるために構成され；；
前記サンプル収集室に流れる水を提供すること；
前記サンプル収集室に調整可能な照明を提供すること；
前記サンプル収集室に落ち着かせる画像を提供すること；
前記サンプル収集室に落ち着かせる音を提供すること；及び
前記サンプル収集室に落ち着かせる香りを提供すること。
【請求項６４】
前記サンプルが、約５００μＬ未満の、約２５０μＬ未満の、約１５０μＬ未満の、約１００μＬ未満の、約５０μＬ未満の、約２５μＬ未満の、約１０μＬ未満の、約５μＬ未満の、約１μＬ未満の容積の群から選ばれる容積を有する血液又は尿である、請求項５７に記載の方法。
【請求項６５】
前記サンプルは短時間の期間内に分析され、前記短時間の期間は、約５時間未満、又は約４時間未満、又は約３時間未満、又は約２時間未満、又は約１時間未満、又は約半時間未満から選ばれる、請求項５７に記載の方法。
【請求項６６】
前記サンプルを得た後の前記短時間の期間は、約５時間未満、又は約４時間未満、又は約３時間未満、又は約２時間未満、又は約１時間未満、又は約半時間未満から選ばれる、請求項５８に記載の方法。
【請求項６７】
前記サンプルを得た後の前記短時間の期間は、約５時間未満、又は約４時間未満、又は約３時間未満、又は約２時間未満、又は約１時間未満、又は約半時間未満から選ばれる、請求項５８に記載の方法。
【発明の詳細な説明】
【背景技術】
【０００１】
発明の背景
臨床サンプルは、様々な使用の中でも、被験者の健康の観察のために有用であること、疾患又は病理学的な状態の診断のために有用であること、及び治療的な介入を観察するために有用であることを含み、多くの状況において有用である。
【０００２】
臨床サンプルを取得することは、そのような使用のために必要であるが、被験者は、血液、尿、又は組織拭い取りサンプル等の臨床サンプルを提供することが、苦痛であるか、困難であるか、又は不便であることを経験し得る。従って、臨床サンプルを得るための改善された方法が必要とされる。
【０００３】
相互参照による組み込み
本明細書において言及される、全ての刊行物、特許及び特許出願は、個々の刊行物、特許及び特許出願のそれぞれが、参照により組み込まれるために、あたかも明確に、及び個々に参照により示されるのと同程度に、参照により本明細書に組み込まれる。
【発明の概要】
【課題を解決するための手段】
【０００４】
発明の要旨
臨床サンプルを取得するための改善された方法は、分析のために臨床サンプルが提供され得る小売店の中の指定された場所を提供することを含む。実施形態では、臨床サンプルを取得するための改善された方法は、臨床サンプルを取得するために構成された、指定された場所である小売店の中の指定された場所を提供することを含み；及び被験者から臨床サンプルを取得することを含む。実施形態では、前記サンプルは、同じ場所で；又は隣接した場所で分析されることができるか；又は分析のために異なる場所に送付され得る。実施形態では、前記サンプルは、同じ場所で自動化された分析機器又はシステムにより分析され得るか；又は隣接した場所で；又は異なる場所で分析され得る。小売店の中の指定された場所は、サンプル収集室であり得る。
【０００５】
実施形態では、前記小売店の中の指定された場所は、前記小売店の中の他の場所から分離された部屋を含み；例えば、前記指定された場所は、前記小売店の他の領域から、ドアを持つ壁により分離されることができる一方で、被験者により、前記小売店の中からアクセス可能である。実施形態では、前記小売店の中の指定された場所は、前記小売店の他の領域に隣接する部屋を含む一方で、前記小売店の中の他の領域からは分離され；実施形態では、前記指定された場所は、被験者により前記小売店の外側からアクセス可能である。実施形態では、前記小売店の中の指定された場所は、前記小売店の中の他の領域からは分離された複数の部屋を含み；例えば、そのような部屋の少なくとも１つは、前記小売店（例えば、ドア又は入り口通路を介して）の外側から直接アクセス可能であるか、又はそのような部屋の少なくとも１つは前記小売店の他の領域に隣接することができ、及び前記小売店の外側からアクセス可能である。例えば、そのような部屋は、待合室、サンプル収集室、バスルーム、サンプル分析室、及び他の部屋を含み得る。実施形態では、１つの部屋が複数の機能を果たすことができ（例えば、バスルームが、尿又は糞便サンプルを採集するサンプル収集室として機能できるか；又はサンプル収集室が、サンプル分析機器又サンプル分析システムが、サンプルが採取される部屋の中に設置されるサンプル分析室として機能し得る）。
【０００６】
実施形態では、前記小売店の中の指定された場所は、前記店の背後に（即ち、主な公共の入り口から離れた場所、又は前記小売店への入り口）配置されることができる。実施形態では、前記小売店の中の指定された場所は、その店の入り口の付近（即ち、主な公共の入り口に近い場所、又は前記小売店への入り口）に配置され得る。実施形態では、前記小売店の中の指定された場所は、その店の側面部分に沿って、又はその付近に配置され得る（即ち、主な公共の入り口の右側、又は左側の場所に、又は前記小売店への入り口に）に配置され得る。実施形態では、前記小売店の中の指定された場所は、前記小売店の前面から離れた背面又は側面の店内に配置され得る。
【０００７】
実施形態では、前記小売店の中の指定された場所は、少なくとも２つの部屋を含む。実施形態では、前記小売店の中の指定された場所は、少なくとも２つの部屋を含み、少なくとも１つの部屋は待合室として機能し、及び少なくとも１つの部屋は、被験者からサンプルを取得するために構成され；実施形態では、前記被験者からサンプルを取得するために構成された少なくとも１つの部屋は、サンプルが取得される間に、被験者にプライバシーを提供するために構成される。実施形態では、少なくとも２つの部屋は、サンプル収集室（例えば、血液サンプル等のサンプルを取得するために構成された部屋）をバスルームに接続する壁面の開口部（例えば、通路）により接続され得る。実施形態では、少なくとも２つの部屋は、サンプルを取得するために構成された部屋を待合室として機能するために構成された部屋に接続する、壁面の開口部（例えば、通路）により接続され得る。実施形態では、少なくとも２つの部屋は、サンプルを取得するために構成された部屋をサンプル分析室として機能するために構成された部屋に接続する、壁面の開口部（例えば、通路）により接続され得る。実施形態では、そのような壁面の開口部又は通路は、開放構成及び閉鎖構成を有する、ドア又はハッチを有し得る。そのような壁面の開口部は、例えば、円形の形状、長方形の形状、又は正方形の形状を有し得る。そのような壁面の開口部は、例えば、壁面の開口部が、サンプルが患者からサンプル収集のための要員に渡されるために使われていない時には、閉鎖され得るドアを有することができる。そのようなドアは、例えば、スライディングドア（例えば、そこを通じて壁面の開口部が通過する壁の平面の中で実質的に開き及び閉じることができる）であり得るか、又はヒンジの付いたドアであり得る。
【０００８】
実施形態では、サンプル収集室は、サンプル分析機器を含むことができ；実施形態では、そのようなサンプル分析機器は、前記サンプル収集室において取得されたサンプルを分析するために構成され得る。実施形態では、サンプル収集室は、サンプル分析機器を収納する場所若しくは部屋に隣接するか、又は近傍にあることができ；例えばサンプル分析機器は、サンプル収集室に隣接する部屋の中に設置され得る。実施形態では、サンプル収集室は、前記サンプル収集室内で取得された約５００μＬ以下の容積を有する流体サンプルを分析するために構成されたサンプル分析機器を含み得る。実施形態では、サンプル収集室は、前記サンプル収集室で取得された、約５００μＬ以下の容積を有する流体サンプルを分析するために構成されたサンプル分析機器を収納する場所若しくは部屋に隣接するか、又は近傍にあることができる。
【０００９】
実施形態では、サンプル収集室は、単独のサンプル又は複数のサンプルを保持するために構成されたサンプル輸送容器を含み得る。実施形態では、サンプル収集室は、サンプル容器、又は複数のサンプル容器を保持するために構成されたサンプル輸送容器を含むことができ、前記サンプル容器は、約５００μＬ以下の容積を有する流体サンプルを保持するために構成される。実施形態では、サンプル輸送容器は１つ以上の前記サンプル容器の中にサンプルを含む、単独のサンプル容器、又は複数のサンプル容器を保持し得る。実施形態では、サンプル輸送容器は絶縁されることができ、このことは容器内の温度の変化の速度を減少させるために有効である。実施形態では、サンプル輸送容器は、冷蔵されることができ、このことは容器内及び前記容器中に保持されるサンプル内の所望の温度を維持するために有効である。
【００１０】
実施形態では、サンプル収集室は、遠心分離機を含み得る。実施形態では、遠心分離機は、前記サンプル収集室で採取された、少量のサンプル若しくは複数のサンプル、又は校正容器を受け取り、及び操作するために構成されることができる。実施形態では、サンプル収集室に含まれる遠心分離機は、テーブル、カウンタートップ、又は他の作業表面の上に配置され、及び使用されるために構成され得る。
【００１１】
実施形態では、サンプル収集室は、コンピュータ、コンピュータキーボード、マウス、モニター、又は他の計算装置及び周辺機器を含み得る。実施形態では、サンプル収集室は、スキャナー、リーダー、又はラベル又は他のコード（例えば、バーコード、ＱＲコード（登録商標）、セルフォン画像、磁気帯、無線周波数同定（ＲＦＩＤ）コード）を読み取るための他の機器を含み得る。実施形態では、サンプル収集室は、例えば、前記サンプル収集室において採取されたサンプルに貼付するためのラベル、タグ、サイン、又は他の識別子を調製するための機器を含み得る。
【００１２】
実施形態では、サンプル収集室は、冷蔵庫を含み得る。実施形態では、サンプル収集室は２つの冷蔵庫を含み得るか、又は複数の冷蔵庫を含み得る。実施形態では、冷蔵庫はサンプルの保存のために用いられることができ；そのような冷蔵庫は、“バイオハザード”冷蔵庫に指定され得る。実施形態では、冷蔵庫は、サンプル収集又はサンプル分析において使用する食物、飲料、試薬、容器、及び消耗品を保存するために用いられ得る。実施形態では、食物、飲料、試薬、容器、及び消耗品の保存のために用いられる冷蔵庫は、“クリーンな”冷蔵庫に指定され得る。
【００１３】
実施形態では、サンプル収集室は、例えば、血液サンプル、喉の拭い取り、鼻腔の拭い取り、頬の裏側の拭い取り、唾液サンプル、涙液サンプル、又は他のサンプル等のサンプルを被験者からサンプルを採集する間に使用されるために構成された家具を含み得る。例えば、サンプル収集室は、サンプルが採集される間に被験者により使用される椅子を含み得る。実施形態では、そのような椅子は、正立の構成（被験者が背部が実質的に垂直な配向を持つ、正常な位置を取る椅子に着席される）、及びレクライニング構成（被験者が椅子に着席した時に背後に向かって傾斜される）の少なくとも２つの構成を有する、リクライニングチェアーである。実施形態では、そのようなリクライニングチェアーは、リクライニング構成にあるときに、レッグ・レスト、又はフット・レスト、又は両方を提供する。実施形態では、そのようなリクライニングチェアーは、正立構成にあるときには被験者にレッグ・レスト、又はフット・レストを提供しない。
【００１４】
実施形態では、サンプル収集室は、技術者（例えば、採血技術者）により、被験者からサンプルを収集する間に使用される、；サンプルを分析、保存、又は輸送のために処理する間に使用される；又はサンプル収集、処理、分析、又は他の業務の間に使用される椅子を含むことができる。実施形態では、サンプル収集室において、技術者により用いられる椅子はスツールであってよく；実施形態では、そのようなスツールは、サンプル収集の間に被験者の隣の技術者が位置決めをすることを支援するために構成された低いスツールであることができる。実施形態では、サンプル収集室において技術者により使用される椅子（例えば、スツール）は、車輪及び背部を有し、調整可能であることができ（例えば、椅子のシートの高さが調整可能である）；及び白又は他の中間色に彩色され得る。
【００１５】
実施形態では、分析の結果は、短時間の期間内に入手可能である。実施形態では、臨床医は、分析の結果を前記サンプルが取得された後に、短時間の期間内に受け取る。実施形態では、前記被験者は、分析の結果を前記サンプルが取得された後に、短時間の期間内に受け取る。
【００１６】
実施形態では、前記臨床サンプルは小量の臨床サンプルであり得る。実施形態では、小量の臨床サンプルは、末梢血液サンプルであり得るか；又は静脈血液サンプルであり得るか；又は動脈血液サンプルであり得るか；又は拭い取りから得られたサンプルであり得る（例えば、頬の裏側の拭い取り、喉の拭い取り、鼻腔の拭い取り、膣の拭い取り、子宮頚部拭い取り、又は他の拭い取りサンプル）。実施形態では、前記臨床サンプルは、迅速な分析のために提供され得る。実施形態では、小量の臨床サンプルは、迅速な分析のために提供され得る。実施形態では、前記臨床サンプルは、前記小売店の中の指定された場所での分析、又は前記小売店の中の指定された場所に隣接した場所における分析、又は前記小売店の中の指定された場所に近接した場所での分析のために提供されることができ；そのような臨床サンプルは小量の臨床サンプルであり得る。実施形態では、前記臨床サンプルは、前記小売店の中の指定された場所において、又は前記小売店の中の指定された場所に隣接した場所において、又は前記小売店の中の指定された場所に近接した場所において分析されることができ；そのような分析は迅速な分析であり得る。
【００１７】
本発明の出願人は、小売店の中にサンプル収集室を提供すること；及び被験者からサンプルを取得することを含む、被験者からサンプルを取得する方法を開示する。本発明の出願人は、小売店の中にサンプル収集室を提供すること；前記被験者の指先、又は指、又は手、又はかかと、又は足指の先、又は足指を温めること；被験者からサンプルを取得すること；及び前記サンプルを取得することを含む、被験者からサンプルを取得する方法を開示する。本発明の出願人は、小売店の中にサンプル収集室を提供することであって、前記サンプル収集室は加温用テーブルを含み；前記被験者の指先、又は指、又は手、又はかかと、又は足指の先、又は足指を温めること；及び前記被験者からサンプルを取得することを含む、被験者からサンプルを取得する方法を開示する。本発明の出願人は、小売店の中にサンプル収集室を提供することであって、前記サンプル収集室は椅子を含み、
；前記被験者の指先、又は指、又は手、又はかかと、又は足指の先、又は足指を温めること；及び前記被験者からサンプルを取得することを含む、被験者からサンプルを取得する方法を開示する。本発明の出願人は、小売店の中にサンプル収集室を提供することであって、前記サンプル収集室は、温めるためのプレート又は他の加温素子を有する椅子を含み；前記被験者の指先、又は指、又は手、又はかかと、又は足指の先、又は足指を温めること；及び前記被験者からサンプルを取得することを含む被験者からサンプルを取得する方法、を開示する。本発明の出願人は、小売店の中にサンプル収集室を提供することであって、前記サンプル収集室は空気加温器を含み；前記被験者の指先、又は指、又は手、又はかかと、又は足指の先、又は足指を温めること；及び前記被験者からサンプルを取得することを含む被験者からサンプルを取得する方法を開示する。本発明の出願人は、前述の任意の方法を含み、及び前記被験者に指玩具を提供すること、又は指玩具を被験者の指に配置した後に前記被験者からサンプルを取得することを含む、被験者からサンプルを取得する方法を開示する。被験者の指先、又は指、又は手、又はかかと、又は足指の先、又は足指を温めるステップは、加温用テーブル、又は加温用プレート、又は空気加温器、又は他の加温用機器、又はそれらの組み合わせの使用による加温を含み得ることが理解されるであろう。前述の方法が一緒に使われることができ、及び任意の組み合わせにおいて使用され得ることが理解されるであろう。
【００１８】
本発明の出願人はサンプル収集システムを開示する。実施形態では、被験者からサンプルを取得するためのサンプル収集システムは、小売店の中のサンプル収集室を含み、前記サンプル収集室は、椅子、テーブル、又はカウンター上に加温用表面を含み、及び指加温器；指先加温器；指玩具；空気加温器；水の特徴；及び落ち着かせるための特徴の１つ以上を含む。実施形態では、加温用表面は、加温用テーブル、加温用プレート、加温用カウンター、加温用椅子、又は座るための他の加温用素子を含む家具の表面の１つ以上を含むことができ、そのような加温用表面は、温度、被験者からの高さ、配向、距離、及び被験者の四肢、手、又は足を支持するために構成されたレストの存在又は高さの１つ以上を調整するために構成される。実施形態では、本明細書において開示される特徴を有するサンプル収集システムは、前記サンプル収集室に隣接したバスルームを提供すること；及び前記サンプル収集室を前記バスルームに接続する壁面の開口部を提供すること更に含むことができ、前記壁面の開口部は、前記バスルームから前記サンプル収集室へのサンプルの移動を可能にするために構成される。実施形態では、本明細書において開示される特徴を有するサンプル収集システムは、サンプル分析機器；又はサンプル輸送容器；又はサンプル分析機器及びサンプル輸送容器の両方を、更に含み得る。実施形態では、サンプル輸送容器は、約５００μＬ以下の容積を有する流体サンプルを保持するために構成された複数のサンプル容器を保持するために構成され得る。
【００１９】
本発明の出願人はサンプル分析システムを開示する。実施形態では、被験者からサンプルを取得するためのサンプル収集システムは、小売店の中のサンプル収集室を含む被験者からのサンプルを分析するためのサンプル分析システムを含み、前記サンプル収集室は、前記サンプル収集室で取得された約５００μＬ以下の容積を有する流体サンプルを分析するために構成されたサンプル分析機器、椅子、テーブル、又はカウンター上の加温用表面、及び指加温器；指先加温器；指玩具；空気加温器；水の特徴；及び落ち着かせるための特徴の１つ以上を含む。実施形態では、加温用表面は、加温用テーブル、加温用プレート、加温用カウンター、加温用椅子、又は加温用素子を含む他の座るための家具の表面の１つ以上を含みの１つ以上の表面を含むことができ、そのような加温用表面は、そのような加温用表面は、温度、被験者からの高さ、配向、距離、及び被験者の四肢、手、又は足を支持するために構成されたレストの存在又は高さの１つ以上を調整するために構成される。実施形態では、本明細書において開示される特徴を有する、サンプル分析システムは、前記サンプル収集室に隣接したバスルームを提供すること；及び前記サンプル収集室を前記バスルームに接続する壁面の開口部を提供すること更に含むことができ、前記壁面の開口部は、前記バスルームから前記サンプル収集室へのサンプルの移動を可能にするために構成される。
【００２０】
本明細書において開示される前記サンプル収集システム及び前記サンプル分析システムの実施形態では、前記サンプルは、約５００μＬ未満の、約２５０μＬ未満の、約１５０μＬ未満の、約１００μＬ未満の、約５０μＬ未満の、約２５μＬ未満の、約１０μＬ未満の、約５μＬ未満の、約１μＬ未満の容積の群から選ばれる容積を有する、血液又は尿サンプルである。
【００２１】
本発明の出願人は、加温用機器を開示する。実施形態では、本発明の出願人は、加温用表面を有する加温用機器を開示し、前記加温用表面は、加温用テーブル、加温用プレート、加温用カウンター、加温用椅子、又は加温用素子を含む他の座るための家具の表面の１つ以上を含み、前記加温用表面は、温度、被験者からの高さ、配向、距離、及び被験者の四肢、手、又は足を支持するために構成されたレストの存在又は高さの１つ以上を調整するために構成される。実施形態では、本明細書において開示される加温用機器は、被験者の体の少なくとも一部分を温めるために構成され、前記被験者からの血液サンプルの採集に有効である。実施形態では、温められることができる、前記被験者の体の少なくとも一部分は、被験者の指先、指、及び手から選ばれる。実施形態では、被験者の体の少なくとも一部分の加温によって、被験者から採集される血液サンプルは、約５００μＬ以下の容積を有し得る。
【００２２】
本発明の出願人は、被験者からサンプルを取得するための方法を開示する。実施形態では、身体を有する被験者からサンプルを取得する方法は、小売店内に請求項１に記載のサンプル収集システムを提供することを含み、前記サンプル収集システムはサンプル収集室を含み；及び前記サンプル収集室において、前記被験者からサンプルを取得することを含む。実施形態では、本明細書において開示される被験者からサンプルを取得するための方法は、前記被験者の体の少なくとも一部分を加温することを含み、前記被験者の体の少なくとも一部分の加温は、加温用表面により加温することを含み、前記加温用表面は、加温用テーブル、加温用プレート、加温用カウンター、加温用椅子、又は加温用素子を含む他の座るための家具の表面を含み、そのような加温用表面は、温度、被験者からの高さ、配向、距離、及び被験者の四肢、手、又は足を支持するために構成されたレストの存在又は高さの１つ以上を調整するために構成される。実施形態では、被験者からサンプルを取得する方法は、前記サンプル収集室に隣接したバスルームを提供すること；及び前記サンプル収集室を前記バスルームに接続する壁面の開口部を提供することを更に含むことができ、前記壁面の開口部は、前記バスルームから前記サンプル収集室へのサンプルの移動を可能にするために構成される。実施形態では、被験者からサンプルを取得する方法は：前記サンプル収集室にリクライニングチェアーを提供することであって、前記リクライニングチェアーは、被験者をサンプルが効果的に得られるために位置決めするために構成され；前記サンプル収集室内に流水を提供すること；調整可能な照明を前記サンプル収集室内に提供すること；前記サンプル収集室に落ち着かせる画像を提供すること；前記サンプル収集室に落ち着かせる音楽を提供すること；及び前記サンプル収集室に落ち着かせる香りを提供することの１つ以上を更に含み得る。本明細書において開示されるサンプルを取得するための方法の実施形態では、前記サンプルは、約５００μＬ未満の、約２５０μＬ未満の、約１５０μＬ未満の、約１００μＬ未満の、約５０μＬ未満の、約２５μＬ未満の、約１０μＬ未満の、約５μＬ未満の、約１μＬ未満の容積の群から選ばれる容積を有する、血液又は尿サンプルである。本明細書において開示されるサンプルを取得するための方法の実施形態では、前記サンプルは、短時間の期間内に分析され、前記短時間の期間は、約５時間未満、又は約４時間未満、又は約３時間未満、又は約２時間未満、又は約１時間未満、又は約半時間未満から選ばれる。
【００２３】
本発明の出願人は被験者からのサンプルを分析するための方法を開示する。実施形態では、身体を有する被験者から取得されたサンプルを分析するための方法は、以下を含む：小売店内に請求項６に記載のサンプル分析システムを提供することであって、前記サンプル分析システムはサンプル収集室を含み；前記サンプル収集室において、サンプルを前記被験者の身体から取得すること；及び前記サンプルを、前記小売店において、又はそれに隣接する場所において分析すること。実施形態では、被験者からのサンプルを分析するための方法は、前記サンプルを取得した後に、短時間の期間内に、前記サンプルを、前記小売店において、又はそれに隣接する場所において分析することを更に含み得る。実施形態では、被験者からのサンプルを分析するための方法は、前記サンプルを分析の場所に輸送すること；及び前記サンプルを、前記分析の場所において、前記サンプルを取得した後に、短時間の期間内に分析することを更に含み得る。実施形態では、被験者からのサンプルを分析するための方法は、前記被験者の身体の少なくとも一部分を加温することを更に含むことができ、前記被験者の身体の少なくとも一部分を加温することは、加温用表面により加温することを含み、前記加温用表面は、加温用テーブル、加温用プレート、加温用カウンター、加温用椅子、又は加温用素子を含む他の座るための家具の表面を含み、前記加温用表面は、温度、被験者からの高さ、配向、距離、及び被験者の四肢、手、又は足を支持するために構成されたレストの存在又は高さの１つ以上を調整するために構成される。実施形態では、被験者からのサンプルを分析するための方法は、前記サンプル収集室に隣接したバスルームを提供すること；及び前記サンプル収集室を前記バスルームに接続する壁面の開口部を提供すること更に含むことができ、前記壁面の開口部は、前記バスルームから前記サンプル収集室へのサンプルの移動を可能にするために構成される。実施形態では、被験者からのサンプルを分析するための方法は、以下の１つ以上を含み得る：前記サンプル収集室に加温用テーブルを提供すること；加温用プレートを前記サンプル収集室内に提供すること；指先加温器を前記サンプル収集室内に提供すること；指玩具を前記サンプル収集室内に提供すること；空気加温器を前記サンプル収集室内に提供すること；椅子又は他の座るための家具を、前記サンプル収集室内に提供することであって、前記椅子又は他の座るための家具は加温用プレート又は他の加温要素を含み；リクライニングチェアーを前記サンプル収集室内に提供することであって、、前記リクライニングチェアーは、被験者をサンプルの取得に効果的な位置決めをするために構成され；リクライニングチェアーを前記サンプル収集室内に提供することであって、前記リクライニングチェアーは、加温用プレート又は他の加温要素を含み、前記リクライニングチェアーは、被験者の身体の少なくとも一部分を加温するために構成され、及び被験者をサンプルの取得に効果的な位置決めをするために構成され；調整可能な照明を前記サンプル収集室内に提供すること；及び落ち着かせるための特徴を、前記サンプル収集室内に提供させることであって、前記落ち着かせるための特徴は、流れる水、花、植物、落ち着かせる香り、落ち着かせる音、落ち着かせる画像、及び落ち着かせる色から成る落ち着かせる特徴の群から選ばれる。実施形態では、被験者からのサンプルを分析するための方法は、以下の１つ以上を更に含み得る：リクライニングチェアーを前記サンプル収集室内に提供することであって、前記リクライニングチェアーは、被験者をサンプルの取得に効果的な位置決めをするために構成され；前記サンプル収集室に流れる水を提供すること；調整可能な照明を前記サンプル収集室内に提供すること；落ち着かせる画像を前記サンプル収集室内に提供すること；落ち着かせる音を前記サンプル収集室内に提供すること；及び落ち着かせる香りを前記サンプル収集室内に提供すること。本明細書において開示されるサンプルを分析するための方法の実施形態では、前記サンプルは、約５００μＬ未満の、約２５０μＬ未満の、約１５０μＬ未満の、約１００μＬ未満の、約５０μＬ未満の、約２５μＬ未満の、約１０μＬ未満の、約５μＬ未満の、約１μＬ未満の容積の群から選ばれる容積を有する、血液又は尿サンプルである。本明細書において開示される、サンプルを分析するための方法の実施形態では、前記サンプルは短時間の期間内に分析され、前記短時間の期間は、約５時間未満、又は約４時間未満、又は約３時間未満、又は約２時間未満、又は約１時間未満、又は約半時間未満から選ばれる。
【００２４】
実施形態では、前記サンプルは小量のサンプルである。例えば、実施形態では、前記サンプルは血液、又は尿、又は唾液、又は涙液、又は糞便、又は他の分泌物又は排泄物の小量の容積のサンプルである。被験者からサンプルを取得する方法の実施形態では、前記サンプルは、指先穿刺から取得される。実施形態では、前記サンプルは、前記被験者の皮膚の（指先穿刺）小さなランセットによる穿刺から得られる、小量のサンプルである。例えば、実施形態では、前記サンプルは、指先穿刺から得られる、血液の数滴、又は２滴、又は１滴を含む。例えば、実施形態では、前記サンプルは、約２００μＬ未満の、約１５０μＬ未満の、約１００μＬ未満の、約７５μＬ未満の、約５０μＬ未満の、約２５μＬ未満の、又はそれより少ない容積を有する小量のサンプルである。
【００２５】
本発明の出願人は、小売店の中にサンプル収集室を提供すること；被験者からサンプルを取得すること；及び前記サンプルを分析することを含む、被験者から取得されたサンプルを分析するための方法を開示する。本発明の出願人は、小売店の中にサンプル収集室を提供すること；前記被験者の指先、又は指、又は手、又はかかと、又は足指の先、又は足指を温めること；被験者からサンプルを取得すること；及び前記サンプルを分析することを含む、被験者から取得されたサンプルを分析するための方法を開示する。本発明の出願人は、小売店の中にサンプル収集室を提供することであって、前記サンプル収集室温めるためのテーブルを含み；前記被験者の指先、又は指、又は手、又はかかと、又は足指の先、又は足指を温めること；被験者からサンプルを取得すること；及び前記サンプルを分析することを含む、被験者から取得されたサンプルを分析するための方法を開示する。本発明の出願人は、小売店の中にサンプル収集室を提供することであって、前記サンプル収集室は椅子を含み；前記被験者の指先、又は指、又は手、又はかかと、又は足指の先、又は足指を温めること；被験者からサンプルを取得すること；及び前記サンプルを分析することを含む、被験者から取得されたサンプルを分析するための方法を開示する。本発明の出願人は、被験者から取得されたサンプルを分析するための方法、小売店の中にサンプル収集室を提供することであって、前記サンプル収集室は、加温用プレート又は他の加温用素子を有する椅子を含み；前記被験者の指先、又は指、又は手、又はかかと、又は足指の先、又は足指を温めること；被験者からサンプルを取得すること；及び前記サンプルを分析することを含む、被験者から取得されたサンプルを分析するための方法を開示する。本発明の出願人は、小売店の中にサンプル収集室を提供することであって、前記サンプル収集室は空気加温器を含み；前記被験者の指先、又は指、又は手、又はかかと、又は足指の先、又は足指を温めること；被験者からサンプルを取得すること；及び前記サンプルを分析することを含む、被験者から取得されたサンプルを分析するための方法を開示する。本発明の出願人は、前述の任意の方法を含み、及び前記被験者に指玩具を提供すること、又は被験者の指に指玩具を配置した後に、前記被験者からサンプルを取得することを含む、被験者から取得されたサンプルを分析するための方法を開示する。被験者の指先、又は指、又は手、又はかかと、又は足指の先、又は足指を温めるステップは、加温用テーブル、又は加温用プレート、又は空気加温器、又は他の加温用機器、又はそれらの組み合わせの使用による加温を含み得ることが理解されるであろう。前述の方法が一緒に使われることができ、及び任意の組み合わせにおいて使用され得ることが理解されるであろう。
【００２６】
実施形態では、前記サンプルは、前記小売店の中のサンプル収集室において、その場所に隣接した場所において、又はその近傍の場所において分析される。実施形態では、前記サンプルは、前記小売店以外の場所において分析される。被験者から取得されたサンプルを分析するための方法の、実施形態では、前記サンプルは小量のサンプルである。例えば、実施形態では、前記サンプルは指先穿刺から取得される。例えば、実施形態では、前記サンプルは、小さなランセットによる被験者の皮膚の穿刺から得られる、血液の数滴、又は２滴、又は１滴を含む。実施形態では、前記サンプルは小量のサンプルである。例えば、実施形態では、前記サンプルは血液、又は尿、又は唾液、又は涙液、又は糞便、又は他の分泌物又は排泄物の小量の容積のサンプルである。例えば、実施形態では、前記サンプルは、約２００μＬ未満の、約１５０μＬ未満の、約１００μＬ未満の、約７５μＬ未満の、約５０μＬ未満の、約２５μＬ未満の、又はそれより少ない容積を有する小量のサンプルである。
【００２７】
従って、本発明の出願人は以下を含む被験者からサンプルを取得し、及び分析する方法を開示する：小売店の中にサンプル収集室を提供すること；前記サンプル収集室において被験者からサンプルを取得すること；及び前記サンプルを分析すること。本発明の出願人は以下を含む被験者からサンプルを取得し、及び分析する方法を開示する：小売店の中にサンプル収集室を提供すること；前記サンプル収集室において、少量のサンプルを被験者から収集すること；及び前記少量のサンプルを分析すること。本発明の出願人は以下を含む被験者からサンプルを取得し、及び分析する方法を開示する：小売店の中にサンプル収集室を提供すること；前記サンプル収集室において被験者からサンプルを取得すること；及び前記サンプルを、前記小売店の場所において、又は前記小売店に隣接した場所において分析すること。
【００２８】
実施形態では、サンプル収集室は、例えば、被験者からのサンプルの収集の間に被験者により使用される快適な椅子又は被験者にとっての座る場所を含み得る。実施形態では、快適な椅子は、正立構成及びリクラインされた構成を有する、リクライニングチェアーであり得る。実施形態では、快適な椅子は、正立構成及び複数のリクラインされた構成を有する、リクライニングチェアーであり得る。実施形態では、サンプル収集室は、冷蔵庫、キャビネット、流し、保存ユニット、作業表面（サンプル収集、記入、又は他の目的のために構成され得る）、及び他の家具及び建築的要素を含み得る。実施形態では、サンプル収集室は、遠心分離機を含み得る。実施形態では、サンプル収集室は、例えば、落ち着かせる画像（静止画像及びビデオ画像を含む）；落ち着かせる音及び音楽を提供するための音のシステム；被験者を落ち着かせるために構成された照明（例えば、ソフトな、白色照明）；流れる水；花を含む植物；及び本明細書において開示他の落ち着かせる特徴等の１つ以上の落ち着かせる特徴を含み得る。
【００２９】
実施形態では、本明細書において開示されるサンプル収集室はサンプル分析機器又はシステムを含むことができ；そのようなサンプル分析機器又はシステム、自動化されたサンプル分析機器又はシステムであるか、又は半自動化されたサンプル分析機器又はシステムであることができる。実施形態では、サンプル収集室は、コンピュータ、コンピュータ・アクセサリー、通信装置及びコンピュータ、セルフォン、又はＷｉＦｉ、インターネット、ケーブル、又は他の接続を持った他の機器と効果的にリンクする能力を含み得る。実施形態では、サンプル収集室は、スキャナー、ラベル・プリンター、及び他の自動化された読み取り及び印刷装置を含み得る。
【００３０】
従って、本発明の出願人は、小売店の場所の中に部屋を含み、前記部屋は血液サンプル等の臨床サンプルを収集するために構成されたシステムを、本明細書において開示する。実施形態では、そのようなシステムは、小売店の場所の中に部屋を含み、前記部屋は、血液サンプル等の臨床サンプルを取得するために構成され、前記部屋は加温用テーブル、落ち着かせるための特徴、椅子、隣接するバスルームへの壁の開口部、調整可能な照明、落ち着かせる香り、及び落ち着かせる音を提供する音源の１つ以上を含む。実施形態では、前記椅子は、リクライニングチェアーである。実施形態では、前記システムは、隣接するバスルームを含む。
【００３１】
実施形態では、前記サンプル収集室は、待合室及びサンプル収集室を含む、サンプル収集センター、又はウエルネス・センターの一部であり得る。実施形態では、サンプル収集室、又はウエルネス・センターは、待合室、サンプル収集室、及びバスルームを含み得る。実施形態では、サンプル収集室、又はウエルネス・センターの一部である、バスルームは、流し（例えば、手洗いのための）及びトイレットを含み得る。実施形態では、バスルーム及びサンプル収集室は、サンプルをバスルームから前記サンプル収集室へ手渡すために構成された通路を介して接続され得る。
【００３２】
従って、本発明の出願人は、少なくとも以下のものを含む、サンプルを取得するためのシステム、及びサンプルを分析するためのシステムの実施形態を開示する。
【００３３】
加温用テーブル、落ち着かせるための特徴、及び椅子を含む、血液サンプルを取得するために構成された小売りの場所の中の部屋であって、前記部屋は血液サンプル等の臨床サンプルを取得するために構成される部屋。実施形態では、前記椅子はリクライニングチェアーである。
【００３４】
加温用テーブル、落ち着かせるための特徴、隣接するバスルームへの壁面の開口部、及びリクライニングチェアーを含む、血液サンプルを取得するために構成された小売りの場所の中の部屋。
【００３５】
加温用テーブル、落ち着かせるための特徴、調整可能な照明、隣接するバスルームへの壁面の開口部、及びリクライニングチェアーを含む、血液サンプルを取得するために構成された小売りの場所の中の部屋。
【００３６】
加温用テーブル、落ち着かせるための特徴、調整可能な照明、落ち着かせる香り、隣接するバスルームへの壁面の開口部、及びリクライニングチェアーを含む、血液サンプルを取得するために構成された小売りの場所の中の部屋。
【００３７】
加温用テーブル、落ち着かせるための特徴、落ち着かせる画像、落ち着かせる音、調整可能な照明、落ち着かせる香り、隣接するバスルームへの壁面の開口部、及びリクライニングチェアーを含む、血液サンプルを取得するために構成された小売りの場所の中の部屋。
【００３８】
加温用テーブル、落ち着かせるための特徴、落ち着かせる画像、落ち着かせる音、落ち着かせる色ｓ、調整可能な照明、落ち着かせる香り、隣接するバスルームへの壁面の開口部、及びリクライニングチェアーを含む、血液サンプルを取得するために構成された小売りの場所の中の部屋。
【００３９】
本発明の出願人は、以下の方法を含む、サンプルを取得するためのシステム、及びサンプルを分析するためのシステムの実施形態を開示する。
【００４０】
身体の部分を有する被験者からサンプルを取得する方法であって、以下を含む方法：小売店の中にサンプル収集室を提供すること；及び前記被験者の身体の部分からサンプルを取得することであって、前記取得することは、前記サンプル収集室で遂行される。
【００４１】
身体の部分を有する被験者からサンプルを取得する方法であって、以下を含む方法：小売店の中にサンプル収集室を提供すること；前記サンプル収集室において、前記被験者の体の部分からサンプルを取得すること；及び前記サンプルを前記小売店において、又はそれに隣接する場所で分析すること。
【００４２】
身体の部分を有する被験者からサンプルを取得する方法であって、以下を含む方法：小売店の中にサンプル収集室を提供すること；前記サンプル収集室において、前記被験者の体の部分からサンプルを取得すること；及び前記サンプルを取得した後に短時間の期間内に、前記サンプルを前記小売店において、又はそれに隣接する場所で分析すること。
【００４３】
身体の部分を有する被験者からサンプルを取得する方法であって、以下を含む方法：小売店の中にサンプル収集室を提供すること；前記サンプル収集室において、前記被験者の体の部分からサンプルを取得すること；前記サンプルを分析の場所に輸送すること；及び前記サンプルを取得してから短時間の期間内に、前記サンプルを前記分析の場所で分析すること。実施形態では、前記サンプルを取得することは、前記被験者の身体の部分を加温することを含む。実施形態では、身体の部分を加温することは、加温用テーブルにより加温することを含む。実施形態では、身体の部分を加温することは、加温用プレートにより加温することを含む。実施形態では、身体の部分を加温することは、空気加温器により加温することを含む。実施形態では、前記身体の部分は、指先、指、複数の指、手、又は他の身体の一部又は身体の複数の部分を含む。
【００４４】
前述の方法の実施形態では、前記方法は、身体の部分を加温することを含むことができ；例えば、前記身体の部分は、前記身体の部分からサンプルを取得する前に加温され得る。実施形態では、身体の部分の加温は加温用テーブルにより加温することを含む。実施形態では、身体の部分を加温することは、加温用プレートにより加温することを含む。実施形態では、身体の部分の加温は、指加温器により加温することを含む。実施形態では、身体の部分の加温は、指先加温器により加温することを含む。実施形態では、身体の部分を加温することは、空気加温器により加温することを含む。実施形態では、前記身体の部分は、指先、指、複数の指、手、又は他の身体の一部又は身体の複数の部分を含む。
【００４５】
実施形態では、サンプルを分析するための方法は、検体の存在について、前記サンプルを分析することを含む。実施形態では、サンプルを分析するための方法は、複数の検体の存在について、前記サンプルを分析することを含む。実施形態では、サンプルを分析するための方法は、複数の検体の存在について、前記サンプルを分析することを含み、前記複数の検体は、核酸検体、ペプチド（又はポリペプチド）検体、無機検体、細胞又は細胞型、及び他の検体の２つ以上を含む。実施形態では、サンプルを分析するための方法は、複数の検体の存在について、前記サンプルを分析することを含み、前記複数の検体は、核酸ハイブリダイゼーション方法、抗体結合方法、一般化学方法、血球計算方法、イオン選択性電極方法、及び他の方法の２つ以上を含む方法により検出される。
【００４６】
実施形態では、サンプルを分析するための方法は、自動化された分析機器による、又は半自動化された分析機器による、又はそのような機器を含むシステムによるサンプルの分析を含む。実施形態では、サンプルを分析するための方法は、前記サンプル収集センターの、例えば、前記サンプル収集室において、又は前記サンプル収集室に隣接する部屋において、又は前記サンプル収集室の付近の部屋においてサンプルを分析することを含む。実施形態では、サンプルを分析するための方法は、前記サンプルを短時間の期間で分析することを含む。実施形態では、サンプルを分析するための方法は、小量の容積のサンプルを分析することを含む。実施形態では、サンプルを分析するための方法は、小量の容積のサンプルを短時間の期間で分析することを含む。
【００４７】
実施形態では、サンプルを収集するための方法は、収集後にサンプルを遠心分離することを含み；実施形態では、前記サンプルは、小量の容積のサンプルを含む。実施形態では、サンプルを収集するための方法はサンプル収集後に短時間の期間内にサンプルを遠心分離することを含み；実施形態では、前記サンプルは小量の容積のサンプルを含む。実施形態では、サンプルを分析するための方法は、サンプルを遠心分離することを含み；実施形態では、前記サンプルは小量の容積のサンプルを含む。実施形態では、サンプルを分析するための方法は、小量の容積のサンプルを、サンプルの収集に続いて短時間の期間内に遠心分離して、及び分析することを含む。
【００４８】
実施形態では、これらの方法は、前記サンプル収集室に隣接するバスルームを提供すること；及び前記サンプル収集室を前記バスルームに接続する壁面の開口部を提供することを更に含み、前記壁面の開口部は、前記バスルームから前記サンプル収集室へのサンプルの移転を可能にするために構成される。実施形態では、前記サンプルは尿サンプルを含む。実施形態では、前記サンプルは、糞便サンプルを含む。実施形態では、前記サンプルは拭い取りを用いて取得されたサンプルを含む。実施形態では、拭い取りを用いて取得されたサンプルは、喉の拭い取り、頬の裏側の拭い取り、鼻腔の拭い取り、膣の拭い取り、又は他の拭い取りを含み得る。
【００４９】
実施形態では、これらの方法は、以下の１つ以上を更に含み得る：前記リクライニングチェアーをサンプル収集室内に提供することであって、前記リクライニングチェアーは、サンプルを取得するために有効に被験者を位置付けるために構成され；リクライニングチェアーを前記サンプル収集室内に提供することであって、前記リクライニングチェアーは、加温用プレート又は他の加温用素子を有し、及びサンプルを取得するために有効に被験者を位置付けるために構成され；加温用テーブルを前記サンプル収集室内に提供することであって、前記加温用テーブルは、身体の一部分（例えば、指先、指、指、又は手）を温めるために有効であり；加温用プレートを前記サンプル収集室内に提供することであって、前記加温用プレートは、身体の部分（例えば、指先、指、指、又は手）を温めるために有効であり；空気加温器を前記サンプル収集室内に提供することであって、前記空気加温器は身体の部分（例えば、指先、指、指、又は手）を温めるために有効であり；及び落ち着かせるための特徴を前記サンプル収集室内に提供すること。実施形態では、前記落ち着かせるための特徴は、流れる水、花、植物、落ち着かせる香り、落ち着かせる音、落ち着かせる画像、及び落ち着かせる色より成る落ち着かせる特徴の群から選ばれ得る。
【００５０】
実施形態では、これらの方法は、以下を更に含み得る：リクライニングチェアーを前記サンプル収集室内に提供することであって、前記リクライニングチェアーはサンプルを取得するために有効に被験者を位置付けるために構成され；流れる水を前記サンプル収集室内に提供すること；調整可能な照明を前記サンプル収集室内に提供すること；落ち着かせる音を前記サンプル収集室内に提供すること；及び落ち着かせる香りを前記サンプル収集室内に提供すること。実施形態では、これらの方法は、落ち着かせる画像を前記サンプル収集室内に提供することを更に含み得る。
【００５１】
実施形態では、これらの方法は、サンプル収集の間に技術者により使用されるために適した移動可能な椅子又はスツールを提供することを更に含むことができ；サンプル収集の前、間、又は後に使用するための冷蔵庫を提供することを更に含むことができ；バーコード又はラベルリーダーを提供することを更に含むことができ；バーコード又はラベル・プリンター提供することを更に含むことができ；コンピュータ提供することを更に含むことができ、及びコンピュータ周辺機器を提供することを含むことができ；保存スペースを提供することを含むことができ；及び他の家具、機器、物質、及び用具を提供することを含むことができる。
【００５２】
本発明の出願人は以下を含むシステムを更に提供する。
【００５３】
被験者からサンプルを取得するためのシステムであって、小売店の中のサンプル収集室を含み、前記サンプル収集室は温めるためのテーブルを含む、システム。被験者からサンプルを取得するためのシステムであって、小売店の中のサンプル収集室を含み、前記サンプル収集室は、加温用プレートを含むシステム。被験者からサンプルを取得するためのシステムであって、小売店の中のサンプル収集室を含み、前記サンプル収集室は、椅子、長椅子、ベンチ、又は座るための他の家具の一点を含み、前記椅子、長椅子、ベンチ、又は他の家具の一点は、前記椅子、長椅子、ベンチ、又は他の家具の一点のひじ掛けの中に加温用プレート又は加温用素子を有するシステム。被験者からサンプルを取得するためのシステムであって、小売店の中のサンプル収集室を含み、前記サンプル収集室は指加温器を含むシステム。被験者からサンプルを取得するためのシステムであって、小売店の中のサンプル収集室を含み、前記サンプル収集室は、指先加温器を含むシステム。被験者からサンプルを取得するためのシステムであって、小売店の中のサンプル収集室を含み、前記サンプル収集室は空気加温器を含むシステム。
【００５４】
被験者からサンプルを取得するためのシステムであって、小売店の中のサンプル収集室を含み、前記サンプル収集室は温めるためのテーブルを含み；リクライニングチェアー（又は座るための他の家具の一点）はサンプルを取得するために有効に被験者を位置付けるために構成され；及び落ち着かせるための特徴を含むシステム。実施形態では、加温用テーブルは、温度、高さ、縦方向の配向、横方向の配向、被験者からの距離、及びレストの存在又は高さの１つ以上を調整するために構成され得る。実施形態では、椅子（又は座るための他の家具の一点）は、加温用プレート又は加温用素子をひじ掛けの中に含み得る。実施形態では、落ち着かせるための特徴は、流れる水、花、植物、落ち着かせる香り、落ち着かせる音、落ち着かせる画像、及び落ち着かせる色より成る落ち着かせる特徴の群から選ばれ得る。
【００５５】
実施形態では、被験者からサンプルを取得するためのシステムは、小売店の中のサンプル収集室を含み、前記サンプル収集室は、複数のサンプル容器を保持するために構成されたサンプル輸送容器を含み、前記サンプル容器は約５００μＬ以下の容積を有する流体サンプルを保持するために構成され、及び加温用テーブル、加温用プレート、加温用プレート、指加温器、指先加温器、及び空気加温器を含む椅子又は他の座るための家具の１つ以上を含む。実施形態では、被験者からのサンプルを分析するためのシステムは、小売店の中のサンプル収集室を含み、前記サンプル収集室は、前記サンプル収集室において取得された約５００μＬ以下の容積を有する流体サンプルを分析するために構成されたサンプル分析機器を含み、並びに：加温用テーブル；サンプルを取得するために有効に被験者を位置付けるために構成されたリクライニングチェアー；及び落ち着かせるための特徴の１つ以上を有する。実施形態では、被験者からのサンプルを分析するためのシステムは小売店の中のサンプル収集室を含み、前記サンプル収集室は、前記サンプル収集室において取得された約５００μＬ以下の容積を有する流体サンプルを分析するために構成されたサンプル分析機器を含み、及び以下の１つ以上を有する：椅子又は座るための他の家具であって、前記椅子又は他の座るための家具は加温用プレート又は他の加温要素を含み、前記椅子又は他の座るための家具は、前記被験者の身体の部分を加温するために構成され、及びはサンプルを取得するために有効に被験者を位置付けるために構成され；及び落ち着かせるための特徴。実施形態では、そのようなシステムの加温用テーブルは、温度、高さ、配向、被験者からの距離、及びレストの存在又は高さの１つ以上を調整するために構成され得る。実施形態では、そのようなシステムの落ち着かせるための特徴は、流れる水、花、植物、落ち着かせる香り、落ち着かせる音、落ち着かせる画像、及び落ち着かせる色より成る落ち着かせる特徴の群から選択される。実施形態では、システムは、前記サンプル収集室に隣接するバスルームを更に含み；及び壁面の開口部は前記サンプル収集室を前記バスルームに接続し、前記壁面の開口部は、前記バスルームから前記サンプル収集室へのサンプルの移転を可能にするために構成される。実施形態では、システムは：１つ以上の指玩具；前記サンプル収集室内の流れる水；前記サンプル収集室の調整可能な照明；落ち着かせる画像；落ち着かせる色を有する壁又は吊られているいる壁；前記サンプル収集室内に落ち着かせる音を提供するために構成された音システム；及び前記サンプル収集室内に落ち着かせる香りを提供するために構成された香りの源；の１つ以上を更に含み、前記香りの源が、花、キャンドル、香油、香料入りの芯、及びエアロゾルから選ばれるシステム。
【００５６】
実施形態では、前記システムは、前記サンプル収集室に隣接するバスルームを更に含むことができ；及び壁面の開口部は前記サンプル収集室を前記バスルームに接続し、前記壁面の開口部は、前記バスルームから前記サンプル収集室へのサンプルの移転を可能にするために構成される。実施形態では、前記サンプルは尿サンプルを含む。
【００５７】
実施形態では、そのようなシステム：前記サンプル収集室内の流れる水；前記サンプル収集室内の調整可能な照明；落ち着かせる画像；落ち着かせる色を有する壁又は吊られているいる壁；前記サンプル収集室内に落ち着かせる音を提供するために構成された音システム；及び及び前記サンプル収集室内に落ち着かせる香りを提供するために構成された香りの源の１つ以上を更に含むことができる。実施形態では、香りの源は、花、キャンドル、香油、香料入りの芯、及びエアロゾルから選ばれる。
【００５８】
実施形態では、本明細書において開示されるシステムは、サンプル収集の間に技術者により使用されるために適した移動可能な椅子又はスツールを含むことができ；サンプル収集の前、間、又は後に使用するための冷蔵庫を含むことができ；バーコード又はラベルリーダーを含むことができ；バーコード又はラベル・プリンターを含むことができ；コンピュータを含むことができ、及びコンピュータ周辺機器を含むことができ；保存スペースを含むことができ；及び他の家具、機器、物質、及び用具を含むことができる。
【００５９】
実施形態では、本明細書において開示されるシステムは、加温用プレート、又は指加温器、又は指先加温器、又は空気加温器、又はそれらの組み合わせを更に含むことができる。実施形態では、本明細書において開示されるシステムは、指玩具を更に含むことができる。本明細書において開示されるシステムは本明細書において開示される要素の組み合わせのいくつか、又は全てを含み得ることが理解されるであろう。
【００６０】
実施形態では、本明細書において開示されるシステムは、約２５０μＬ未満の、又は約１５０μＬ未満の、又は約１００μＬ未満の、又は約５０μＬ未満の、又は約２５μＬ未満の、又は約１０μＬ未満の、又は約５μＬ未満の、約１μＬ未満の容積の群から選ばれる容積を有する、血液、尿、糞便、又は他のサンプルと使用するために適している。
【００６１】
本発明の出願人は、本明細書において、小売店の中のサンプル収集室であって、前記サンプル収集室は、加温用テーブル、加温用プレート、加温用プレート、指加温器、指先加温器、及び空気加温器を含む椅子又は他の座るための家具の１つ以上を含む、サンプル収集室を開示する。実施形態では、小売店の中のサンプル収集室は、サンプル分析機器、複数のサンプル容器を保持するために構成されたサンプル輸送容器、又はその両方を更に含む。実施形態では、小売店の中のサンプル収集室は、サンプル分析機器又はサンプル分析システムを含む。実施形態では、小売店の中のサンプル収集室は、サンプル分析機器又はサンプル分析システムに隣接して設置される。実施形態では、そのようなサンプル分析機器は、約５００μＬ以下の容積を有する流体サンプルを分析するために構成される。実施形態では、小売店の中のサンプル収集室は、約５００μＬ以下の容積を有する流体サンプルを保持するために構成されたサンプル容器を含む。実施形態では、小売店の中のサンプル収集室は、待合室及びバスルームの１つ以上に隣接する。実施形態では、小売店の中のサンプル収集室はバスルームに隣接する、及び前記バスルームを前記サンプル収集室に接続する壁面の開口部を更に含む。
【００６２】
本発明の出願人は、本明細書において、加温用テーブル、加温用プレート、加温用プレート、指加温器、指先加温器、及び空気加温器を含む椅子又は他の座るための家具から選ばれる、加温用機器を開示する。実施形態では、加温用機器は、被験者の身体の部分を加温するために構成され、前記身体の部分から血液サンプルを収集することを支援するために有効である。実施形態では、前記身体の部分は、指先、指、及び手から選ばれる。実施形態では、加温用機器は、約５００μＬ以下の容積を有する血液サンプルを収集することを支援するために有効である。
【００６３】
本発明の出願人は、本明細書において、小売店の中にサンプル収集室を提供すること；及び前記サンプル収集室において、前記被験者の体の部分からサンプルを取得することを含む、身体の部分を有する被験者からサンプルを取得する方法を開示する。本発明の出願人は、本明細書において、小売店の中にサンプル収集室を提供すること；前記サンプル収集室において、前記被験者の体の部分からサンプルを取得すること；及び前記サンプルを前記小売店において、又はそれに隣接する場所で分析することを含む、身体の部分を有する被験者からサンプルを取得する更なる方法を開示する。本発明の出願人は、本明細書において、小売店の中にサンプル収集室を提供すること；前記サンプル収集室において、前記被験者の体の部分からサンプルを取得すること；及び前記サンプルを前記サンプルを取得してから短時間の期間内に前記小売店において、又はそれに隣接する場所で分析することを含む、身体の部分を有する被験者からサンプルを取得する更なる方法を開示する。本発明の出願人は、本明細書において、小売店の中にサンプル収集室を提供すること；前記サンプル収集室において、前記被験者の体の部分からサンプルを取得すること；前記サンプルを分析の場所に輸送すること；及び前記サンプルを前記サンプルを取得してから短時間の期間内に、前記分析の場所で分析することを含む、身体の部分を有する被験者からサンプルを取得する更なる方法を開示する。そのような方法の実施形態では、前記サンプルを取得することは、前記被験者の体の部分を加温することを含む。実施形態では、身体の部分を加温することは、加温用テーブル；加温用プレート；指加温器；指先加温器；空気加温器；加温用プレート又は他の加温要素を含む座るための家具；又はそれらの組み合わせによりにより加温することを含む。実施形態では、前記方法は、前記サンプル収集室に隣接するバスルームを提供すること、及び前記サンプル収集室を前記バスルームに接続する壁面の開口部を更に提供することを含み、前記壁面の開口部は、前記バスルームから前記サンプル収集室へのサンプルの移転を可能にするために構成される。実施形態では、前記方法は、以下の１つ以上を更に含む：加温用テーブルを前記サンプル収集室内に提供すること；加温用プレートを前記サンプル収集室内に提供すること；指先加温器を前記サンプル収集室内に提供すること；指玩具を前記サンプル収集室内に提供すること；空気加温器を前記サンプル収集室内に提供すること；椅子又は他の座るための家具を前記サンプル収集室内に提供することであって、前記椅子又は他の座るための家具は、加温用プレート又は他の加温要素を含み；リクライニングチェアーを前記サンプル収集室内に提供することであって、前記リクライニングチェアーはサンプルを取得するために有効に被験者を位置付けるために構成され；リクライニングチェアーを前記サンプル収集室内に提供することであって、前記リクライニングチェアーは加温用プレート又は他の加温要素を含み、前記リクライニングチェアーは、被験者身体の部分の少なくとも一部分を加温するため、サンプルを取得するために有効に被験者を位置付けるために構成され、及び；調整可能な照明を前記サンプル収集室内に提供すること；及び落ち着かせるための特徴を前記サンプル収集室内に提供することであって、前記落ち着かせるための特徴は、流れる水、花、植物、落ち着かせる香り、落ち着かせる音、落ち着かせる画像、及び落ち着かせる色より成る落ち着かせる特徴の群から選ばれる。
【００６４】
本明細書において開示される方法の実施形態では、サンプルは、前記サンプルは、約５００μＬ未満の、約２５０μＬ未満の、約１５０μＬ未満の、約１００μＬ未満の、約５０μＬ未満の、約２５μＬ未満の、約１０μＬ未満の、約５μＬ未満の、約１μＬ未満の容積の群から選ばれる容積を有する。本明細書において開示される方法の実施形態では、サンプルは、短時間の期間内に分析され、前記短時間の期間は、約５時間未満、又は約４時間未満、又は約３時間未満、又は約２時間未満、又は約１時間未満、又は約半時間未満から選ばれる。本明細書において開示される方法の実施形態では、サンプルは、前記サンプルを取得してから短時間の期間内に分析され、前記短時間の期間は、約５時間未満、又は約４時間未満、又は約３時間未満、又は約２時間未満、又は約１時間未満、又は約半時間未満から選ばれる。
【００６５】
本明細書において開示される方法、部屋、及びシステムは、被験者に、心地よい環境、及びサンプルが分析のために取得され得る場所への便利なアクセスを提供するために適している。本明細書において開示される方法、部屋、及びシステムは、被験者からサンプルを、心地よく、及び便利な方式で取得するための方法及び手段を提供する。本明細書において開示される方法部屋、及びシステムはサンプル収集の間の被験者に対する不快感を軽減するために構成され；サンプル収集に関する被験者における不安を軽減するために構成され；及び従って被験者の診断試験に対する遵守を改善することにおいて有用であり、及び診断試験への被験者の取り組み、参加への希望、楽しみを改善することにおいて有用である。より多くの被験者参加及びより多くの診断試験への被験者遵守は、疾患又は病状に罹患したことが疑われる被験者に対する臨床転帰を改善すると考えられ、及び従って後続する比較及び使用のための、臨床データの、ますます包括的なベースラインを得ることができる、健康な被験者の、臨床転帰を改善すると考えられる。本明細書において開示される方法、部屋、及びシステムにより提供される、診断試験の増大された利便性は、改善された健康及び臨床転帰を導くと考えられる、低下されたコスト、増大された利用可能性、より多くの被験者遵守、及びより多くの被験者の診断試験への取り組みを提供する。従って、本明細書において開示される方法、部屋、及びシステムはサンプル（例えば、医学的分析又は診断のための臨床サンプル）を提供することを希望する被験者に利点を提供し、及び当技術分野に対して利点を提供する。
【００６６】
この要旨は、以下の発明の詳細な説明で更に記載される概念の単純化された形態における選択を紹介するために提供される。この要旨は、主張される主題の主要な特徴又は本質的な特性を特定することを意図しておらず、主張される主題の範囲を限定するために用いられることを意図していない。
【図面の簡単な説明】
【００６７】
【図１Ａ】図１Ａは、小売店の場所内の、待合室、サンプル収集室、及びバスルームを有するサンプル収集室の平面図を示す。家具、作業表面、及びドアの例示的な配置が、この図中に示される。
【００６８】
【図１Ｂ】図１Ｂは、小売店の場所内の、待合室、サンプル収集室、遠心分離機、及びバスルームを有するサンプル収集室の平面図を示す。家具、作業表面、及びドアの例示的な配置が、この図中に示される。
【００６９】
【図１Ｃ】図１Ｃは、小売店の場所内の、待合室、サンプル収集室、輸送容器、及びバスルームを有するサンプル収集室の平面図を示す。家具、作業表面、及びドアの例示的な配置が、この図中に示される。
【００７０】
【図１Ｄ】図１Ｄは、小売店の場所内の、待合室、サンプル収集室、遠心分離機、冷蔵庫、輸送容器、及びバスルームを有する、サンプル収集室の平面図を示す。家具、作業表面、及びドアの例示的な配置が、この図中に示される。
【００７１】
【図２】図２は、本明細書において開示される特徴を有する加温用テーブルの実施例を示す。
【００７２】
【図３】図３は、本明細書において開示される特徴を有するひじ掛けを含む加温用テーブルの実施例を示す。
【００７３】
【図４Ａ】図４Ａは、本明細書において開示される特徴を有する加温用プレートの実施例を示し、加温用プレートの上面図を提供し、被験者の手の指の加温に用いられる、プレートの上での指の配置を図示している。
【００７４】
【図４Ｂ】図４Ｂは、本明細書において開示される特徴を有する加温用プレートの実施例を示し、被験者の手の指の加温に使用される加温用プレートの透視図を提供している。
【００７５】
【図４Ｃ】図４Ｃは、本明細書において開示される特徴を有する加温用プレートの実施例を示し、ひじ掛けの中に加温用プレートを含む椅子、及び前記椅子に取り付けられたキャビネットの正面透視図を示し、前記キャビネットはその頂部表面に加温用プレートを含んでいる。
【００７６】
【図５Ａ】図５Ａは、本明細書において開示される特徴を有する、指加温器の実施例を示し、延伸された（巻かれていない）構成での指加温器の概略の上面図を提供している。
【００７７】
【図５Ｂ】図５Ｂは、本明細書において開示される特徴を有する指加温器の実施例を示し、指加温器の、正面（右）及び背面（左）の眺めを提供している。
【００７８】
【図５Ｃ】図５Ｃは、被験者の指の周りに巻き付けられた指加温器を示す。
【００７９】
【図６Ａ】図６Ａは、本明細書において開示される特徴を有する指先加温器の実施例を示し、指先加温器の側面透視図を提供している。
【００８０】
【図６Ｂ】図６Ｂは本明細書において開示される特徴を有する指先加温器の実施例を示し、被験者の指先の周囲の適切な場所にある指先加温器の画像を提供している。
【００８１】
【図７】図７は、本明細書において開示される特徴を有する空気加温器の実施例を示す。
【００８２】
【図８】図８は、子供の指から血液サンプルを取得する前、又は後にその指の上に配置する指先をカバーする玩具の実施例を示す。
【発明を実施するための形態】
【００８３】
発明の詳細な説明
例えば、血液等の生物学的サンプルを被験者から取得するための方法、機器、及びシステムは、例えば、２０１３年９月８日に出願された、米国特許出願第６１／８７５，０９２号；２０１３年１０月２２日に出願された、米国特許出願第６１／８９４，１６６号；２０１３年３月１５日に出願された、米国特許出願第６１／８５２，４８４号；２０１３年３月１５日に出願された、米国特許出願第１４／２１４，８５４号；２０１３年３月１９日に出願された、米国特許出願第６１／８０３，４４９号；及び２０１３年３月１９日に出願された、米国特許出願第１４／２２０，０１３号に開示され、これらの特許出願の全ての開示は、参照により、それらの全体が本明細書に組み込まれる。
【００８４】
本明細書において開示されるシステムと共に用いられ得る、自動化された分析機器、半自動化された分析機器、及びそのような機器を含むシステムを含む、サンプルを取得する方法、サンプル分析の方法、機器、及びシステムの実施例の記述及び開示は、例えば：米国特許第８，０８８，５９３号；米国特許第８，３８０，５４１号；米国特許第８，４３５，７３８号；米国特許第８，４７５，７３９号；２０１３年２月１８日に出願された、米国特許出願第１３／７６９，８１７号；２０１３年２月１８日に出願された、米国特許出願第１３／７６９，８１８号；２０１３年２月１８日に出願された、米国特許出願第１３／７６９，８２０号；２０１３年２月１８日に出願された、米国特許出願第１４／１８３，５０３号；２０１３年２月１８日に出願された、米国特許出願第１３／７６９，７９８号；２０１３年２月１８日に出願された、米国特許出願第１３／７６９，７７９号；２０１３年２月１８日に出願された、米国特許出願第１３／７６９，８２０号；２０１２年９月２５日に出願された、第ＰＣＴ／ＵＳ２０１２／５７１５５号；２０１１年９月２６日に出願された、米国特許出願第１３／２４４，９４９号；２０１３年３月１５日に出願された、米国特許出願第６１／８００，６０６号；２０１４年３月１５日に出願された、米国特許出願第１４／２１４，８５０号；２０１３年２月１８日に出願された、米国特許出願第６１／７６６，０９５号；２０１４年２月１４日に出願された、国際特許出願第ＰＣＴ／ＵＳ２０１４／０１６５９３号；２０１２年７月１８日に出願された、米国特許出願第６１／６７３，２４５号；２０１２年７月１８日に出願された、米国特許出願第１３／９４５，２０２号；２０１３年３月２７日に出願された、米国特許出願第６１／８０５，９２３号；２０１４年２月１８日に出願された、国際特許出願第ＰＣＴ／ＵＳ２０１４／０１６６９７号；２０１３年３月１９日に出願された、米国特許出願第６１／８０３，４４９号；２０１３年９月７日にに出願された、米国特許出願第６１／８１５，０３０号；２０１３年７月２５日に出願された、国際特許出願第ＰＣＴ／ＵＳ２０１３／０５２１４１号；２０１３年９月１８日に出願された、米国特許出願第６１／８７９，６６４号；２０１４年９月５日に出願された、米国特許出願第１４／４７９，１９０号；２０１３年７月１９日に出願された、米国特許出願第６１／８３７，１６７号；２０１３年６月１９日に出願された、米国特許出願第１４／３０９，６８９，号；２０１３年９月６日に出願された、米国特許出願第号；２０１４年９月５日に出願された、米国特許出願第１４／４７９，２４１号；２０１４年９月５日に出願された、米国特許出願第１４／４７９，２４５号；２０１３年２月１８日に出願された、米国特許出願第６１／７６６，１１６号；２０１３年７月２５日に出願された、米国特許出願第１３／９５１，０６３，号；２０１３年３月１５日に出願された、米国特許出願第号；２０１３年７月２５日に出願された、米国特許出願第１３／９５１，４４９号；２０１１年９月２６日に出願された、米国特許出願第１３／２４４，９４７号；及び２０１１年９月２６日に出願された、米国特許出願第１３／２４４，９４６号に見出されることができ；これらの特許及び特許出願の全ての開示は、参照により、それらの全体が本明細書に組み込まれる。
【００８５】
本明細書において開示されるシステム、機器、及び方法は、限定なしに、サンプル収集室、サンプル収集方法、及び関連する機器、装置、及び方法を提供する。サンプル収集室、システム、機器、及び方法は、サンプル分析機器又はサンプル分析システムを含み得る。本明細書において用いられる、サンプル分析システムは、サンプル分析機器を含むことができ、及び用語“サンプル分析機器”は、そのような機器を含むサンプル分析のためのシステムを指すことができる。実施形態では、サンプル分析機器は、自動化されたサンプル分析機器であり得るか；又は半自動化されたサンプル分析機器であり得る。
【００８６】
実施形態では、例えば、サンプル分析機器は、サンプルを受け取るために有用であり得る。サンプル分析機器は、処理サンプルを調製するために、又は処理するために有用であり得る。サンプル分析機器は、サンプルに対する検定を遂行するために有用であり得る。機器は、データをサンプルから取得するために有用である。サンプル分析機器は、サンプルから取得するために有用であり得る。サンプル分析機器は、サンプルの処理又は検定に続いて、サンプルを廃棄する他面位有用であり得る。
【００８７】
サンプル分析機器はシステムの一部であることができ、その構成成分は自動化されたサンプル分析機器、又は半自動化されたサンプル分析機器であり得る。サンプル分析機器は、サンプルの収集を促進するために、臨床検査のためのサンプルを調製するために、又は１つ以上の試薬による化学反応、又は本明細書において開示される他の化学的又は物理的処理を実現するために構成され得る。サンプル分析機器は、データをサンプルから取得するために構成され得る。サンプル分析機器は、サンプルから取得されたデータを送信するために構成され得る。サンプル分析機器は、サンプルから得られたデータを分析するために構成され得る。自動化されたサンプル分析機器は、サンプルから得られたデータを分析するために、別の機器、又は臨床検査施設、又は臨床検査施設に関係する個人と通信するために構成され得る。
【００８８】
サンプル分析機器  は、自動化されたサンプル分析機器を含み得るか、又は自動化されたサンプル分析機器であり得る。サンプル分析機器は、被験者から得られたサンプルに対して処理  ステップ又は活動  を遂行するために構成され得る。サンプルの処理は、例えば、サンプル希釈、サンプルの等分への分割、抽出、試薬との接触、ろ過、分離、遠心分離、又は他の予備的な又は処理作業若しくはステップを含む、サンプル調製を含み得る。自動化されたサンプル処理機器は、前記サンプルに対する、１つ以上のサンプル調製作業又はステップを遂行するために構成され得る。随意的に、サンプルは、化学的反応及び／又は物理的処理ステップのために調製され得る。サンプル調製活動又はステップは、以下の一つ以上を含み得る：遠心分離、分離、ろ過、希釈、富化、精製、沈殿、インキュベーション、ピペッティング、輸送、クロマトグラフィー、細胞溶解、血球計算、粉砕、破砕、活性化、超音波処理、マイクロカラム処理、磁気ビーズによる処理、ナノ粒子による処理、又は他のサンプル調製作業又はステップ。例えば、サンプル調製は、血液を血清及び／又は微粒子分画に分離するための、又はその他の任意のサンプルを様々な成分に分離するための１つ以上のステップを含み得る。サンプル調製は、血液サンプル、又は他の生物学的サンプル等のサンプルを希釈及び／又は濃縮する１つ以上のステップを含み得る。サンプル調製は、抗凝血剤又は他の成分をサンプルに加えることを含み得る。サンプル調製は、サンプルの精製も含み得る。実施形態では、全てのサンプル処理、調製、又は検定行為又はステップは、単一の機器により遂行され得る。実施形態では、全てのサンプル処理、調製、又は検定行為又はステップは、単一の機器の筐体内で遂行され得る。実施形態では、ほとんどのサンプル処理、調製、又は検定行為又はステップは単一の機器により遂行され、及び単一の機器の筐体内で遂行され得る。実施形態では、多くのサンプル処理、調製、又は検定行為又はステップは、単一の機器により遂行され、及び単一の機器の筐体内で遂行され得る。実施形態では、サンプル処理、調製、又は検定行為又はステップは、２つ以上の機器により遂行され得る。
【００８９】
サンプル処理機器は、サンプルについて１つ以上の検定を実行し、及び前記サンプルからのデータを取得するために構成され得る。検定は、１つ以上の物理的な又は化学的な処理を含むことができ、及び１つ以上の化学的又は物理的な反応を実行することを含み得る。サンプル処理機器は、少量の体液サンプルに対して１つ、２つ以上の検定を遂行するために構成され得る。本明細書の他の部分に記載されるように、１つ以上の化学的反応は、容積を有するサンプルに対して生じることができる。例えば、１つ以上の化学的反応は、フェムトリットル未満の容積を有するピルの中で生じ得る。一例では、前記サンプル収集ユニットは、血液又は間質液の単一の一滴以下に相当する体液サンプルを受け取るために構成され得る。実施形態では、サンプルの容積は大変少なく、その容積は、１０００μＬ、約５００μＬ、約２５０μＬ、約１５０μＬ、約１００μＬ、約７５μＬ、約５０μＬ、約４０μＬ、約２０μＬ、約１０μＬ未満であるか、又はその他の小さな容積を下回るものである。実施形態では、全てのサンプル検定行為又はステップは、単一のサンプルについて遂行される。実施形態では、全てのサンプル検定行為又はステップは、単一の機器により遂行される。実施形態では、全てのサンプル処理、調製、又は検定行為又はステップは、単一の機器の筐体内で遂行され得る。実施形態では、ほとんどのサンプル処理、調製、又は検定行為又はステップは単一の機器により遂行され、及び単一の機器の筐体内で遂行され得る。実施形態では、多くのサンプル処理、調製、又は検定行為又はステップは、単一の機器により遂行され、及び単一の機器の筐体内で遂行され得る。実施形態では、サンプル処理、調製、又は検定行為又はステップは、２つ以上の機器により遂行され得る。
【００９０】
サンプル処理機器は、サンプルに対して複数の検定を遂行するために構成され得る。実施形態では、自動化されたサンプル処理機器は、単一のサンプルに対して複数の検定を遂行するために構成され得る。自動化されたサンプル処理機器は、単一のサンプルに対して複数の検定を遂行するために構成されることができ、前記サンプルは小量のサンプルである。例えば、少量のサンプルは、１０００μＬ、約５００μＬ、約２５０μＬ、約１５０μＬ、約１００μＬ、約７５μＬ、約５０μＬ、約４０μＬ、約２０μＬ、約１０μＬ未満であるか、又はその他の小さな容積を下回る少量の容積であるサンプル容積を有し得る。サンプル分析機器は、単一のサンプルに対して多重化された検定を遂行する能力を有し得る。複数の検定は、同時に実行されることができ；順次に実行されることができ；又はいくつかの検定は同時に実行されることができる一方で、他のものは順次に実行され得る。１つ以上の対照検定及び／又は校正器（例えば、検定／試験のための校正器の制御の構成を含む）も前記機器に組み込まれることができ；対照検定及び校正器に対する検定は、サンプルに対して遂行される検定と同時に検定されることができるか、又はサンプルに対する検定の前、若しくは後に、遂行され得るか、又はそれらの任意の組み合わせであってよい。実施形態では、多くのサンプル検定行為又は複数の検定のステップは、単一の機器により遂行される。実施形態では、全てのサンプル処理、調製、又は検定行為又はステップは、単一の機器の筐体内で遂行され得る。実施形態では、ほとんどのサンプル処理、調製、又は検定行為又はステップは単一の機器により遂行され、及び単一の機器の筐体内で遂行され得る。実施形態では、多くのサンプル処理、調製、又は検定行為又はステップは、単一の機器により遂行され、及び単一の機器の筐体内で遂行され得る。実施形態では、サンプル処理、調製、又は検定行為又はステップは、２つ以上の機器により遂行され得る。
【００９１】
実施形態では、複数の検定の全てが短い時間の期間内に遂行され得る。実施形態では、そのような短い時間の期間は、約３時間未満；約２時間未満；約１時間未満；約５０分間未満；約４５分間未満；約４０分間未満；約３５分間未満；約３０分間未満；約２５分間未満；約２０分間未満；約１５分間未満；約１０分間未満；約５分間未満；約４分間未満；約３分間未満；約２分間未満；及び約１分間未満、又は他の短い時間の期間を含む。
【００９２】
サンプル処理機器は、前記サンプルに関する１つ以上の信号を検出するために構成され得る。サンプル処理機器は、記サンプルの性質の１つ以上を特定するために構成され得る。例えば、前記サンプル処理機器は、検体濃度又は複数の検体の存在又は濃度、又は前記サンプル中の疾患状態（例えば、体液、分泌物、組織、又は他のサンプル中の、又はそれらを介して）を、検出するために構成され得る。代替的に、前記サンプル処理機器は、１つ以上の検体の存在又は濃度を検出するために分析され得る信号（疾患状態を示す）か、又は前記サンプル中の疾患状態を、検出するために構成され得る。この信号は、前記機器のオンボードで分析され得るか、又は別の場所で分析され得る。臨床検査を実行することは、分析又は収集されたデータの比較を含んでも、又は含まなくてもよい。
【００９３】
化学的反応又は他の処理ステップは、前記サンプルと共に、又は前記サンプルなしで遂行され得る。前記機器により調製され得るか、又は実行され得るステップ、検査、又は検定の例は、限定はされないが、免疫検定、核酸検定、受容体に基づく検定、血球計算検定、比色検定、酵素的検定、電気泳動的検定、電気化学的検定、分光的検定、クロマトグラフィー的検定、顕微鏡的検定、形態的検定、熱量測定的検定、比濁的検定、凝集検定、放射性同位体検定、粘度測定検定、凝固検定、凝固時間検定、タンパク合成検定、組織学的検定、培養物検定、浸透圧検定、及び／又は他のタイプの検定、遠心分離、分離、ろ過、希釈、富化、精製、沈殿、粉砕、インキュベーション、ピペッティング、輸送、細胞溶解、又は他のサンプル調製行為又はステップ、又はそれらの組み合わせが挙げられる。前記機器により調製され得るか、又は実行され得るステップ、検査、又は検定は、顕微鏡法、血球計算、及び画像を調製するか、又は利用する他の技法を含む、画像化を含むことができる。前記機器により調製され得るか、又は実行され得るステップ、検査、又は検定の例は、更に組織学、形態学、運動学、力学、及び／又は細胞に対するそのような評価を含むサンプルの状態の評価を更に含み得る。
【００９４】
機器は、全てのオンボードのステップ（例えば、単一の機器により遂行され得るステップ又は活動）を、短い時間の量において遂行する能力を有し得る。機器は、単一のサンプルに対する全てのオンボードのステップを、短い時間の量において遂行する能力を有し得る。例えば、被験者からのサンプル収集から、データを送信するまで及び／又は分析までは、約３時間以下、２時間以下、１時間以下、５０分以下、４５分以下、４０分以下、３０分以下、２０分以下、１５分以下、１０分以下、５分以下、４分以下、３分以下、２分以下、又は１分以下を必要とし得る。サンプルを前記機器内に受け入れてから、前記機器からそのようなサンプルに関するデータを送信するまで、及び／又は分析までの時間の量は、タイプ又は前記サンプルに対して遂行されるステップ、検査、又は検定の数に依存し得る。サンプルを前記機器内に受け入れてから、前記機器からそのようなサンプルに関するデータを送信するまで、及び／又は分析までは、約３時間以下、２時間以下、１時間以下、５０分以下、４５分以下、４０分以下、３０分以下、２０分以下、１５分以下、１０分以下、５分以下、４分以下、３分以下、２分以下、又は１分以下を必要とし得る。
【００９５】
機器は、サンプルを処理又は検定した後に、生物学的サンプルなどのサンプルを廃棄のために準備するか、若しくは廃棄のために構成され得る。
【００９６】
実施形態では、サンプル分析機器は、サンプルから得られたデータを送信するために構成され得る。実施形態では、サンプル分析機器は、ネットワークを通じて通信するために構成され得る。サンプル分析機器は、ネットワークと連結できるための通信モジュールを含み得る。サンプル分析機器は、有線接続又は無線的にネットワークに接続され得る。前記ネットワークは、ローカル・エリア・ネットワーク（ＬＡＮ）またはインターネットなどの広域ネットワーク（ＷＡＮ）などのネットワークであり得る。いくつかの実施形態では、前記ネットワークはパーソナル・エリア・ネットワークであってよい。前記ネットワークはクラウドを含み得る。前記サンプル分析機器は、前記ネットワークに、仲介機器なしで接続され得るか、又は仲介機器がサンプル分析機器をネットワークに接続するために必要であり得る。サンプル分析機器は、ネットワークを通じて、別の機器と通信でき、前記別の機器は、限定はされないが、パーソナルコンピュータ、サーバーコンピュータ、又はラップトップコンピュータ；Ｗｉｎｄｏｗｓ（登録商標）  ＣＥ機器等のパーソナル・デジタル（ＰＤＡ）、セルフォン等の電話、スマートフォン（例えば、ｉＰｈｏｎｅ（登録商標）  、Ａｎｄｒｏｉｄ（登録商標）  、Ｂｌａｃｋｂｅｒｒｙ（登録商標）  等）、又は位置把握携帯電話（ＧＰＳ等の）；ネットワークに接続されたローミング機器等のローミング機器；無線電子メール機器等の無線機器又はコンピュータ・ネットワークと無線的に通信する能力を有する他の機器；又はネットワークを通じて通信することができ、及び電子的なやり取りを行い得る任意のタイプのネットワーク機器を含む、任意のタイプのネットワーク化された機器であり得る。そのような通信は、クラウドコンピューティングインフラストラクチャー、又は他の機器によりアクセスされ得る、任意の他のタイプのデータ保存インフラストラクチャーにデータを提供することを含み得る。
【００９７】
サンプル処理機器は、サンプルに関するデータを、例えば、ヘルスケア専門家、臨床検査施設等のヘルスケア専門家の場所、又はその関係者に提供し得る。臨床検査施設、ヘルスケア専門家、又は被験者の１つ以上は、又は前記サンプル処理機器から提供されるデータを受信するか、又はアクセスし得るネットワーク機器を有し得る。サンプル処理機器は、サンプルに関するデータをデータベースに提供するために構成され得る。サンプル処理機器は、サンプルに関するデータを、電子医学記録システム、臨床検査施設情報システム、臨床検査施設自動化システム、又は他のシステム又若しくはソフトウエアに提供するために構成され得る。サンプル処理機器は、データを報告書の形態で提供し得る。
【００９８】
臨床検査施設、機器、又は他の実体又はソフトウエアは、サンプルに関するデータの分析をリアルタイムで遂行し得る。ソフトウエアシステムは、化学的分析及び／又は病理学的分析を遂行でき、又はこれらは、臨床検査施設、臨床、及び特殊又は専門の職員の間に分配され得るであろう。分析は、サンプルの定性的及び／又は定量的評価を含み得る。データ分析は、サンプルの後続する定性的及び／又は定量的評価を含み得る。随意的に、生データ、処理前データ、又は分析されたデータに基づいて報告書が作成され得る。そのような報告書は、前記サンプルから得られたデータ、ＩＤの実体及びサンプルが取得された被験者に関する他の情報、前記データの分析、及び他の機密情報の機密性が保持されるように作成され得る。前記報告書及び／又は前記データは、ヘルスケア専門家に送信され得る。サンプル分析機器により得られたデータ、又はそのようなデータの分析、又は報告書は、データベース、電子的医学記録システム、臨床検査施設情報システム（ＬＩＳ）、臨床検査施設自動化システム（ＬＡＳ）、又は他のシステム又はソフトウエアに提供される。
【００９９】
サンプルは、例えば、バイアル、チューブ、又はサンプルを保持するために構成された他の容器等のサンプル容器中に配置され得る。サンプル容器は、カートリッジ内に適合するか、又はカートリッジにより保持されるために構成され得る。例えば、カートリッジは、サンプル容器中のサンプルを含むことができ、及びサンプルの処理又は検査において用いる試薬、サンプルの処理又は検査において用いる消耗品、又は他の物質も含むことができる。カートリッジは、サンプル分析機器の上に配置されるか、又は中に挿入されるために構成され得る。実施形態では、前記カートリッジの１つ以上の構成要素が、前記サンプル分析機器の他の構成要素と流体連通にもたらせられることができる。例えば、１つ以上の試薬が、前記サンプル分析機器の一部に移動されることができ、及びサンプルの分析において用いられ得る。
【０１００】
サンプル収集室に収集されたサンプルは、サンプル輸送容器内に配置され得る。サンプル輸送容器は、サンプル収集室内に、又はその近傍に配置され得る。実施形態では、本明細書において開示されるサンプル収集室は、サンプル輸送容器を含み得る。実施形態では、本明細書において開示されるサンプル収集室を含むシステムは、サンプル輸送容器を含み得る。実施形態では、サンプルはサンプル輸送容器の中に配置されることができ、及び次いですぐに、又は直ちに別の場所に輸送される。実施形態では、サンプルは、収集後に、サンプル輸送容器中に一定の時間の間保存されることができ、及び分析、検査、記録、保存、又は他の目的のために別の場所に輸送され得る。サンプル輸送容器は、絶縁、又は冷蔵、又はその両方をされることができる。
【０１０１】
サンプル輸送容器は、単一のサンプル、例えば、単一のサンプル容器内に単一のサンプルを保持するために構成されることができ；又は複数のサンプル、例えば、複数のサンプルのそれぞれを単一のサンプル容器内に保持するために構成され得る。実施形態では、そのようなサンプルは、血液又は尿サンプル等の流体サンプルである。実施形態では、そのようなサンプルは、約５００μＬ未満の小量の容積を有する。サンプル輸送容器は、輸送の間に、前記サンプル、及びサンプル容器を保護するために構成され得る。例えば、サンプル輸送容器は、前記サンプル、及びサンプル容器を、物理的ショック、熱的変化、乾燥、又は輸送中に生じ得る他の損害から保護するために構成され得る。サンプル輸送容器は、詰め物を含むことができ；絶縁を含むことができ；前記サンプル輸送容器に保持された前記サンプルを保護し、及び分離するために構成された１つ以上の内部容器及び１つ以上の外部容器を含む層を含むことができる。サンプル輸送容器は、熱的制御ユニットを含むことができ、及び能動的及び／又は受動的冷却を提供する物質を含み得る。例えば絶縁物質に加えて、又はその代わりに、サンプル輸送容器は、温度を、前の、又は所望の温度に維持する相変化物質（ＰＣＭ）材料を含み得る。サンプル輸送容器は、能動的冷却システムを含むか、又は用い得る。随意的に、サンプル輸送容器は、能動的冷却システムは、受動的冷却部品に付随する冷却時間を保ち及び／又は延長するために用いられ得る。
【０１０２】
サンプル輸送容器は、温度表示器を含むことができ、及び温度変化表示器を含むことができる。例えば温度表示器又は熱的変化表示器は、前記輸送容器の可視的な表面に配設され得る。温度表示器は、前記サンプル輸送容器内の温度を表示するために構成された、温度計、ディスプレー又は読み取り（例えば、熱電対、サーミスタ、又は他の温度センサーの）を含み得る。温度変化表示器は、前記サンプル輸送容器内の温度が所定の限界を超えているか、又はいつ超えたかを表示するためのメッセージ、又は警告を表示し得る。例えば、サーモクロミック・インクが、特に熱的変化が、所望の範囲外の温度をもたらす場合の、温度変化の表示器として用いられる。
【０１０３】
上述の一般的な記載、及び以下の詳細な記載は、単に例示的及び説明的なものであり、主張されるように発明を制限するものではないことを理解されたい。本明細書及び付属する特許請求の範囲において用いられる、単数形である、「ａ（１つ）」「ａｎ（１つ）」「ｔｈｅ（前記の）」は、文脈において明白に示さない限り、複数の意味を含むことに注意されたい。従って、例えば、“ａ  ｍａｔｅｒｉａｌ”への言及は、物質の混合物を含むことができ、“ａ  ｃｏｍｐｏｕｎｄ”は、複数の化合物を含むことができる等である。本明細書において参照される参考文献は、本明細書に明白に説明される教示と矛盾しない範囲において、その全体が参照により本明細書に組み込まれる。
【０１０４】
本明細書及び続く特許請求の範囲において、一連の用語についての言及が行われるが、それらは以下の意味を持つものとして定義される：
【０１０５】
「随意的な」（“ｏｐｔｉｏｎａｌ”）又は「随意的に」（“ｏｐｔｉｏｎａｌｌｙ”）は、この記載が、後続して記載される状況が、生じる場合及び生じない場合を含むことができるために、生じても又は生じなくてもよいことを意味する。例えば、機器が随意的にサンプル収集ユニットのための特性を含む場合、このことは、このサンプル収集ユニットが、存在しても、存在しなくてもよく、及び、従って、この記述は機器がサンプル収集ユニットを保有する構造、及びサンプル収集ユニットを保有しない構造の両方を含む。  
【０１０６】
本明細書において使用される、用語「かなりの」（ｓｕｂｓｔａｎｔｉａｌ）は、「最小限の」または「わずかな」量より多いことを意味し；および「十分に」（ｓｕｂｓｔａｎｔｉａｌｌｙ）は、「最小限に」、または「わずかに」より多いことをを意味する。従って、例えば、本明細書において用いられる語句「十分に異なる」（ｓｕｂｓｔａｎｔｉａｌｌｙ  ｄｉｆｆｅｒｅｎｔ）は、当業者が、２つの数値の間の差を、その値により測定される特性の文脈内で、統計的に有意であると見なすことができるような、２つの数値の間に、十分に高い程度の差異が存在することを意味する。従って、互いに十分に異なる２つの値の間の差異は、参照値またはコンパレータ値の関数として、典型的には約１０％より大きい、および約２０％より大きい、好適には約３０％より大きい、好適には約４０％より大きい、または好適には約５０％より大きいことができる。
【０１０７】
本明細書において使用される、用語「ポイント・オブ・サービスの場所」は、被験者がサービス（例えば検査、監視、治療、診断、ガイダンス、サンプル収集、ＩＤ確認、医療サービス、非医療サービス等）を受けることのできる場所を含むことができ、及び、制限なく、被験者の自宅、被験者の勤務先、ヘルスケア提供者（例えば、医師）の場所、病院、緊急治療室、手術室、診療所、ヘルスケア専門家の執務室、臨床検査室、小売店［例えば薬局（例えば、小売り薬局、臨床薬局、病院薬局）、ドラッグストア、スーパーマーケット、食品雑貨店、等）、運搬用車両（例えば自家用車、ボート、トラック、バス、航空機、バイク、救急自動車、移動ユニット、消防車／トラック、救命救急車、司法遂行車両、警察車両、又は前記被験者を一点から他へ移動するよう設定されている車両等）、移動医療ケアユニット、移動ユニット、学校、デイケアセンター、手荷物検査場、戦場、健康支援生活住居、政府のオフィス、オフィスビルディング、テント、体液サンプル取得施設（例えば血液採取センター）、被験者がアクセスを望み得る位置の入り口の場所またはその近くの場所、被験者がアクセスを望み得る機器上またはその近くの場所、被験者がアクセスを望み得る場所またはその近くの場所（例えば、被験者がコンピュータにアクセスしたい場合には、そのコンピュータの位置）、サンプル処理機器がサンプルを受け取る位置、または本明細書の別の場所に記載される任意の他のポイント・オブ・サービス位置を含み得る。
【０１０８】
本明細書において用いられる、用語“小売店”、“小売りの場所”、“小売り業者”等は、小売りの取引が典型的に生じているビジネスの場所を指し；小売店は、第一にビジネスのための場所であり、及び医学の実践又は付随的な臨床的手順及び活動のための場所ではない。従って、小売店は、診断又は他の臨床的使用のためのサンプルの収集等の臨床的手順が、主に行われる場所ではない。しかしながら、主な目的又は活動ではないが、臨床サンプルの収集は、小売店で起こり得る活動の１つである。小売店は、限定することなしに、例えば、小売りの薬局、臨床薬局、病院薬局、及び調剤薬局；ドラッグストア；スーパーマーケット又は食料品店；又は他の小売店を含む薬局であり得る。
【０１０９】
本明細書において用いられる、用語“サンプル”、又は“生物学的サンプル”又は“臨床サンプル”は、被験者から収集された、流体、組織、又は他の物質を指す。臨床サンプルは、血液、血清、血漿、唾液、尿、胃液、消化液、涙液、汗、糞便、精液、膣液、間質液、腫瘍組織から導出された流体、眼液、粘液、耳垢、脂、線分泌物、髄液、鼻の拭い取り、咽喉の拭い取り、頬の裏からの拭い取り、又は鼻腔からの拭い取りからの流体又は物質、生検からの流体又は物質、胎盤液、羊水、臍帯血、リンパ液、体腔液、膿、被験者から得られた微生物相、胎便、母乳及び／又は他の分泌物若しくは排泄物であり得る。サンプルは、呼気サンプル、毛髪サンプル、指の爪のサンプル又は他のサンプルであり得る。
【０１１０】
生物学的サンプルは、鼻咽頭の洗浄液、又は被験者の体腔又は表面の洗浄、又は被験者の体腔又は表面に拭い取りを適用した後の、拭い取りの洗浄により得られる洗液により得られる他の流体を含み得る。鼻の拭い取り、頬の裏の拭い取り、膣の拭い取り、咽喉の拭い取り、子宮頚部の拭い取り、糞便サンプル、毛髪、指の爪、耳垢、呼気、及び他の固体、半固体、又は気体状サンプルは、それらの分析に先立ち、例えば、固定された又は可変の時間の間、抽出緩衝液の中で処理される。この抽出緩衝液又はその等分は、所望であれば、次いで他の流体サンプルと同様に処理され得る。被験者の組織サンプルの例としては、それらに限定はされないが、結合組織、筋肉組織、神経組織、上皮組織、軟骨、がん性サンプル、又は骨が挙げられる。前記サンプルは、例えば、トリ、サカナ又は哺ラット、マウス、ブタ、サル、他の霊長類（ヒトを含む）、家畜、スポーツ動物、又はペット等の脊椎動物から得られ得る。前記サンプルは、被験者から新鮮に得られることができるか、又は何らかの形の前処理、保存又は輸送を受けることができる。
【０１１１】
従って、本明細書において用いられる、“サンプル”は、限定はされないが、血液又は尿サンプル等の流体サンプル、又は血液又は尿サンプルの一部であり得る。サンプルは、任意の適切なサイズ又は容積であることができ、及び好適には小さなサイズ又は容積のものである本明細書において開示される検定及び方法のいくつかの実施形態においては、測定は、小量の容積の血液サンプル、又は血液サンプルの小量の容積部分より少ないもので行われることができ、小量の容積は、約５ｍＬ未満を含み；又は約３ｍＬ未満を含み；又は約２ｍＬ未満を含み；又は約１ｍＬ未満を含み；又は約５００μＬ未満を含み；又は約２５０μＬ未満を含み；又は約１００μＬ未満を含み；又は約７５μＬ未満を含み；又は約５０μＬ未満を含み；又は約３５μＬ未満を含み；又は約２５μＬ未満を含み；又は約２０μＬ未満を含み；又は約１５μＬ未満を含み；又は約１０μＬ未満を含み；又は約８μＬ未満を含み；又は約６μＬ未満を含み；又は約５μＬ未満を含み；又は約４μＬ未満を含み；又は約３μＬ未満を含み；又は約２μＬ未満を含み；又は約１μＬ未満を含み；又は約０．８μＬ未満を含み；又は約０．５μＬ未満を含み；又は約０．３μＬ未満を含み；又は約０．２μＬ未満を含み；又は約０．１μＬ未満を含み；又は約０．０５μＬ未満を含み；又は約０．０１μＬ未満を含む。
【０１１２】
本明細書において用いられる、“少量の容積”は、約１ｍＬ未満の、又は約５００μＬ未満の、又は約２５０μＬ未満の、又は１５０μＬ未満の、又は約１００μＬ未満の、又は約５０μＬ未満の、又は約２５μＬ未満の、又はそれよりも少ない容積を指す。特定の実施形態では、“指先穿刺”の容積等の少量の容積は、約２５０μＬ未満の容積を含むことができ、及び典型的には、１５０μＬ未満の、又は約１００μＬ未満の、又は約５０μＬ未満の、又は約２５μＬ未満の、又はそれより少ない容積を含む。
【０１１３】
本明細書において用いられる、“短時間の期間”は、短時間の期間は、約５時間未満、又は約４時間未満、又は約３時間未満、又は約２時間未満、又は約１時間未満、又は約５０分未満、又は約４０分未満、又は約３０分未満、又は約２０分未満、又は約１０分未満、又は約５分未満から選ばれる。短時間の期間は、最初の時間に関して決定されることができ；前記最初の時間は、サンプル分析が始まった時間であることができ；前記最初の時間は、前記サンプルの分析のために、サンプルが機器内に挿入された時間であることができ；前記最初の時間は、サンプルが被験者から取得された時間であることができる。
【０１１４】
本開示における実施形態は、以下に記載される特徴の１つ以上を有するために適合され得ることを理解されたい：
【０１１５】
サンプルを取得するためのシステム、方法、及び機器が提供される。そのようなサンプルは、被験者の疾患又は状態を検出するための分析のために提供される。そのようなサンプルは、例えば、単一の臨床サンプル中の、又は単一の臨床サンプルの複数の等分中の、１つ以上の複数の感染病原体を示すマーカーの存在を検出するために用いられる。本明細書において開示されるシステム、方法、及び機器は、ポイント・オブ・サービスの場所における使用のために構成された、ポイント・オブ・サービスのシステム、方法、及び機器であることができ、ポイント・オブ・サービスの場所は、サンプルが被験者から取得される場所であってよい。本明細書において開示される実施形態では、サンプルは、小売りの場所において被験者から取得される。とりわけ、サンプルは、小売店の場所内の、指定されたサンプル収集場所において、被験者から取得される。
【０１１６】
実施形態では、前記サンプルは、小容積のサンプルである。実施形態では、前記サンプルは、複数のマーカー、又は複数の疾患の検査のために用いられ；そのような検査は核酸検査（例えば、前記サンプル中に存在するＤＮＡ又はＲＮＡ配列のための検査）、アミノ酸検査（例えば、抗体又は結合タンパク質を用いる）、一般化学検査、血球計算検査（例えば、サンプル中の細胞の画像の生成及び分析、又は他の光学的及び顕微鏡的技法の使用）、及び他の検査を含む。実施形態では、前記サンプルは小売りの場所において収集され、及び別の場所において分析される。実施形態では、小容積の臨床サンプルの分析は、短時間の期間内に完了する。実施形態では、前記サンプルは小売りの場所において収集され、及び前記小売りの場所における機器により分析される。実施形態では、小容積の臨床サンプルの分析は、短時間の期間内に完了する。
【０１１７】
被験者からサンプルを取得する方法は、以下を含む：小売店内にサンプル収集室を提供すること；前記被験者からサンプルを取得すること；及び前記サンプルを分析すること。サンプルは、待合室に隣接するサンプル収集室において採集されることができ；バスルームは前記サンプル収集室への壁面の開口部に提供され得る。サンプルは分析のために遠隔の場所に送られ得る。サンプルは、前記サンプル収集場所において、又はそれに隣接した場所において分析され得る。サンプル収集室は、サンプル分析機器又はサンプル分析システムを収納することができ、及び従ってサンプル分析室としても機能する。サンプルは小量のサンプルであることができ、例えば、小量の血液サンプルは単一の指先穿刺、又は２つ又はいくつかの指先穿刺から取られることができる。サンプルは、短時間の期間、例えば、５時間未満、又は４時間未満で分析され得る。
【０１１８】
被験者からサンプルを取得する方法は、小売店内にサンプル収集室を提供すること、及び前記被験者からサンプルを取得することを含む。
【０１１９】
被験者から取得されたサンプルを分析するための方法は、小売店内にサンプル収集室を提供すること；前記被験者からサンプルを取得すること；及び前記サンプルを分析することを含む。被験者から取得されたサンプルを分析するための方法の実施形態では、前記サンプルは前記小売りの場所において分析される。サンプル収集室は待合室に隣接することができ；バスルームが提供されることができ；バスルームからサンプル収集室への壁面の開口部が提供され得る。
【０１２０】
加温用テーブルが、尿を血液採集場所の中に、及びサンプル分析機器又はシステムの中に移動するために特別に設計された、一体化された壁面の開口部の窓を有する、サンプル収集室に提供され得る。
【０１２１】
被験者から血液サンプルを取得するための方法の実施形態では、血液小量の皮膚穿刺から得られることができる。そのような小さな皮膚穿刺は、例えば、指先等の指の上の小さな皮膚穿刺；足指の先の、又はその付近等の足指の上の小さな皮膚穿刺；かかとの上又は付近等の足の上の小さな皮膚穿刺；又は他の小さな皮膚穿刺であり得る。指の上の小さな皮膚穿刺は“指先穿刺”と称されることができ；この用語、指先穿刺は、サンプルの容積を記載するためにも用いられることができ、即ち、指先穿刺容積は、１、２、又は数滴（例えば、約５０μＬ〜約３００μＬ、又は約７５μＬ〜約２５０μＬ、又は約８０μＬ〜約１５０μＬ）である。
【０１２２】
実施形態では、サンプル収集室は、施術者（例えば、サンプル収集技術者）が座り、及び体液又は他のサンプルを患者から得るための場所を含む。実施形態では、サンプル収集室はスツールを含み；スツールは車輪を有することができ；背部を有することができ；及び高さにおいて調整可能であることができる。
【０１２３】
患者は、サンプリングを可能にするために、前記被験者の標的部位を位置決めできる表面を有することができるために、テーブル等の作業表面が提供される。本明細書において開示されるサンプル収集室におけるテーブル等の作業表面は移動可能であることができ、及び車輪を有することができ、被験者からのサンプル収集のために、テーブルが、被験者の指、手、腕、脚、足、かかと、足指、又は他の標的の身体部位を支持するために、被験者の近くに位置決めされるために効果的である。実施形態では、テーブル等の作業表面は、サンプル収集の間に被験者が休息する椅子に取り付けることができる。実施形態では、テーブル等の作業表面の高さ、角度、又は他の配向は、サンプル収集のために調節されることができ；そのような調節は、標的の身体部位への接近を支援でき；サンプル収集の前、間、又は後の被験者の快適さを改善でき；サンプル収集の間の血液の流れを改善でき；及び他の利点を有し得る。実施形態では、作業表面は、保管場所を含むか、又はそれに隣接できる（例えば、移動可能な引き出しを有するテーブルの一部であり得るか；又は移動可能なキャビネットの引き出し、又は棚の最上部に位置付けられ得る）。そのような保管場所は、サンプル収集に用いられる補給品及び用具（例えば、ランセット、サンプル容器、チューブ、ガーゼ、又は他の品目）を保持するために用いられ得る。実施形態では、前記作業表面の保管場所は、サンプル収集用具及び補給品を収容するだけではなく、サンプル収集の前及び間に、ほとんどの時間、前記被験者からそれらを、隠すために効果的である。実施形態では、前記作業表面は、容易に清掃でき、及び殺菌できる表面を含む。作業表面は、硬い表面（例えば、プラスチック、ガラス、硬質ゴム、アクリル、ポリマー、又は他の物質）であるか、若しくはそれを含むか又はソフトな若しくは詰め物をした表面（例えば、布、ゴム引きの布、軟質ゴム、又は他の物質）であるか、若しくはそれを含むことができる。
【０１２４】
前記作業表面は、１つ以上の熱的に制御された部位を有することができ、そこでは患者の上の標的の部位の温度が所望の温度にもたらされる。前記温度は、調節可能であることができる。例として、及び限定ではなく、実施形態は、指又は他の標的の部位を、血液の流れを改善し、及び従って指先穿刺から血液を発生させるために、温めることができる。例えば、前記テーブルは、標的の領域への血液の流れを増加させるための、及び従って十分な血液又は他の体液が、被験者から引き抜かれる速度を増加させるための、熱的制御領域を有することができる。前記加熱は、標的の組織を約４０°Ｃ〜約５０°Ｃにもたらす。実施形態では、前記加熱は、標的の組織を約４０°Ｃ〜約４４°Ｃの温度範囲にもたらす。実施形態では、前記加熱は、標的の組織を約４１°Ｃ〜約４３°Ｃの温度範囲にもたらす。実施形態では、前記加熱は、標的の組織を約４２°Ｃの温度にもたらす。実施形態では、前記加熱は、標的の組織を約４４°Ｃ〜約４７°Ｃの温度範囲にもたらす。一実施形態では、前記温度は、サンプルの１２０ｕＬを算出するために血液の流れを増加させるために十分である。一実施形態では、前記温度は、サンプルの１３０ｕＬを算出するために血液の流れを増加させるために十分である。一実施形態では、前記温度は、サンプルの１４０ｕＬを算出するために血液の流れを増加させるために十分である。一実施形態では、前記温度は、サンプルの１５０ｕＬを算出するために血液の流れを増加させるために十分である。随意的に、前記熱的に制御された部位は、患者の上の標的の部位の輪郭に適合するために輪郭付けられた、形状化された表面である。
【０１２５】
実施形態では、前記熱的に制御された部位は、容易に清掃され、及び殺菌される硬い表面を含む。そのような表面は、例えば、プラスチック、ガラス、硬質ゴム、アクリル、ポリマー、及び他の物質であり得るか、それらを含み得る。実施形態では、前記熱的に制御された部位は、容易に清掃され、及び殺菌されるソフトな又は詰め物をした表面を含む。そのような表面は、例えば、布、ゴム引きの布、軟質ゴム、及び他の物質であり得るか、又はそれらを含み得る。
【０１２６】
実施形態では、そのような温度制御された作業表面は、加温用テーブルと称されることができる、テーブルの一部として提供される。従って、サンプル収集室は加温用テーブルを含み得る。加温用テーブルは、被験者の手、足、又は他の身体の一部を温めるために構成され得る。前記加温用テーブルは、傾斜角を変化させることができ；及びその高さは調節可能であり得る。加温用テーブルは、被験者の左手、又は右手と共に用いるために構成され得る。加温用テーブルは、被験者の左足、又は右足と共に用いるために構成され得る。例えば、加温用テーブルは、椅子に座る被験者のどちらの側かで、椅子（リクライニングチェアー等の）の近くに配置されるために構成され得る。
【０１２７】
加温用テーブルは、サンプルを得るために、被験者が、彼らの身体の一部（例えば、手、腕、足、又は他の部分）をその上に配置できる温度制御された表面を提供する、任意の家具の一点であり得ることが理解されるであろう。従って、加温用テーブルは、被験者の身体の一部を受け取るために構成された、そのような温度制御された表面を提供し；そのような温度制御された表面及び例えば、補給品のための保管場所も提供することができ；そのような温度制御された表面及び被験者の身体の手、腕、足、又は他の部分の配置のためのガイドも提供することができ；そのような温度制御された表面及び、例えば、被験者又は被験者の身体の一部、廃棄物を入れるレセプタクル、並びに他の特徴、要素、及びそれらの組み合わせを照明するための照明も提供することができる。補給品の保管場所は、引き出し、棚、箱、スロット、ラック、又は他の特徴により提供され得る。廃棄物を入れるレセプタクルは、任意の廃棄物を受け取るために構成されることができ、バイオハザード廃棄物を（例えば、体液又は組織を含む廃棄物）；又はその両方を受け取るために構成され得る。
【０１２８】
実施形態では、加温用テーブルは調節可能であり、前記加温用テーブル表面の温度（例えば、サンプルが取得されるか、又はされるべき被験者の身体の部分と接触している表面）を調節するために有効である。実施形態では、加温用テーブルは調節可能であり、加温用表面の高さを調節するために有効であることを含み、前記加温用テーブルの高さを調節するために有効である。実施形態では、加温用テーブルは調節可能であり、前記加温用テーブルの配向、又は傾斜角を調節するために有効である。実施形態では、加温用テーブルは、調節可能であり、被験者からの前記加温用テーブル（又はその表面）の距離を調節するために有効である。実施形態では、加温用テーブルは調節可能であり、前記加温用テーブル上の、又はその近くの手又はアームレスト等のレストの存在、位置、及び配向を調節するために有効である。
【０１２９】
実施形態では、加温用テーブルは、そこから血液サンプルが採集されるべき手又は他の身体の一部を、指からの血液滴の重力による流れを促進するために、最適の高さ及び配向に配置するために構成される。加温用テーブルは、被験者に接触するための追加的な表面を提供する、アームレスト、又はハンドレスト、又は他のレスト等の、レストを含むことができ；そのような表面は、手、又は腕、又は足、又は脚、他の身体の一部を、被験者に対してより快適に、サンプル採集技術者に対してより便利に、又はその両方のために、位置決めさせることができる。そのようなレストは、２つ以上の位置又は配向に配置されるために、構成され得る。そのようなレストは、引き込めることができるか、又はさもなければ、必要のないときには、被験者又はサンプル収集技術者から邪魔にならないように配置されるか、又は収納されるために構成され得る。加温用テーブルは、サンプル収集技術者の座席又は配置が被験者に近くなるように適合させるために設計され得る。加温用テーブル、又はその表面は、調節可能であり得るか、又は被験者、サンプル収集技術者、又は両方の快適さ、及び利便性のために配置、又は配向され得る調整可能な表面を含み得る。例えば、加温用テーブルは、必要に応じて、被験者又はサンプル収集技術者に適合させるために、遠延伸させ得るか、又は引っ込めることができるスライドする表面を含むことができ；被験者又はサンプル収集技術者を必要に応じて適合させるために、配向させることができる、傾斜角を変更できる表面を含むことができ；被験者又はサンプル収集技術者を必要に応じて適合させるために、上昇させ得るか、又は低くすることができるか、又はさもなければ調節可能である、表面を含むことができる。
【０１３０】
従って、加温用テーブル、又はその表面の、１つ以上の横方向の位置、高さ、及び配向（例えば、傾斜角又は反り）は、調節可能であり得る。例えば、加温用テーブルの上部表面又はその部分の高さは、例えば、被験者、サンプル採集技術者又はその両者のの快適さ又は利便性に適合するために、調節可能であることができる。同様に、加温用テーブルの上部表面、又はその部分の配向は、例えば、被験者、サンプル採集技術者又はその両者のの快適さ又は利便性に適合するために、調節可能であることができる。実施形態では、加温用テーブルの上部表面又はその部分は、容易な清掃及びサンプル収集の間に無菌性を保つために構成され得る。加温用テーブルの上部表面は詰め物をされ得るか、又は詰め物をした部分を含み得る。加温用テーブルの上部表面は、防水加工されているか、耐水性であるか、又は防水加工されているか、耐水性である部分を含み得る。
【０１３１】
実施形態では、被験者の身体の部分を（例えば、サンプル収集の間に）受け入れるために構成された加温用テーブルの上部表面の高さ（床から測定されるものとして）は、高さにおいて、約１０インチ〜約４０インチ；又は約１５インチ〜３０インチ；又は約１６インチ〜２８インチ；又は約２０インチ〜約２４インチであることができる。実施形態では、加温用テーブルのテーブルは、長さにおいて、約２０インチ〜約６０インチ；又は約２４インチ〜５４インチ；又は約２０インチ〜５０インチ；又は約３５インチ〜約４５インチであることができる。実施形態では、加温用テーブルの幅は、幅において、約８インチ〜約３０インチ；又は約１０インチ〜２４インチ；又は約１２インチ〜１８インチ；又は約１１インチ〜約１５インチであり得る。実施形態では、加温用テーブルは、約３８〜４２インチの長さ、１２〜１５インチの幅、約１９〜約２３インチの高さを有し得る。
【０１３２】
実施形態では、被験者の身体の部分を（例えば、サンプル収集の間に）受け入れるために構成された加温用テーブルの上部表面の配向は、前記サンプル収集室の床に対して、実質的に平行であり得る。
【０１３３】
サンプル収集の間に、被験者は、加温用テーブルの隣に座るか、又はその隣に横たわることができる。加温用テーブルの隣にに座るか又はその隣に横たわるときには、前記被験者は、被験者の頭から被験者の足に向かって延伸する被験者配向軸を示す。この被験者の身体の部分を（例えば、サンプル収集の間に）受け入れるために構成された加温用テーブルの配向は、調節可能であることができ；実施形態では、そのような配向は、実質的に前記被験者配向軸に平行な軸に沿って調整可能であることができるか；又は前記被験者配向軸に実質的に垂直な軸に沿って、調整可能であり得る。実施形態では、加温用テーブルの上部表面の配向は、２つの軸に沿って調整可能であり得る（例えば、前記被験者配向軸に実質的に平行な軸に沿って、及び実質的に垂直な軸に沿って）。前記加温用テーブルの上部表面の配向は、他の軸に沿ってか、又はこれらの記載された軸に沿うことと同様にか、又はそれらに代わって、他の方法により調整可能であり得ることが理解されるであろう。実施形態では、前記加温用テーブルの上部表面の配向は、約０°〜約９０°、又は約０°〜約４５°、又は約０°〜約３０°、又は他の範囲の角度（０°が水平面、即ち、実質的に床に平行である）の間で調整可能であることができる。
【０１３４】
加温用テーブルの上部表面の、高さ、又は配向、又は両方の調節は、上部表面以外の加温用テーブルの部分の調節を含み得る；例えば、加温用テーブルの上部表面の高さ又は配向の調節は、脚、又は複数の脚、又は前記加温用テーブルにより、又は前記加温用テーブルが配置される表面（例えば、床又は床の部分、又は床の他の表面）の調節により達成されることができ；テーブルの上部部分の調節により達成されることができ；テーブルの下部部分の調節により達成されることができ；テーブルの中間的な部分の調節により達成されることができ；又はそれらの組み合わせにより達成されることができることが、理解されるであろう。
【０１３５】
加温用テーブルは、血液サンプルを得るために、穿刺する前に、被験者の指を温めるために用いられ得る。前記加温用テーブルの熱的制御は、指加温器（被験者の指、複数の指、又は手の上、又は周囲に配置するための携行可能な機器）と連結して用いられ得る。前記加温用テーブルの熱的制御は、指加温器の代わりに用いられ得る。実施形態では、加温用テーブルは、内蔵型の廃棄物レセプタクルを含み得る。実施形態では、そのような内蔵型の廃棄物レセプタクルは、バイオハザードの箱であり得るか、又はそれを含み得る。
【０１３６】
サンプル収集室は、椅子を含み得る。実施形態では、前記椅子はリクライニングチェアーであることができる。前記椅子は、被験者の腕又は手への配置の容易さのために構成されることができ、前記被験者手を加温用テーブルの上に配置するために効果的であり、例えば、血液サンプルを取得する前の手の効果的な加温のための、加温用テーブルの適正な配置に対して有効である。実施形態では、本明細書において開示されるサンプル収集室の椅子は、被験者の腕を快適に支えるために適したアーム、又は複数のアームを有することができ；前記椅子の被験者が快適さ、安心、及び安全のために後ろに傾くことを可能にするためにリクラインすることができ；及び技術者により両側から接近することができ（例えば、サンプルを得るために被験者の左腕又は手、及び右腕又は手に、技術者が等しく接近できるように構成される）。前記被験者の足がサンプルを得るために使われるべき場合には、前記椅子は、被験者の脚又は足の容易な配置のために構成されることができ、加温用テーブルの上に前記被験者の足を、例えば、血液サンプルを得る前の足の効果的加温に対して効果的である、加温用テーブル上での適正な配置に配置するために効果的である。脚又は足からのサンプル収集は、例えば、小児患者、又は肢切断患者、又は手への血流に障害のある患者、又は他の被験者にとって、より好適であることができる。ブースター、枕、挿入物、又は他の品目又は特徴が、前記サンプルを取得するために小児又は他の患者を適正な位置に、位置決めするために用いられ得る。実施形態では、本明細書において開示されるサンプル収集室の椅子は、サンプル収集室のコーナーに配置され得る。実施形態では、本明細書において開示されるサンプル収集室の椅子はアイボリー、白色、又はオフ・ホワイト、又は他の中間色に彩色されることができ；少なくとも部分的に木でできたアーム又はひじ掛け（例えば、樺材、松、又は他の木）を有することができ；及び少なくとも部分的に木でできた脚レスト（例えば、樺材、松、又は他の木）を有し得る。
【０１３７】
そのような椅子は、加温用テーブルに隣接して配置されることができ被験者が、サンプル収集に用いられるべき、手、又は他の身体の一部を、前記加温用テーブル上に、快適に配置することができる。実施形態では、前記加温用テーブルは移動可能である。実施形態では、前記椅子及び前記加温用テーブルは、共に用いるために構成される。実施形態では、前記椅子は、前記加温用テーブルに接続される。実施形態では、前記椅子及び前記加温用テーブルは、単一のユニットを形成する。実施形態では、前記椅子及び前記加温用テーブルは、前記椅子及び加温用テーブルを共に接続（例えば、掛け金をかけること、ロックすること、又はさもなければ固定すること）後に単一のユニットを形成する。実施形態では、前記椅子及び前記加温用テーブルは、単一のユニットになるために修正され得る（例えば、ねじ、釘、クランプ、又は他の永続的又は半永続的な結び付けにより）。実施形態では、前記椅子及び前記加温用テーブルは、単一のユニットとして構築される。
【０１３８】
サンプル収集室は冷蔵庫を含み得る。実施形態では、サンプル収集室２つの冷蔵庫を含むことができるか、又は複数の冷蔵庫を含むことができる。冷蔵庫は、換気されたキャビネット内に配置され得る。実施形態では、冷蔵庫は、技術者により容易にアクセスできるために（例えば、物質又は補給品の回収、又は採集に続くサンプルの配置、又は他の使用のために）便利な水準に配置される。実施形態では、カウンターの高さは、冷蔵庫の配置のためにベンチな高さである。実施形態では、冷蔵庫は、作業表面の右に配置され得る（例えば、テーブル、又は加温用テーブル、又はサンプル収集のために、被験者が標的の身体部位を、休息させる他の表面は、技術者が、サンプル収集のための場所に着席した時に技術者の右に配置される）。２つ以上の冷蔵庫を含むサンプル収集室の実施形態では、１つ以上の冷蔵庫は、サンプル収集に続くサンプルの保管場所のために指定されることができ、及びそのために使用され得る。サンプルの保管場所のために、指定されることができ、及び使用されることのできる、１つ以上の冷蔵庫を含むサンプル収集室の実施形態では、そのような１つ以上の冷蔵庫は、“バイオハザード”冷蔵庫に指定され得る。２つ以上の冷蔵庫を含むサンプル収集室の実施形態では、１つ以上の冷蔵庫は、食物、飲料、並びにサンプル収集又はサンプル分析に用いる試薬、容器、及び消耗品の保管場所のために指定され及び使用され得る。食物、飲料、試薬、容器、及び消耗品の保管場所のために、指定されることができ、及び使用されることのできる、１つ以上の冷蔵庫を含むサンプル収集室の実施形態では、そのような１つ以上の冷蔵庫は“クルーンな”冷蔵庫に指定され得る。実施形態では、サンプル収集室内の冷蔵庫に保存された食物又は飲料は、被験者からのサンプルの収集の前に、又は被験者からのサンプルの収集後に、又はその両方に、被験者に提供され得る。実施形態では、サンプル収集室内の冷蔵庫に保存された食物又は飲料は、サンプル収集又は分析に有用であることができる；例えば、耐糖能検査が遂行されるべき時に有用であることができ、被験者には、サンプル収集の前に、グルコースを含む飲料又は食物が与えられることができる。
【０１３９】
実施形態では、サンプル収集室は、遠心分離機を含み得る。実施形態では、サンプル収集室に含まれる遠心分離機は、前記サンプル収集室において収集された小量のサンプルを受け取り、及びそれに対して操作する（例えば、遠心力を加えるために有効な回転を与える）ために構成され得る。実施形態では、サンプル収集室に含まれる遠心分離機は、前記サンプル収集室において収集された小量のサンプルを保持するサンプル容器を受け取るために構成され得る。実施形態では、サンプル収集室に含まれる遠心分離機は複数のサンプル容器であって、それぞれが、前記サンプル収集室において収集された小量のサンプルを保持する、複数のサンプル容器を受け取るために構成され得る。実施形態では、サンプル収集室に含まれる遠心分離機は小量の校正試薬を保持する、１つの、又は複数の校正容器を受け取るために構成され得る。実施形態では、サンプル収集室に含まれる遠心分離機は、テーブル、カウンタートップ、又は他の作業表面の上に配置されるために、又はそこで使用されるために構成され得る。
【０１４０】
実施形態では、サンプル収集室はコンピュータを含むことができ、及び１つ以上のコンピュータ、キーボード、マウス、及びモニター（例えば、コンピュータに操作可能に接続され得る）を含み得る。実施形態では、サンプル収集室は、サンプル、容器、試薬、キット、個人患者（被験者）、又は他の標識された物質に関連する：ｉ）バーコード、ＱＲコード（登録商標）、セルフォン上に表示される画像、又は他の光学的ラベル又は光学的コード等の光学的なコードを読み取る能力があるか；ｉｉ）磁気帯、又は他のラベル又はコード等の磁気コードを読み取る能力があるか；ｉｉｉ）無線周波数読み取り（ＲＦＩＤ）ラベル又はコードを読み取る能力があるか；又はｉｖ）他のラベル又はコードを読み取る能力のあるスキャナー、リーダー、又は他の機器を含み得る。実施形態では、サンプル収集室は、バーコード・プリンター、又はラベル・プリンター、又は例えば、前記サンプル収集室で収集されたサンプルに貼付するためのラベル、タグ、サイン、又は他の識別子を調製するために適した他の機器を含み得る。
【０１４１】
落ち着かせるための特徴は、流れる水、花、植物、香り、音、画像、及びサンプルを取得する前、間、後の、被験者により感じられる不安感を減少させ得る、他の特徴及び要素から選ばれる。花は、切り花であり得るか、植物の一部として成長している花であるか、造花、又は花の画像であり得る。
【０１４２】
サンプル収集室は落ち着かせるための特徴を含み得る。例えば、落ち着かせるための特徴は流れる水（例えば、壁面に沿って、上部の場所から、下部の収集樋又はフレームまで落ちる水流等の流れる水を持つ壁の固定物；噴水；その上を水が流れる岩石；人工的な流れ；及び他の流れる水の特徴）を含み得る。水の特徴を含む、落ち着かせるための特徴は、羊歯、竹、苔、花の咲く植物（例えば、蘭、薔薇、及び他の植物）、盆栽の木及び植物、並びに他の植物を含む植物も含み得る。水の特徴は、落ち着かせる音を産生し得る。
【０１４３】
落ち着かせるための特徴は、水の特徴に加えて、又は水の特徴なしで、落ち着かせる音を含むことができ；例えば、スピーカーが、録音された又は合成された音楽又は音を提供できる。そのような音楽は、典型的に、落ち着かせるために、不安を軽減するために、被験者の平静を生み出すか、又は増大させるために設計された、落ち着かせる音楽である。そのような音は、ホワイトノイズ音、浜辺の音、森の音、鳥の音、交通音、及び他の音、及びそれらの組み合わせを含み得る。
【０１４４】
落ち着かせるための特徴は、前記サンプル収集室中に存在するキャンドルにより提供され得る、又はろうそくの芯、クッション、テープ、香油、エアロゾル、又は前記サンプル収集室又は換気口に接続され及び前記サンプル収集室に接続された空気の流れの中に存在する他の手段により提供され得る落ち着かせる香りを含み得る。そのような落ち着かせる香りは、天然、人工的、又はそれらの組み合わせに関わらず、香水、芳香、及び他の香り及び香りを付けられた物質を含み得る。落ち着かせる香りは、例えば、バニラ、薔薇の香り、ラベンダー、ココナツ、マジョラム、カモミール、ライラック、柑橘類の香り、及びその他を含む。そのような香りは、前記サンプル収集室内に存在するか、又は前記サンプル収集室への空気の流れの源の中に、若しくはその近くに配置された、花（例えば、薔薇、ジャスミン、ゼラニウム、及びその他）又は植物（例えば、セージ、ミント、ローズマリー、及びその他）から提供され得る。
【０１４５】
実施形態では、前記サンプル収集室の壁、家具、作り付けの備品、及び他の要素は、白色又はオフホワイトであり得る。実施形態では、前記サンプル収集室の壁、家具、作り付けの備品、及び他の要素は、落ち着かせる色、例えば緑、青、黄色及び他の淡い色を含む淡いパステル色で彩色され得る。実施形態では、黒、赤、村さ来、及び他の色は避けられることができる。実施形態では、前記サンプル収集室の壁、及び作り付けの備品は、白色又はオフホワイトであることができ、及び他の落ち着かせる色のアクセント又はデザインを含み得る。実施形態では、サイン、ポスター、及び他の壁に吊り下げられたもの（ビデオモニター及び薄型スクリーンのモニターを含む）は、水の静止、又は動画像（例えば、水流、湾、又は海の画像）を含むことができ、及びサンゴ、昆布、又は他の水生植物及び動物（例えば、クラゲを含む魚、又は他の水生動植物の画像を含み得る。実施形態では、サイン、ポスター、及び他の壁に吊り下げられたもの（ビデオモニター及び薄型スクリーンのモニターを含む）は、庭園、森林、及び植物の静止、又は動画像及び他の田園の静止、又は動画像を含み得る。実施形態では、壁に取り付けられたビデオモニターは、連続的な、落ち着かせる、水生動植物をテーマとしたデオ画像を提供でき；そのような画像は、又はビデオ画像に関連する、又はそれを補足する、落ち着かせる音楽又は落ち着かせる音を伴うことができる。
【０１４６】
本明細書において開示されるサンプル収集室における照明は、典型的には、日光よりも暗く、及びソフトな白色照明であることができるか；又は埋め込まれた照明であるか、若しくはそれを含むことができ；又は間接照明であるか、若しくはそれを含むことができ；又はさもなければ、ぎらぎらを減少させるために、及び部屋のデザイン及び特徴の落ち着かせる効果に一致して、及び増大させるために構成される得る。実施形態では、サンプル収集室内のソフトな白色照明は、約２０００Ｋ〜約４０００Ｋのソフトな、白色照明であることができ；実施形態では、サンプル収集室内のソフトな白色照明は、約３０００Ｋのソフトな、白色照明である。サンプル収集室は、調整可能な照明を有することができるので、光強度は、薄暗いものから明るいものまで、及びその間の他のレベルに調節することができ、被験者に対して、落ち着かせるか又は安心させる効果を提供するために効果的である。
【０１４７】
実施形態では、本明細書において開示されるサンプル収集室内の床は、典型的には、部屋のデザイン及び特徴の落ち着かせる効果に一致して、及び増大させるために構成される得る。実施形態では、本明細書において開示されるサンプル収集室内の床は、軽い竹の床を含み得る。
【０１４８】
本明細書において開示されるサンプル収集室は、保管場所キャビネット、又は保管場所のモジュール、又は棚、又はテーブル（サンプル収集の間に標的の身体部位を支持するためのテーブルに加えて）、又は補給品を保存するために適した他の家具を含み得る。本明細書において開示されるサンプル収集室に保存される補給品は、典型的には、サンプル収集の間に使用される補給品（容器、ランセット、チューブ、詰め物、ガーゼ、及び他の品目及び物質）を含み；情報の文献及び同意書；補充補給品（例えば、ペン、紙、インク等）；水の瓶；及び他の補給品を含む。技術者の個人的な品目のための保管場所も提供されることができ、及び本明細書において開示されるサンプル収集室内の保管場所キャビネット、又は保管場所のモジュール、又は棚、又は他の家具により、又はそれらと共に収納され得る。加えて、テーブル、棚、又はキャビネットは、被験者に対する冊子、情報の文献、読み物、又は他の物質を収納するために、及び展示するために用いられ得る。
【０１４９】
サンプル収集室は、サンプル収集技術者に、前記収集場所内の、それに隣接する、又は近接する場所におけるサンプル収集に必要な補給品及び装置を提供するために構成された、キオスク又はワークステーションを含むことができる。例えば、そのようなキオスク又はワークステーションは、被験者の四肢をサンプルを得るための適正な位置に配置するために構成されたテーブルを含み得るか、又はその近傍に配置され得る。実施形態では、そのようなテーブルは加温用テーブルであり得る。
【０１５０】
キオスク又はワークステーション（例えば、２０１４年３月１５日に出願された米国特許出願第６１／８５２，４８４号及び米国特許出願第１４／２１４，８５４号における）は、少なくとも１つの位置におけるユーザーの場所を決定するために適合した、前記ステーション及びユーザーの間の相互作用を可能にするユーザーの収容セクションを含むことができ；前記少なくとも１つの位置は、ユーザーが、患者サービスを受けるために、彼らの身体の一部を作業表面の上に位置決めすることを可能にする。そのようなワークステーションは、最初に開けることでアクセス可能なように構成された、安全な、温度制御されたサンプル保管場所；及びユーザーインターフェースを安全にするための、鍵のかけられるカバーを含むことができ；実施形態では、前記鍵のかけられるカバーは、前記サンプル保管場所を安全にしなくてもよい。実施形態では、安全な、温度制御されたサンプル保管場所は、最初及び二回目に開けることでアクセス可能であるように構成されることができ、１つの開口部を開くことができる、鍵、コード、又は構造物は、他の開口部を開けない。
【０１５１】
サンプルは分析のために遠隔の場所に送られることができる。サンプルは、前記サンプル収集場所において、又はそれに隣接する場所において分析され得る。サンプル収集室は、サンプル分析機器又はサンプル分析システムを収納することができ、及び従ってサンプル分析室としても機能する。サンプルは、小量のサンプル、例えば、単一の指先穿刺、又は２回又は数回の指先穿刺から取られることができる小量の血液サンプルであってよく、サンプルは、例えば、５時間未満、又は４時間未満の、短時間の期間で分析され得る。
【０１５２】
図１Ａは、待合室、サンプル収集室、バスルーム、前記バスルームを前記サンプル収集室に接続する壁面の開口部を含み、及び前記サンプル収集室に配置された（随意的な）サンプル分析機器を含む小売りの場所におけるサンプル収集センターを含む、例示的なシステムを示す。図１Ａに示されるように、システムは、小売店内（店の一部分が９００により示される）における、サンプル収集センター１００．であることができる。前記サンプル収集センター１００は、サンプル収集室１１０、待合室１２０、及びバスルーム１３０を含むことができ；前記サンプル収集室１１０及びバスルーム１３０は、壁面の開口部１４０により接続され、この開口部１４０は、例えば、尿、糞便、又は他のサンプルを前記バスルーム１３０から前記サンプル収集室１１０に渡すために用いられ得る。前記サンプル収集室１１０は、リクライニングチェアー１５０；加温用テーブル１６０；（随意的な）前記サンプル収集センターにおいて、前記サンプルを分析するためのサンプル分析機器１７０；壁に掛けられた流れる水１８０；調整可能なランプ１９０；冷蔵庫２００；及び植物２１０を含む。実施形態では、サンプル分析機器１７０は、床、又はテーブル、又は棚の上、又は他の便利な場所の中に配置され得る。実施形態では、冷蔵庫２００は、サンプル収集室１１０において収集されたサンプルの近くにあるべきではないか、又はそれを汚染し得るか、若しくはそれにより汚染され得る物質を保存するために用いられることができ；そのような冷蔵庫は、“クリーンな”冷蔵庫と称され得る。実施形態では、冷蔵庫２００は、サンプル収集室１１０において収集されたサンプルを保存するために用いられることができる；なぜならば、それはヒト又は他の生きている被験者から導出された物質を含むからであり、そのような冷蔵庫は“バイオハザード”冷蔵庫（その下部にクリーンな冷蔵庫２０４及びバイオハザード冷蔵庫２０６を図示する図１Ｄを参照されたい）と称され得る。．実施形態では、サンプル収集室１１０２つ以上の冷蔵庫２００を含み得る。実施形態では、サンプル分析機器１７０は、前記床の上、若しくはテーブルの上、若しくは棚の上、又は他の便利な場所の中に配置され得る。移動可能なスツール２８０が、例えば、サンプル収集の間に、サンプル分析の間に、又は任意の他の業務を遂行する間に、技術者により使用されるために提供され得る。技術者は、スツール２８０に座ることを選択することができるか、又はサンプル収集、分析、又は他の業務の遂行の間、立つことを選択し得る。前記サンプル収集室１１０内への空気の流れに、香りが付けられることができ、及び落ち着かせる音楽又は音が前記サンプル収集室１１０内に提供され得ることが理解されるであろう。待合室１２０から、前記サンプル収集室１１０へのアクセスは、２２０（スライドするドアとして示される）によることができる。小売店９００から前記待合室１２０へのアクセスはドア４３０の経由によることができる。被験者は、前記サンプル収集室１１０から、ドア３３０を経由して前記バスルーム１３０に入ることができる。バスルーム１３０は、流し３１０及びトイレット３２０を含む。椅子４１０は、サンプルが取られることを待っている被験者の便宜のために前記待合室１２０内に配置され；テーブル４２０は、待っている被験者のための情報的な文献又は軽い読み物のためのスペースを提供できる。
【０１５３】
図１Ｂは、小売店の場所内の待合室１２０、サンプル収集室１１０、遠心分離機２４０、冷蔵庫２００、及びバスルーム１３０を有するサンプル収集室の平面図を示す。示されている他の要素は、図１Ａにおいて、標識されて示されている。遠心分離機２４０及びサンプル分析機器１７０は、移動可能なスツール２８０の上に腰かけていることができる、技術者によるアクセスの便宜のために、テーブル２３０の上に配置されることができる。実施形態では、示されるように遠心分離機２４０はテーブル２３０の上に配置されることができるか、又は床、又は棚の上、又は他の便利な場所の中に配置され得る。実施形態では、示されるようにサンプル分析機器１７０は、テーブル２３０の上に配置されることができるか、又は床、又は棚の上、又は他の便利な場所の中に配置され得る。家具、作業表面、及びドアの例示的な配置が、この図中に示される。
【０１５４】
図１Ｃは、小売店の場所内の待合室１２０、サンプル収集室１１０、輸送容器２６０、冷蔵庫２００、及びバスルーム１３０を有するサンプル収集室の平面図を示す。実施形態では、輸送容器２６０は、示されるように床の上に配置され得るか、又はテーブル２３０の上、又は棚の上、又は輸送容器２６０を支持するか又は保持するためにに適した他の便利な場所の中に配置され得る。家具、作業表面、及びドアの例示的な配置が、この図中に示される。他の要素は、図１Ａ及び１Ｂにおいて、標識されて示されている。
【０１５５】
図１Ｄは、小売店の場所内の、待合室１２０、サンプル収集室１１０、遠心分離機２４０、クリーンな冷蔵庫２０４、バイオハザード冷蔵庫２０６、輸送容器２６０、及びバスルーム１３０を有する、サンプル収集室の平面図を示す。図１Ｄに図示されるように、実施形態では、サンプル収集室１１０は２つ以上の冷蔵庫２００を含むことができ；例えば、サンプル収集室１１０は２つの冷蔵庫を含むことができ、その内の１つはクリーンな冷蔵庫であることができ、及びその内の１つはバイオハザード冷蔵庫であることができる。実施形態では、サンプル収集室１１０は１つのクリーンな冷蔵庫２０４又は複数のクリーンな冷蔵庫２０４だけを含むことができるか、；又はサンプル収集室１１０は、１つのバイオハザード冷蔵庫２０６又は複数のバイオハザード冷蔵庫２０６を含むことができるか；又はこれらの組み合わせを含むことができる。実施形態では、バイオハザード冷蔵庫２０６はキャビネット（好適には換気されたキャビネットである）内に配置され得る。実施形態では、バイオハザード冷蔵庫２０６は、キャビネット内に封入され得る。実施形態では、バイオハザード冷蔵庫２０６は、テーブル、カウンター、又は棚の上、又はさもなければ（例えば、キャビネット内の）技術者に便利なアクセスを提供するカウンターの高さ又は他の高さに配置され得る。実施形態では、バイオハザード冷蔵庫２０６は、サンプル収集のために、標的の身体の場所を支持するために用いられる表面の右側に配置されることができ；例えば、加温用テーブル、又は加温用表面の右側に、又はリクライニングチェアー、又はサンプル収集が行われる他の家具、機器、又は要素の右側に配置され得る。実施形態では、クリーンな冷蔵庫２０４は、キャビネット（好適には換気されたキャビネットである）内に配置されることができ、及びキャビネット内に封入され得る。実施形態では、クリーンな冷蔵庫２０４は、テーブル、カウンター、又は棚の上、又はさもなければ（例えば、キャビネット内の）技術者に便利なアクセスを提供するカウンターの高さ又は他の高さに配置され得る。クリーンな冷蔵庫２０４は、例えば、耐糖能検査のためのグルコース飲料を保存するために用いられ得る。家具、作業表面、及びドアの例示的な配置が、この図中に示される。他の要素は、図１Ａ、１Ｂ及び１Ｃにおいて、標識されて示されている。
【０１５６】
図２は、加温用表面を有する加温用テーブルの実施例を示す。前記加温用テーブル５００は、いくつかの所望の場所の内のいずれかの中に配置され得る加温用表面５１０を有し；示されるように、加温用表面５１０は、スロットの中に滑り込み、及びそこから滑り出る。加温用表面５１０は、サンプル収集の間に用いる腕又は手等の被験者の身体の部分のための支持表面も提供する。加温用表面５１０の一部又は全てが、加温され得る。加温用テーブル５００は、示されるように保管のための引き出し５２０、及び調整可能な脚５３０を有する。調整可能な脚５３０の高さは、傾斜角を提供するために互いに独立して変更されることができるか；又は所望に応じて、水準表面を提供するために、一緒に調整されることができる。
【０１５７】
図３は、加温用表面と同時にアームレストを含む、加温用テーブルの実施例を示す。加温用テーブル６００は、被験者の快適さ及び便利さのため、及びより効果的なサンプル収集のための加温用表面６２０に隣接して配置され得る、延伸可能なアームレスト６１０を有する。加温用テーブル６００は示されるように保管場所の引き出し６３０、及び調整可能な脚６４０を有する。調整可能な脚６４０の高さは、傾斜角を提供するために互いに独立して変更されることができるか；又は所望に応じて、水準表面を提供するために、一緒に調整されることができる。
【０１５８】
本発明の出願人は、更に加温用プレートを開示し、これは加温用要素及び被験者の指、又は指、又は手に接触するための表面を含む。実施形態では、加温用プレートの上部表面、又はその部分は、サンプル収集の間の、容易な清掃及び無菌性を保つために構成され得る。この加温用プレートの上部表面は、詰め物をしたものであり得るか、又は詰め物をした部分を含むことができる。この加温用プレートの上部表面は、防水性又は耐水性であるか、又は防水性、又は耐水性の部分を含み得る。本明細書において開示される特徴を有する加温用プレートが図４に示される。
【０１５９】
本明細書において開示される加温用プレートは、テーブル、又は机、又は棚、又は他の表面上に休止するために適した、平板なプレートであり得る。本明細書において開示される加温用プレートは、テーブル、又は机、又は棚、又は他の表面の中に埋め込まれた、平板なプレートであり得る。本明細書において開示される加温用プレートは、被験者が、加温のために一本の指、又は複数の指、又は手、若しくは他の身体の一部を静置させることができるように位置づけられた、椅子のアームの中に埋め込まれた、又は長椅子のアームに埋め込まれた、又はベッド又は座るため若しくは休息するための他の家具の一点の中に、又はその近くに取り付けられたアームレストの中に埋め込まれた平板なプレートであり得る。
【０１６０】
前記加温用プレートの表面は、１つ以上の熱的に制御された部位を有することができ、前記患者上の標的の部位（例えば、指）の温度が、所望の温度にもたらされることができる。前記温度は調節可能であり得る。例として、及び限定ではなく、実施形態は、血流及び従って指先穿刺からの血液産出量を改善するために、指又は他の標的の部位を温めることができる。例えば、前記加温用プレートは、前記標的の領域への及び従って血液の流れを増加させ、十分な血液又は他の体液が前記被験者から採集される速度を増加させるための、熱的制御領域を有し得る。前記加温用プレートの加熱要素から導出された加熱は、前記標的の組織を約４０°Ｃ〜約５０°Ｃにもたらすために用いられる。実施形態では、前記加熱要素から導出される前記加熱は、標的の組織を、約４０°Ｃ〜約４４°Ｃ以内の温度範囲にもたらすために構成される。実施形態では、前記加熱要素から導出される前記加熱は、標的の組織を、約４１°Ｃ〜約４３°Ｃ以内の温度範囲にもたらすために構成される。実施形態では、前記加熱要素から導出される前記加熱は、標的の組織を、約４２°Ｃの温度にもたらすために構成される。実施形態では、前記加熱要素から導出される前記加熱は、標的の組織を、約４４°Ｃ〜約４７°Ｃ以内の温度範囲にもたらすために構成される。一実施形態では、前記温度は、約１２０ｕＬのサンプルを産生するために血液の流れを増大させるために十分である。一実施形態では、前記温度は、約１３０ｕＬのサンプルを産生するために血液の流れを増大させるために十分である。一実施形態では、前記温度は、約１４０ｕＬのサンプルを産生するために血液の流れを増大させるために十分である。一実施形態では、前記温度は、約１５０ｕＬのサンプルを産生するために血液の流れを増大させるために十分である。随意的に、前記熱的に制御された部位は、患者上の前記標的の部位に適合するために形成された形状付けされた表面である。
【０１６１】
実施形態では、前記加温用プレートの熱的に制御された表面は、容易に清掃でき、及び無菌化できる、硬い表面を含む。そのような表面は、例えば、プラスチック、ガラス、硬質ゴム、アクリル、ポリマー、及び他の物質であることができるか、又はそれらを含み得る。実施形態では、前記熱的に制御された部位は、容易に清掃でき、及び無菌化できる、ソフトな又は詰め物をした表面を含む。そのような表面、例えば、布、ゴム引きの布、軟質ゴム、及び他の物質であることができるか、又はそれらを含み得る。
【０１６２】
図４Ａは、例示的な加温用プレートの概略図を示し、矢印は、前記加温用プレートの表面上に１つ以上の指先を配置するために、手により取られる動作を図示している。前記加温用プレートの表面上への、指先、又は２つ以上の指先の配置は、前記指先の加温及び後続する前記指先の穿刺からの血液の流れを増加することを可能にし、前記指先からの血液サンプルの採集を支援する。使用中には、前記加温用プレートの表面は、典型的に自然な室温より高い温度にあり、及びその上に置かれた指先を約３０°Ｃ〜約４６°Ｃ、又は約３２°Ｃ〜約４５°Ｃ、又は約３４°Ｃ〜約４４°Ｃ、又は約３６°Ｃ〜約４３°Ｃ、又は約３８°Ｃ〜約４２°Ｃ、又は約３９°Ｃ〜約４１°Ｃに加温するために効果的である。実施形態では、使用の間は、前記加温用プレートの表面は、温度約３０°Ｃ〜約４６°Ｃ、又は約３２°Ｃ〜約４５°Ｃ、又は約３４°Ｃ〜約４４°Ｃ、又は約３６°Ｃ〜約４３°Ｃ、又は約３８°Ｃ〜約４２°Ｃ、又は約３９°Ｃ〜約４１°Ｃの温度に維持される。
【０１６３】
図４Ｂは、その上に被験者のいくつかの指先が休止している例示的な加温用プレートの上面を示す。図示されるように、前記被験者の指先は、前記加温用プレートとの接触により加温されつつあり及び従って指先穿刺の血液サンプルを得るために準備されつつある。被験者の手の指の加温に用いられる、加温用プレートの、わずかに異なる図が図４Ｃに示されている。図４Ｃは、前記椅子のアーム（図中の丸の中）内に配置された加温用プレート又は前記椅子に隣接するキャビネットの表面に配置された加温用プレート（この図の中の矢印は、前記椅子に取り付けられたキャビネットの上部表面上の加温用プレートを指す）を図示している。実施形態では、加温用プレートは、テーブル、机、棚、又は他の表面の上に配置され、それらに固定され、及びそれらの中に埋め込まれることができる。実施形態では、加温用プレートは、加温の間に、被験者が指、又は指、又は手を休止させるために便利な場所を提供するために効果的な表面の上に配置され、それらに固定され、及びそれらの中に埋め込まれることができる。実施形態では、加温用プレートは、加温の間に、被験者が指、又は指、又は手を休止させるために便利な場所を提供するために効果的な前記椅子のアーム、ソファー、長椅子、又は座るための他の家具の一点の上に配置され、それらに固定され、及びそれらの中に埋め込まれることができる。
【０１６４】
アームレスト内に加温用プレートを含む椅子及び前記椅子に取り付けられたキャビネット内の加温用プレートの例が図４Ｃに示される。他のシート（例えば、長椅子、ベンチ、寝台兼用の長椅子、又は他の座るための家具の一点、例えば、被験者を座らせるために適した座席）も、図４Ｃに示される椅子のアームレスト中の加温用プレートと同様に、それらのアームレストの中に加温用プレートを含み得ることが理解されるであろう。図４Ｃ中の椅子に示される取り付けられたキャビネットは加温用プレートを含み；そのようなキャビネットは、補給品（例えば、ランセット、容器、拭い取り、アルコール又は他のクリーナー、バンドエイド等を含む血液サンプルを得るための補給品）、装置、文献、及び被験者からの血液又は他の生物学的サンプルの採集に関連する他の用具及び物質を保存するためにも使用されることができる。実施形態では、加温用プレートを持つキャビネットは、前記椅子に取り付けられることなく、前記椅子に隣接して、又はその近傍に配置され得る。
【０１６５】
図５は、前記被験者からの生物学的サンプルの取得の間に、前記先端からの血液の流れを増大させるために被験者の指（又は他の先端、例えば、足指、又はかかと）を温めるために用いられることができる指加温器の実施例を示す。図５Ａ、５Ｂ、及び５Ｃ中に図示される特徴を有する指加温器は、例えば、暖かさを提供するために活性化され、及び指（又は２つ以上の指）の周囲に巻き付けられ得る。前記サンプルは、巻き付けられた１分後、２分後、３分後又はより後に取得され得る。例えば、数分の加温の後に、前記被験者の指又は複数の指は、指先を露出するために十分に包装を解かれ、及び前記皮膚を貫通するためにランセットにより突かれ、及び数滴の血液が、前記指先から放出され及び生物学的サンプルとして採取されることを可能にする。
【０１６６】
図５Ａは、本明細書において開示される特徴を有する指加温器の実施例の概略図を示し、設計の特徴及び例示的な寸法を図示する指加温器の上面図を提供している。図５Ｂは、本明細書において開示される特徴を有する指加温器の概略的な実施例を示し、指加温器の正面図及び指加温器の背面図を提供している。本明細書において開示される特徴を有する指加温器は、熱を提供するために動作される加温用組成物を封入する閉じた容器を含む。従って、指加温器は、所望の時に被験者の先端を加温するために用いられ得る熱を放出するために有効な発熱反応を起こすことができる物質を封入するポリマー、プラスチック、ゴム、布、又は他の柔軟な物質等の柔軟な外部カバー（例えば、“皮膚”）を有する、封入された区画を含む。前記柔軟な外部カバー又はそのようなカバーの内部部分は、典型的には前記封入された物質を漏らすことなく収容するために適しており、及び典型的には前記封入された物質を、意図的に動作させる前に、前記発熱反応の発生を防止するために適している。そのような外部カバーは、防水カバーであることができ、気密のカバーであることができ、並びに実施形態では、防水及び気密の両方であり得る。
【０１６７】
本明細書において開示される指加温器の外部カバーは、典型的にはソフトであるか、又は柔軟であるか、又はその両方であり、及び典型的には、例えば、指加温器を被験者の１本の指、又は２つ以上の指の周囲に巻き付けるために有効な、屈曲、折り畳み、又は他の操作を許容するために構成される。実施形態では、指加温器の外部カバーは、Ｎｙｌｏｎ（登録商標）、Ｄａｃｒｏｎ（登録商標）、Ｐｅｒｌｏｎ（登録商標）、Ｔｅｒｙｌｅｎｅ（登録商標）、Ｋｅｖｌａｒ（登録商標）、及び他のポリマー又はポリマー混合物等のポリマーを含み得る。実施形態では、指加温器の外部カバーは、ポリ塩化ビニル、ポリエチレン、ポチウレタン、又は他のポリマーを含み得る。実施形態では、指加温器の外部カバーは、メタロセンポリマー、又はメタロセンナイロン混合物等のメタロセン混合物を含み得る。例えば、実施形態では、指加温器は、メタロセン混合物／ナイロン／メタロセン混合物複合材料を含み得る。前記外部カバーの周囲、及び図５Ａ及び５Ｂの周囲の中の垂直の線として示される領域は、例えば、熱により、又は接着剤により、又は超音波溶接、又は他の手段により互いに融合されることができる。実施形態では、指加温器は、内部バッフル、又は複数の内部バッフルを含み得るか、又は２つ以上の封入された区画を含み得る。実施形態では、指加温器は、折り畳み可能であることができ、例えば、被験者の先端の周囲に折り畳まれることができるか、又はそれ自身の周りで折り畳まれることができる（保管場所に関して折り畳まれる）。実施形態では、指加温器は、巻かれるために構成されることができ、例えば、被験者の先端の周囲に巻かれることができるか、又はそれ自身の周りに巻かれることができる（例えば、保管場所に関して巻かれる）。実施形態では、指加温器柔軟であり得る。実施形態では、指加温器はヒンジを含み得る。図５Ａの延伸された構成に示されるように、前記指加温器は、実質的に長方形の形状を有することができ；前記長方形の周囲内の垂直の線は、前記指加温器を折り畳むために構成された位置を示す。実施形態では、延伸された構成にある、指加温器は正方形、又は円、又は楕円、又は他の形状を有し得る。
【０１６８】
図５Ａ及び図５Ｂに示されるように、指加温器１０は、約３〜約１２インチ、又は約４〜約１０インチ、又は約４．５〜約８インチ、又は約５〜約７インチである長さ１２を持つ、形状において大体長方形であることができる周囲２０を有することができる。周囲２０は、内側の周囲２２を取り囲むことができる。実施形態では、指加温器１０は、約６インチの長さ１２を有し得る。指加温器１０は、約１〜約６インチ、又は約２〜約５インチ、又は約２．５〜約４インチの幅１４を有し得る。実施形態では、指加温器１０は、約３インチの幅１４を有し得る。指加温器１０は、約０．０５インチ〜約０．５インチ、又は約０．１インチ〜約０．３インチ、又は約０．２インチの閉じ目幅２４を有し得る外部の閉じ目、又は溶接を含み得る。指加温器１０は、従って前記外部の閉じ目２４の中に約０．５〜約５インチ、又は約１〜約４インチ、又は約１．５〜約３インチ、又は約２．５インチの内部幅１６を有する内側の区画４０を提供できる。
【０１６９】
指加温器１０は、前記指加温器１０の他の部分より薄い、又は抵抗の少ない部分を提供することにより、指加温器を折り畳むことを促進し得る、内部バッフル３０又は複数の内部バッフル３０を含み得る。内部バッフル３０は、１つの壁から前記周囲２０及び反対側の壁まで延伸し得るか、又は図５Ａ及び５Ｂに示されるように、内部バッフル３０は、１つの壁から部分的に延伸して、周囲２０の反対側の壁の手前で停止し得る。第一の内部バッフル３０は、例えば、約０．３〜約２インチ、又は約０．５〜約１．５インチ、又は約１インチの間隔３６により第二の内部バッフル３０から間隔をあけて離れることができる。内部バッフル３０は、約０．０１〜約０．５インチ、又は約０．０５〜約０．２インチのバッフル幅３２を有することができるか、又は約０．１インチのバッフル幅３２を有し得る。内部バッフル３０は、約０．５〜約６インチのバッフル長３４を有し得るか、又は約１〜約４インチのバッフル長３４を有し得るか、又は約１．５〜約３インチのバッフル長３４を有し得る。実施形態では、内部バッフル３０は、約２インチのバッフル長３４を有し得る。
【０１７０】
指加温器１０は、封入された空間（例えば、図５Ａ及び５Ｂに示される内部区画４０）を提供する。実施形態では、内部区画４０は、約５ｍＬ〜約２５０ｍＬ；又は約１０ｍＬ〜約２００ｍＬ；又は約１５ｍＬ〜約１００ｍＬ；又は約２０ｍＬ〜約８０ｍＬ；又は約３０ｍＬ〜約６０ｍＬ；又は約３５ｍＬ〜約４５ｍＬの容積を含み得る。
【０１７１】
指加温器１０は、図５Ａ及び５Ｂに示されるように、単一の内部区画４０（この図では、バッフル長３４が内部幅１６よりも小さいために、内部バッフル３０は、完全には内部区画４０の内部部分を分離しない）を有し得る。実施形態では、指加温器１０複数の封入された空間（例えば、内部バッフル３０と同様であるが、周囲の壁から完全に別の壁に延伸し、内部区画４０の別の部分から内部区画４０の一部分を封鎖する障壁により分離された封入された空間）を有し得る。
【０１７２】
指加温器１０の封入された空間（例えば、図５Ａ及び５Ｂに示される内部区画４０）は、加熱組成物（例えば、例えば、発熱反応により熱を提供する能力を有する組成物）を保持できる。例えば、前記指加温器の封入された空間は、曲げられた時に塩の結晶化を引き起こし、それにより熱を放出する金属ディスク等の動作要素を含む、過飽和の塩溶液（例えば、水中の過飽和の酢酸ナトリウム）を保持し得る。実施形態では、前記指加温器の封入された空間は、鉄（典型的には粉として）を含み、典型的には塩を含み、及びしばしば活性化された炭素及び他の物質も含む水に基づく溶液を保持することができ；前記鉄は、空気に露出されたときに、鉄が酸化されるときに熱を放出し、被験者又は被験者の先端を温めるために効果的である。
【０１７３】
指加温器１０は、酸化され得る組成物（例えば、鉄粒子を含む組成物）；又は適正な条件下において熱を放出し得る他の組成物を含み得る。酸化され得る組成物は、前記組成物及び空気（又はより具体的には、前記組成物及び前記空気中の酸素）の間の接触を避けるために、収容又は保存され；空気へのアクセスを提供することが、所望の熱生成を開始する。従って、酸化され得る組成物を、その内部区画４０内に含む指加温器１０は、前記酸化され得る組成物及び空気の間の接触を防止することにより、使用のための準備状態が維持され、及び前記酸化され得る組成物及び空気の間の接触を許容することにより加熱が開始され得る（例えば、前記酸化され得る組成物及び空気の接触を可能にする、ポートを覆うカバーを取り除くことにより、又はさもなければ前記酸化され得る組成物を含む気密な封入を破壊することにより）。
【０１７４】
指加温器１０は、適正な条件下で熱を放出する過飽和の塩溶液等の過飽和の溶液を含み得る。過飽和の塩溶液（過飽和の酢酸ナトリウム等の）は、その中にトリガー５０を含み得る。トリガー５０は、例えば、変形されたときに、前記過飽和の溶液からの熱の放出を引き起こし得る、金属ディスクであり得る。指加温器１０が、単一の内部区画４０を有する実施形態では、前記内部区画４０内の加熱組成物の活性化は、最終的には前記加熱組成物の全てを活性化する。実施形態では、内部区画４０を内部区画４０の別の部分から分離するために、内部バッフル３０、又は複数の内部バッフル３０が、周囲２０の１つの壁から周囲２０の反対側の壁まで延伸する実施形態等の実施形態では、指加温器１０は、加熱組成物が、分離された内部区画４０中に封入された分離された部分を有し得る。指加温器１０が複数の内部区画４０を有する、そのような実施形態では、１つの内部区画４０内の加熱組成物の活性化は、別の内部区画４０内の加熱組成物を活性化しないことができるか、又は全ての前記内部区画４０内の加熱組成物を活性化しないことができる。
【０１７５】
図５Ａでは、トリガー５０が、前記内部区画４０内の適切な場所にあることが示される。トリガー５０は、指加温器１０内の加熱組成物からの熱の放出を開始するために用いられる（そのような開始は、前記加熱組成物の“活性化”と称され得る）。例えば、過飽和の塩溶液中のトリガー５０の屈曲又は変形は、前記過飽和の溶液の塩の結晶化を開始するために効果的であり；前記塩が適切な塩である場合に、そのような結晶化は熱を生成する。例えば、過飽和の酢酸ナトリウム溶液内のトリガー５０の変形は、その溶液中背の結晶の形成を引き起こすことができる。理論に拘束されることなく、割れ目の中、ピーク又は断絶の上、又は前記トリガー５０の表面上に形成された酢酸ナトリウムの結晶は、前記トリガー５０の変形により除去されることができ、及び酢酸ナトリウム結晶形成のための核生成の中心として利用可能にされる。実施形態では、トリガー５０は、酢酸ナトリウム（又は他の塩）結晶を保持する小さな包み又は容器であることができ、及び周囲の過飽和の酢酸ナトリウム（又は他の塩）溶液からの熱の生成を、前記結晶の放出、又は他の結晶及び前記過飽和の溶液の接触により開始することができる（例えば、前記小さな包み又は容器を引き裂くか、又はさもなければ開くことにより）。
【０１７６】
実施形態では、トリガー５０は、例えば、約０．０５〜約０．４インチ、又は約０．１〜約０．３インチ、又は約０．２インチの厚さを有する薄い金属ディスク等の金属ディスクを含み得る。実施形態では、トリガー５０は、約０．１〜約２インチ、又は約０．３〜約１．５インチ、又は約０．５〜約１インチ、又は約０．７５インチの厚さを有する薄い金属ディスク等の金属ディスクを含み得る。実施形態では、トリガー５０は、典型的には、酢酸ナトリウム又は他の塩に接触した時に、分解又は腐食しない物質により形成される。実施形態ではトリガー５０はステンレス鋼のディスクであることができ；代替的な実施形態では、トリガー５０は、別の金属、又は屈曲されるか、破壊されたときに発熱反応を引き起こし得る他の物質により形成され得る。実施形態では、トリガー５０は、正方形、又は長方形又は楕円形、又は他の形状を有し得る。実施形態では、トリガー５０は、連続的な表面、又は孔、又は細孔、又は前記トリガー表面の連続性を破壊する他の特徴を有し得る。実施形態では、トリガー５０は平坦な表面を有し得るか、又は不規則な表面、又は粗い表面を有し得るか、又は溝、陥没、頂上部、隆起、又は前記トリガー５０の表面から上昇、又は落下する他の特徴を有し得る。
【０１７７】
指加温器１０の内部区画４０内の加熱組成物の活性化に先立ち、前記指加温器１０及びその内容物は、典型的には室温にある。加熱組成物の活性化に続いて、前記指加温器１０及びその内容物は、約３２°Ｃ〜約４８°Ｃ、又は約３５°Ｃ〜約４５°Ｃ、又は約３７°Ｃ〜約４３°Ｃ、又は約３９°Ｃ〜約４１°Ｃの温度に達する。これらのレベルの熱生成は前記加熱プロセスの開始に続いて、約５〜１５分間、又は約８〜１０分間継続し得る。所望の場合には、前記温度範囲は、前記加熱組成物の変更により増加され得る（例えば、過飽和の酢酸ナトリウム溶液中の酢酸ナトリウムの濃度を増加させることにより、又は熱の生成のために鉄の酸加に依存する、加熱組成物中の鉄の濃度の量を増加させることによる等）。代替的に、より少ない熱の生成が望まれる場合には、前記加熱組成物の塩又は鉄、又は他の活性成分の濃度の低下は、前記温度範囲を低下させ得る。
【０１７８】
図５Ｂは本明細書において開示される特徴を有する指加温器１０の前側（左手の画像）及び後側（右手の画像）の両方を示す。指加温器１０は、ファスナー６０及び７０を有し得る。ファスナー６０及び７０は、前記指加温器１０が、指の周りに巻かれるか、又は折り畳まれたときに、指加温器１０を固定するために用いられ得る。ファスナー６０及び７０は、例えば、Ｖｅｌｃｒｏ（登録商標）ファスナーは、互いに接触しているときに、指加温器１０の被験者の指の周りに、巻かれるたか、又は折り畳まれた構成を、押さえることができる。ファスナー６０及び７０は異なる、相補的な、ファスナー要素を含むことができ；例えばァスナー６０及び７０がＶｅｌｃｒｏ（登録商標）ファスナーを含む場合、ファスナー６０の外部表面は、それに対応する、及び相補的な、ファスナー７０の表面とは異なる。ファスナー６０及び７０が、異なるファスナーを含むことの更なる例は、ファスナー６０及び７０がファスナー６０及び７０の１つが突起部分を有し、ファスナー６０及び７０の他のものが陥没部分又はレセプタクルを有しており、それら同士がぴったりはまるスナップをファスナー６０及び７０が形成する場合に見出される。実施形態では、ファスナー６０及びファスナー７０は同様であるか、又は同一であることができ；例えばファスナー６０及びファスナー７０の両方がフックを有して、互いに噛み合うか、又はジッパーの２つの部分を含み得るか、又は他のファスナーを有し得る。ファスナー６０は、ファスナー幅６２及びファスナー長６４を有することができ；ファスナー７０は、ファスナー幅７２及びファスナー長７４を有することができる。図５Ｂに示される実施例では、ファスナー幅６２及びファスナー長６４は、ファスナー幅７２及びファスナー長７４とは異なるが；しかしながら、実施形態では、ファスナー幅６２及びファスナー長６４はファスナー幅７２及びファスナー長７４と同じである。実施形態では、図５Ｂに示されるように、ファスナー６０及び７０は、正中線に沿って配置されることができ（例えば、周囲２０の外部の縁から距離１９の線に沿って中心を持つ）；示されるような、正中線に沿った配置は、ファスナー６０とファスナー７０の対向を促進し、及び互いの締め付け機能を支援し、指加温器１０を締め付けられた構成に保持するために効果的である。実施形態では、互いに接触して、互いに締め付け合うように操作され得る限りは、ファスナー６０及び７０は非対称的に配置され得る。実施形態では、指加温器１０は、例えば、指の周りに巻きつけられたか、又は折り畳まれた構成にある、巻きつけられたか、又は折り畳まれた指加温器１０を保持するために用いられ得るストラップ、又はベルトを有することができる。
【０１７９】
図５Ｃは、被験者の指の周りに巻きつけられた指加温器１０を示す。前記指加温器１０は、バッフル３０に沿って折り畳まれており、及びそれは柔軟なために、他の場所においても、同様に曲げられるか、又は折り畳まれることもできる。そのような折り畳み、及びそのような屈曲は、単独であれ、共同であれ、指加温器１０を指、又は被験者の一部に巻き付けることを支援し、及び前記被験者からの生物学的サンプルの取得を促進するために、前記指、又は被験者の一部を加温することを支援する。
【０１８０】
図６は、本明細書において開示される特徴を有する指先の実施例を示す。示されるように、指先加温器は、被験者の指から血液サンプルを取得する準備のために少なくとも指の一部、又は少なくとも指先の一部を封入する携行可能な機器であり得る。例示的な指先加温器６８０の側面透視図が図６Ａに示される。指先は、スロット６９０を経由して加温器６８０内に挿入され得る。指先加温器６８０が、前記被験者の指先の周囲の適切な場所にあることが、図６Ｂに示される。指先加温器は、加熱要素を含み得るか、又は加熱要素に接続されることができ、指先を温めるために効果的である。指先加温器による加温の結果は、加温用テーブル、又は加温用プレートからの加温と実質的に同様であることができ；即ち、例えば、前記指先は、約３２°Ｃ〜約４８°Ｃの温度に加温され得る。例えば、指先加温器は、被験者の指先を約３２°Ｃ〜約４８°Ｃ、又は約３５°Ｃ〜約４５°Ｃ、又は約３７°Ｃ〜約４３°Ｃ、又は〜約３９°Ｃ〜約４１°Ｃの温度に温めるために効果的であり得る。実施形態では、指先加温器は、被験者の指先を約３９°Ｃ〜約４０°Ｃの温度に温めるために効果的であり得る。実施形態では、指先加温器は、被験者の指先を約３８°Ｃの温度に温めるために効果的であり得る。実施形態では、指先加温器は、被験者の指先を約３９°Ｃの温度に温めるために効果的であり得る。実施形態では、指先加温器は、被験者の指先を約４０°Ｃの温度に温めるために効果的であり得る。実施形態では、指先加温器は、被験者の指先を約４１°Ｃの温度に温めるために効果的であり得る。実施形態では、指先加温器は、被験者の指先を約４２°Ｃの温度に温めるために効果的であり得る。そのような指先加温器による加温は、例えば、約１００ｕＬのサンプル、約１１０ｕＬのサンプル、又は約１２０ｕＬのサンプル、又は約１３０ｕＬのサンプル、又は約１４０ｕＬのサンプル、又は約１５０ｕＬのサンプル、又はそれ以上のサンプルを産生するために、指先穿刺又は他の貫通からの血液の流れを増大させるために、十分である。
【０１８１】
被験者の指先を加温するための、又は複数の指を加温するための、又は手を加温するための機器の更なる実施形態が、図７に示される。図７に示されている例は、暖かい空気を、指先、又は指、又は複数の指、又は手を温めるために利用する加温器を図示している。図７に図示されるように、手は加温器７１０の開口部７２０中に挿入され得る。図７に図示される加温器７１０は、被験者の指先、指、指、又は手を休止させるための表面７３０も含むことができ；実施形態では、そのような表面は、被験者の指先、指、複数の指、又は手を加温のために適正な又は所望の位置又は配向に導くか又は配置するために構成され得る。示されるように、前記加温器７１０は、手、又は指、又は被験者を少なくとも部分的に封入するために構成され得る。実施形態では、図７に図示される加温器７１０は、加熱要素及びファンを含み得る。実施形態では、図７に図示される加温器７１０は、対流、又は空気を循環させるための他の手段により加熱を提供し得る。図７に図示される加温器７１０は、例えば、ヒートランプ又は他の赤外光源等の放射熱の源を含み得る。実施形態では、指又は指先を温めるために暖かい空気を用いる加温器は、単一の指を封入、又は単一の指の一部（例えば、指先）を封入するために、及び暖かい空気を、前記被験者の指先、指、複数の指、又は手に向けるか、その上に向けるために、構成されることができる。本明細書において開示される特徴を有する加温器７１０は、空気の流れを所望の方向に向けるための、スクリーン、又はバッフル、又は羽根、又は他の要素も含み得る。加えて、スクリーン、又はバッフル、又は羽根、又は他の要素は、前記被験者の指先、又は指、又は複数の指、又は手が、空気の源（例えば、開口部又は換気口）か；又はファン又はファンの羽根；又は加熱要素か；又は他の要素又は被験者が接触することが望まれない前記空気加温器の一部に近づきすぎないことを保証するために効果的である。
【０１８２】
本発明の出願人は、本明細書において、指先に取り付けられることができ、及び指加温器として機能し得るか、又は包帯として機能し得るか、又は圧迫を提供するための、又は他の目的のための、指玩具を開示する。例えば、指玩具の子供の指先への配置は、その子供に、快適さ、又は娯楽、又は気分転換を提供し得る。指玩具は、指先から血液サンプルを取得する前に、子供又は他の被験者の指に配置され得る。指玩具は、指先から血液サンプルを取得した後に、子供又は他の被験者の指に配置され得る。指玩具は、指先から血液サンプルを取得する前に、子供又は他の被験者の指に配置されることができ、及び指先から血液サンプルを取得した後に、子供又は他の被験者の指に再び配置され得る。子供等の従って被験者は、指の穿刺及びそれに続いて（例えば、指先穿刺に続いて）、指玩具を、快適さ、暖かさ、及び娯楽のために身に着けることができる。
【０１８３】
そのような指玩具の実施例が図８に示されている。指玩具８１０は、指先等の指８２０の一部分の上に配置されることができ；例えば、本明細書において開示される指玩具８１０は、指８２０の指先に、裁縫の間に指先を守ることを求める人が、通常指ぬきが指先（又は親指の先端）の上に配置する方式と同様の方式で適合され得る。実施形態では、指玩具８１０は、指８２０の実質的な部分の上に、又は指８２０の全体の上に、手袋の指が指を覆う方式と同様の方式で配置され得る。指玩具８１０は（例えば、内側のライニングとして）、吸収性の物質から形成されるか、又はそれを含むことができる。指玩具８１０は、バンドエイド又は他の絆創膏の代わりに、又はそれと連結して用いられ得る。指玩具８１０は、香水又は他の着臭剤を含み得る。指玩具８１０は指を暖かく保ち得るか、又は圧迫を与え得るか、又は指穿刺に続く何らかの不快感を軽減するために作用し得る他の身体的な感覚を提供し得る。
【０１８４】
示されるように、指玩具８１０は、顔、又は腕、又は毛を示唆するか、又は指から血液サンプルが取られた被験者（例えば、子供）を楽しませる、又は気分転換させる、又は快適に感じさせる、他の特徴を含み得る。指玩具８１０は、娯楽、気分転換、又は快適さを提供するか、又は被験者へのメッセージ又はリマインダーを伝達する書き込み、又は記号、又は他のマーキングを含み得る。実施形態では、指玩具８１０は、前記サンプルを遂行したか又は収集した場所又は企業を特定し得る。実施形態では、指玩具８１０は、商業的なメッセージを含み得るか、又は商業的なメッセージを伝達するシンボル又は他のマーキングを含み得る。
【０１８５】
被験者からサンプルを取得する方法は以下を含み得る：小売店の中にサンプル収集室を提供することであって、前記サンプル収集室は加温用テーブルを含み；及び被験者からサンプルを取得すること。被験者からサンプルを取得する方法は以下を含む：小売店の中にサンプル収集室を提供することであって、前記サンプル収集室は加温用プレートを含み；及び被験者からサンプルを取得すること。本発明の出願人はは、被験者からサンプルを取得する方法を開示し、この方法は以下を含む：小売店の中にサンプル収集室を提供することであって、前記サンプル収集室は加温用プレートを含み；前記被験者の指先、又は指、又は手、又はかかと、又は足指の先、又は足指（例えば、前記加温用テーブルを用いて）を加温すること、及び被験者からサンプルを取得すること。実施形態では、前記サンプルは血液サンプル、例えば、指穿刺から得られた血液サンプルである。
【０１８６】
被験者からサンプルを取得する方法は以下を含み得る：小売店の中にサンプル収集室を提供することであって、前記サンプル収集室は、加温用プレート又は他の加温用要素（例えば、アームレストの中、前記被験者の近くに便利に配置されるキャビネット、又は他の表面の上に）を有する椅子、ベンチ、長椅子、又は座るための他の家具の一点を含み；及び被験者からサンプルを取得すること。本発明の出願人は、被験者からサンプルを取得する方法を開示し、この方法は以下を含む：小売店の中にサンプル収集室を提供することであって、前記サンプル収集室は、加温用プレート又は他の加温用要素（例えば、アームレストの中、前記被験者の近くに便利に配置されるキャビネット、又は他の表面の上に）を有する椅子、ベンチ、長椅子、又は座るための他の家具の一点を含み；加温用前記被験者の指先、又は指、又は手、又はかかと、又は足指の先、又は足指（例えば、前記加温用プレート又は他の加温用要素を用いて）加温すること、及び被験者からサンプルを取得すること。実施形態では、前記サンプルは血液サンプル、例えば、指穿刺から得られた血液サンプルである。
【０１８７】
被験者からサンプルを取得する方法は以下を含み得る：小売店の中にサンプル収集室を提供することであって、前記サンプル収集室は空気加温器を含み；及び被験者からサンプルを取得すること。本発明の出願人は被験者からサンプルを取得する方法を開示し、この方法は以下を含む：小売店の中にサンプル収集室を提供することであって、前記サンプル収集室は空気加温器を含み；前記被験者の指先、又は指、又は手、又はかかと、又は足指の先、又は足指（例えば、前記空気加温器を用いて）を加温すること、及び被験者からサンプルを取得すること。実施形態では、前記サンプルは血液サンプル、例えば、指穿刺から得られた血液サンプルである。
【０１８８】
被験者からサンプルを取得する方法は以下を含み得る：小売店の中にサンプル収集室を提供することであって、前記サンプル収集室指加温器を含み；及び被験者からサンプルを取得すること。本発明の出願人はｄ被験者からサンプルを取得する方法を開示し、この方法は以下を含む：小売店の中にサンプル収集室を提供することであって、前記サンプル収集室は指加温器を含み；前記被験者の指先、又は指、又は手、又はかかと、又は足指の先、又は足指（例えば、前記指加温器を用いて）を加温すること、及び被験者からサンプルを取得すること。実施形態では、前記サンプルは血液サンプル、例えば、指穿刺から得られた血液サンプルである。
【０１８９】
サンプル収集室において、被験者から血液を取得するための方法は、採取後の玩具を前記被験者（例えば、子供の被験者）に提供することを更に含み得る。例えば、方法は、サンプル収集室において、加温用プレートを用い及び随意的に、例えば、指玩具等の採取後の玩具を前記被験者（例えば、子供の被験者）に提供して、血液を取得することを含み得る。方法は、サンプル収集室において、加温用プレート（例えば、図４Ａ、４Ｂ、又は４Ｃに図示される）を用いて、及び随意的に、採取後の玩具を前記被験者（例えば、子供の被験者）に提供して、被験者から血液を取得することを含み得る。方法は、サンプル収集室において、指加温器（例えば、図５Ａ、５Ｂ、又は５Ｃに図示されるもの）を用いて、及び随意的に、採取後の玩具を前記被験者（例えば、子供の被験者）に提供して、被験者から血液を取得することを含み得る。方法は、サンプル収集室において、空気加温器（例えば、図６Ａ又は６Ｂに図示される空気加温器）を用いて、及び随意的に採取後の玩具を前記被験者（例えば、子供の被験者）に提供して、被験者から血液を取得することを含み得る。
【０１９０】
本発明の出願人は被験者から取得されたサンプルを分析するための方法を開示し、この方法は以下を含む：小売店の中にサンプル収集室を提供すること；被験者からサンプルを取得すること；及び前記サンプルを分析すること。実施形態では、前記サンプル収集室は１つ以上の加温用テーブルを含み；加温用プレート又は他の加温用要素を有する、椅子又は座るための他の家具の一点；空気加温器；落ち着かせるための特徴；指加温器；指玩具；及び他の要素。実施形態では、前記サンプル収集室はバスルームに隣接する。実施形態では、前記サンプル収集室は、前記サンプル収集室に隣接するバスルームに接続する壁面の開口部を含む。実施形態では、前記サンプルは、前記小売店サンプル収集室において、それに隣接するか、又はその近傍の場所において分析される。実施形態では、前記サンプルは、前記小売店以外の場所において分析される。
【０１９１】
従って、本発明の出願人は、被験者からサンプルを得るための、及び得られたサンプルを分析するための方法であって以下を含む方法を開示する：小売店の中にサンプル収集室を提供すること；前記サンプル収集室において、被験者からサンプルを取得すること；及び前記サンプルを分析すること。本発明の出願人は、被験者からサンプルを得るための、及び得られたサンプルを分析するための方法であって以下を含む方法を開示する：小売店の中にサンプル収集室を提供すること；前記サンプル収集室において、小量のサンプルを被験者から取得すること；及び前記少量のサンプルを分析すること。本発明の出願人は、被験者からサンプルを得るための、及び得られたサンプルを分析するための方法であって以下を含む方法を開示する：小売店の中にサンプル収集室を提供すること；前記サンプル収集室において被験者からサンプルを取得すること；及び前記サンプルを、前記小売店の場所、又は前記小売店に隣接する場所において分析すること。実施形態では、これらの方法サンプルを身体の部分の部分から取得する前、又は間に被験者の前記身体の部分を加温することを含み得る。そのような加温は、加温用テーブル、加温用プレート、空気加温器、指加温器、指玩具、加温用プレート又は他の加温用要素、及びそれらの組み合わせを含む椅子又は他の座るための家具の使用を含み得る。
【０１９２】
被験者からサンプルを取得する方法であって、前記被験者が身体の部分を含む方法は、以下を含む：小売店の中にサンプル収集室を提供すること；及び前記被験者の身体の部分からサンプルを取得することであって、前記取得することが、前記サンプル収集室で遂行される。実施形態では、前記方法は身体の部分を加温することを含み；例えば、身体の部分が前記身体の部分からサンプルを取得する前に加温され得るか、又はサンプルを取得する間に加温され得る。実施形態では、身体の部分の加温は、加温用テーブルにより加温することを含む。実施形態では、身体の部分の加温は加温用プレートによる加温を含む。実施形態では、身体の部分の加温は、指加温器により加温することを含む。実施形態では、身体の部分の加温は、指玩具で加温することを含む。実施形態では、身体の部分の加温は、空気加温器で加温することを含む。実施形態では、前記身体の部分は、指先、指、複数の指、手、又は他の身体の一部分又は身体の複数の部分を含む。
【０１９３】
身体の部分を有する被験者からサンプルを取得する方法であって、以下を含む方法：小売店の中にサンプル収集室を提供すること；前記サンプル収集室において、前記被験者の体の部分からサンプルを取得すること；及び前記サンプルを前記小売店において、又はそれに隣接する場所で分析すること。実施形態では、前記方法は身体の部分を加温することを含み；例えば、身体の部分が前記身体の部分からサンプルを取得する前に加温され得るか、又はサンプルを取得する間に加温され得る。実施形態では、身体の部分の加温は、加温用テーブルにより加温することを含む。実施形態では、身体の部分の加温は、加温用プレートにより加温することを含む。実施形態では、身体の部分の加温は、空気加温器により加温することを含む。実施形態では、身体の部分の加温は、指加温器により加温することを含む。実施形態では、身体の部分の加温は、指玩具により加温することを含む。実施形態では、前記身体の部分は、指先、指、複数の指、手、又は他の身体の一部分又は身体の複数の部分を含む。
【０１９４】
身体の部分を有する被験者からサンプルを取得する方法であって、以下を含む方法：小売店の中にサンプル収集室を提供すること；前記サンプル収集室において、前記被験者の体の部分からサンプルを取得すること；及び前記サンプルを取得してから短時間の期間内に前記サンプルを前記小売店において、又はそれに隣接する場所で分析すること。実施形態では、前記方法は身体の部分を加温することを含み；例えば、身体の部分が前記身体の部分からサンプルを取得する前に加温され得るか、又はサンプルを取得する間に加温され得る。実施形態では、身体の部分の加温は、加温用テーブルにより加温することを含む。実施形態では、身体の部分の加温は、加温用プレートにより加温することを含む。実施形態では、身体の部分の加温は、空気加温器により加温することを含む。実施形態では、身体の部分の加温は、指加温器により加温することにより加温することを含む。実施形態では、身体の部分の加温は、指玩具により加温することを含む。実施形態では、前記身体の部分は、指先、指、複数の指、手、又は他の身体の一部分又は身体の複数の部分を含む。
【０１９５】
身体の部分を有する被験者からサンプルを取得する方法であって、以下を含む方法：小売店の中にサンプル収集室を提供すること；前記サンプル収集室において、前記被験者の体の部分からサンプルを取得すること；前記サンプルを分析の場所に輸送すること；及び前記サンプルを取得してから短時間の期間内に前記サンプルを前記分析の場所で分析すること。実施形態では、前記方法は身体の部分を加温することを含み；例えば、身体の部分が前記身体の部分からサンプルを取得する前に加温され得るか、又はサンプルを取得する間に加温され得る。実施形態では、身体の部分の加温は、加温用テーブルにより加温することを含む。実施形態では、身体の部分の加温は、加温用プレートにより加温することを含む。実施形態では、実施形態では、身体の部分の加温は、空気加温器により加温することを含む。実施形態では、身体の部分の加温は、指加温器により加温することにより加温することを含む。実施形態では、前記身体の部分は、指先、指、複数の指、手、又は他の身体の一部分又は身体の複数の部分を含む。
【０１９６】
本明細書において開示される方法の実施形態では、サンプルは輸送容器に配置される前に遠心分離され得る。本明細書において開示される方法の実施形態では、サンプルはサンプル分析機器に配置される前に遠心分離され得る。本明細書において開示される方法の実施形態では、サンプルは、サンプル分析機器における分析のためのサンプル調製の一部分として、遠心分離され得る。
【０１９７】
本明細書において開示される方法の実施形態では、サンプルは輸送容器に配置される前に冷蔵庫内に配置されることができ、及び冷蔵状態で輸送されることができ；実施形態では、輸送容器は、冷蔵された輸送容器であることができ、サンプルを冷蔵状態で輸送されるために効果的である。本明細書において開示される方法の実施形態では、サンプルはサンプル分析機器に配置される前に、冷蔵庫内に配置されることができる。本明細書において開示される方法の実施形態では、サンプルは、サンプル分析機器における分析のためのサンプル調製の一部分として、冷蔵され得る。
【０１９８】
本明細書において開示される更なる方法は、本明細書において開示されるサンプル収集室においてサンプルを収集すること、及び前記サンプルを輸送容器中に配置することを含むサンプルを分析するための方法を含む。実施形態では、輸送容器中に配置されたサンプルはサンプル分析の場所まで輸送されることができるか；又はサンプル分析の場所に輸送される前に前記サンプル収集室において、又はその近傍において、前記輸送容器中に保存され得る。
【０１９９】
そのような方法により取得されるサンプルは小量のサンプルであり得る。例えば、そのようなサンプルは、指先穿刺から得られることができ、及び前記被験者の皮膚における小量のランセットによる穿刺から得られる数滴の、又は２滴の、又は１滴の血液を含み得る。血液サンプル等の前記サンプルは、、被験者の身体の部分を加温すること（例えば、指先、又は指、複数の指、又は手）に続いて前記被験者から取得され得る。例えば、実施形態では、前記サンプルは、血液、又は尿、又は唾液、又は涙液、又は他の体分泌物又は排泄物の小量の容積のサンプルである。例えば、実施形態では、前記サンプルは、約２００μＬ未満の、又は約１５０μＬ未満の、又は約１００μＬ未満の、又は約７５μＬ未満の、又は約５０μＬ未満の、又は約２５μＬ未満の、又はそれよりも少ない容積を有する少量のサンプルである。
【０２００】
本発明が、その特定の実施形態を参照して、記載され及び図示されるが、当業者は、手順及びプロトコルの様々な適合、変更、修正、置換、削除又は追加が発明の趣旨及び範囲を逸脱することなくなし得ることが理解するであろう。
【０２０１】
加えて、濃度、量、及び他の数的データは、本明細書では、範囲の形式で提供される。そのような範囲の形式は、単に利便性及び短さのために使われ、並びに前記範囲の限界として明示的に列挙された数値のみを含むのではなくて、全ての個々の数値、又はその範囲に含まれる、サブ範囲を、あたかもそれぞれの数値及びサブ範囲が明示的に列挙されているかのように含むことを理解されたい。例えば、例えば、約１ｎｍから約２００ｎｍまでという粒径範囲は、約１ｎｍ及び約２００ｎｍの明示的に提示された範囲だけでなく、２ｎｍ、３ｎｍ、４ｎｍ等の個々のサイズを、及び１０ｎｍから５０ｎｍ、２０ｎｍから１００ｎｍ、等のサブ範囲も含むように解釈されるべきである。
【０２０２】
本明細書において議論され、又は引用された刊行物は、単に本出願の出願日に先立つ開示として提供される。本明細書中の何物も、先行発明の理由で、本発明が、かかる刊行物に先立つ資格がないことの承認と解釈されるべきではない。更に、提供されている刊行日は、個々に確認される必要のある実際の刊行日と異なることがあり得る。本明細書において言及される全ての刊行物は、構造及び／又は方法のいずれに前記刊行物が引用されているかを開示及び記載するために、参照により本明細書に組み込まれる。以下の出願は参照により、全ての目的で、完全に本明細書に取り込まれる：
本明細書において本発明の好適な実施形態が示され及び記載されるが、当業者にとってはそのような実施形態は、例としてのみ提供されていることが明白であろう。いまや、本発明を逸脱することなく、当業者は膨大な変形、変更、及び置換を思いつくであろう。本明細書に記載される本発明の実施形態に対するさまざまな代替物が、本発明の実施に使用できることを理解されたい。好適であるか、又はないかに関わらず、任意の特徴が、好適であるか、又はないかに関わらず、他の特徴と組み合わされ得る。「Ｍｅａｎｓ  ｆｏｒ（ための手段）」の語句を使用して、所定の請求項が明確に言明されていない限り、添付された請求項は、手段プラス機能の限定を含むものとは解釈されない。本明細書の記載、以下の特許請求範囲の全体を通して用いられるように、「ａ（１つ）」「ａｎ（１つ）」「ｔｈｅ（前記の）」は、文脈において明白に示さない限り、複数の意味を含むことを理解されたい。例えば、「ａｎ  ａｓｓａｙ」への言及は、単一の検定又は複数の検定を指すことができる。更に、本明細書の記載、及び以下の特許請求の範囲の全体を通して用いられる、「ｉｎ（〜の中に）」の意味は、文脈で明白に示されない限り、「ｉｎ（〜の中に）」、及び「ｏｎ（〜の上に）」を含む。最後に、本明細書の記載及びそれに続く請求項を通じて用いられる、「ｏｒ（又は）」の意味は、文脈で明白に示されない限り、接続詞及び離接的接続詞を含みむ。従って、文脈で明白に指示しない限り、「ｏｒ（又は）」は「ａｎｄ／ｏｒ（及び／又は）」を含む。
【０２０３】
この文書は著作権保護の対象になる資料を含む。それらが米国特許商標局の特許ファイル又は記録に現われるので、版権所有者（本明細書における特許申請人）は、特許文献及び開示の複製に反対しないが、そうでなければ何であるかに関わらず、全て著作権を保有する。以下の注意が適用される：著作権２０１３年〜２０１４年テラノス社。
【図１Ａ】
2016531703.tif 000002
【図１Ｂ】
2016531703.tif 000003
【図１Ｃ】
2016531703.tif 000004
【図１Ｄ】
2016531703.tif 000005
【図２】
2016531703.tif 000006
【図３】
2016531703.tif 000007
【図４Ｂ】
2016531703.tif 000008
【図５Ａ】
2016531703.tif 000009
【図５Ｂ】
2016531703.tif 000010
【図５Ｃ】
2016531703.tif 000011
【図６Ａ】
2016531703.tif 000012
【図６Ｂ】
2016531703.tif 000013
【図７】
2016531703.tif 000014
【図８】
2016531703.tif 000015
【図４Ａ】
2016531703.tif 000016
【図４Ｃ】
2016531703.tif 000017
【国際調査報告】
2016531703.tif 000018
2016531703.tif 000019